(57)【要約】  本発明の実施形態は、第１無線ネットワークノードがダウンリンクパケットのベアラタイプを認識する段階と、ベアラタイプがシグナリング無線ベアラＳＲＢであるとき、第１無線ネットワークノードがダウンリンクパケットを第２無線ネットワークノードへ送信し、これにより、第２無線ネットワークノードがパケットデータコンバージェンスプロトコルＰＤＣＰ層の機能をダウンリンクパケットに対して実行するか、または、ベアラタイプがデータ無線ベアラＤＲＢであるとき、第１無線ネットワークノードが、ＰＤＣＰ層の機能をダウンリンクパケットに対して実行し、処理済みダウンリンクパケットを第２無線ネットワークノードへ送信する段階とを備えるデータ伝送方法を開示する。従って、本発明の実施形態はさらに、無線ネットワークノードを開示し、これにより、伝送帯域幅および遅延についての要件を下げる。
2018519741.tif 000002
【特許請求の範囲】
【請求項１】
第１無線ネットワークノードがダウンリンクパケットのベアラタイプを認識する段階と、
前記ベアラタイプがシグナリング無線ベアラＳＲＢであるとき、前記第１無線ネットワークノードが前記ダウンリンクパケットを第２無線ネットワークノードへ送信し、これにより、前記第２無線ネットワークノードは、パケットデータコンバージェンスプロトコルＰＤＣＰ層の機能を前記ダウンリンクパケットに対して実行するか、または、
前記ベアラタイプがデータ無線ベアラＤＲＢであるとき、前記第１無線ネットワークノードが、前記ダウンリンクパケットに対してＰＤＣＰ層の機能を実行し、前記処理済みダウンリンクパケットを前記第２無線ネットワークノードへ送信する
段階と
を備えるデータ伝送方法。
【請求項２】
前記第１無線ネットワークノードが、前記第２無線ネットワークノードによって送信されるアップリンクパケットを受信する段階であって、前記第２無線ネットワークノードは、物理ＰＨＹ層の機能、媒体アクセス制御ＭＡＣ層の機能、および論理リンク制御ＲＬＣ層の機能を前記アップリンクパケットに対して実行し、前記アップリンクパケットのベアラタイプはＤＲＢである、段階と、
前記第１無線ネットワークノードが、前記ＰＤＣＰ層の前記機能を前記アップリンクパケットに対して実行し、前記処理済みアップリンクパケットを前記コアネットワークへ送信する段階と
をさらに備える、請求項１に記載の方法。
【請求項３】
前記第１無線ネットワークノードが、ＤＲＢセキュリティ情報およびＳＲＢセキュリティ情報を前記コアネットワークから取得する段階と、前記第１無線ネットワークノードが、前記ＤＲＢセキュリティ情報を記憶し、前記ＳＲＢセキュリティ情報を前記第２無線ネットワークノードへ送信する段階をさらに備え、
前記第１無線ネットワークノードが、前記ＰＤＣＰ層の前記機能を前記ダウンリンクパケットに対して実行する段階は、前記第１無線ネットワークノードが、前記ＤＲＢセキュリティ情報に従って、前記ＰＤＣＰ層の前記機能を前記ダウンリンクパケットに対して実行する段階を有する、
請求項１または２に記載の方法。
【請求項４】
前記ＳＲＢセキュリティ情報および前記ＤＲＢセキュリティ情報は、完全性保護アルゴリズム、完全性確認アルゴリズム、暗号化アルゴリズム、復号化アルゴリズム、またはセキュリティキーのうち１つまたは複数を含む、請求項３に記載の方法。
【請求項５】
第１無線ネットワークノードがダウンリンクパケットのベアラタイプを認識する前記段階の前に、前記方法はさらに、
前記第１無線ネットワークノードが、前記第２無線ネットワークノードによって送信されるユーザ端末識別子および接続要求を受信する段階と、
前記ユーザ端末識別子に対応するユーザ端末が、前記第２無線ネットワークノードにアクセスするための許可を有するとき、前記第１無線ネットワークノードが、前記ユーザ端末識別子を保持するアドミッション指示を前記第２無線ネットワークノードへ返信する段階であって、前記アドミッション指示は、前記ユーザ端末と前記第２無線ネットワークノードとの間にＳＲＢを確立するように前記ユーザ端末に命令するために使用される、段階と
を備える、請求項１に記載の方法。
【請求項６】
前記ユーザ端末がハンドオーバ条件を満たすとき、前記第１無線ネットワークノードが、前記第１無線ネットワークノードによって管理される無線ネットワークノードセットの中から、前記第２無線ネットワークノードを除くターゲット無線ネットワークノードを判定し、前記ターゲット無線ネットワークノードの識別子を前記第２無線ネットワークノードへ送信する段階と、
前記第１無線ネットワークノードが、サービスデータの伝送状態パラメータを前記第２無線ネットワークノードから取得する段階と、
前記ユーザ端末がハンドオーバ動作を完了した後、前記第１無線ネットワークノードが、前記伝送状態パラメータに従って、前記ターゲット無線ネットワークノードを使用することによって前記サービスデータを前記ユーザ端末へ伝送する段階と
をさらに備える、請求項１から５のいずれか一項に記載の方法。
【請求項７】
前記第１無線ネットワークノードが、前記第１無線ネットワークノードによって管理される無線ネットワークノードセットの中から、前記第２無線ネットワークノードを除くターゲット無線ネットワークノードを判定する前記段階は、
前記第１無線ネットワークノードが、前記無線ネットワークノードセットにおける各無線ネットワークノードと、前記ユーザ端末との間のリンク品質パラメータを取得し、前記ターゲット無線ネットワークノードとして最適なリンク品質パラメータを有する無線ネットワークノードを選択する段階であって、前記リンク品質パラメータは、基準信号受信電力ＲＳＲＰ、受信信号強度指標ＲＳＳＩ、または基準信号受信品質ＲＳＲＱのうち１つもしくは複数を含む、段階
を有する、請求項６に記載の方法。
【請求項８】
ダウンリンクパケットのベアラタイプを認識するように構成される識別モジュールと、
前記ベアラタイプがＳＲＢであるとき、前記第１無線ネットワークノードによって、前記ダウンリンクパケットを第２無線ネットワークノードへ送信するように構成され、これにより、前記第２無線ネットワークノードが、ＰＤＣＰ層の機能を前記ダウンリンクパケットに対して実行する、第１送信モジュール、または、
前記ベアラタイプがＤＲＢであるとき、前記ダウンリンクパケットに対してＰＤＣＰ層の機能を実行し、前記処理済みダウンリンクパケットを前記第２無線ネットワークノードへ送信するように構成される第１処理モジュール
を備える無線ネットワークノード。
【請求項９】
前記第２無線ネットワークノードによって送信されるアップリンクパケットを受信するように構成される受信モジュールであって、前記第２無線ネットワークノードは、ＰＨＹ層の機能、ＭＡＣ層の機能、およびＲＬＣ層の機能をアップリンクパケットに対して実行し、前記アップリンクパケットのベアラタイプはＤＲＢである、受信モジュールと、
前記ＰＤＣＰ層の前記機能を前記アップリンクパケットに対して実行し、前記処理済みアップリンクパケットを前記コアネットワークへ送信するように構成される第２処理モジュールと
をさらに備える、請求項８に記載のノード。
【請求項１０】
ＤＲＢセキュリティ情報およびＳＲＢセキュリティ情報を前記コアネットワークから取得するように構成されるセキュリティ情報取得モジュールであって、前記第１無線ネットワークノードは前記ＤＲＢセキュリティ情報を記憶し、前記ＳＲＢセキュリティ情報を前記第２無線ネットワークノードへ送信する、セキュリティ情報取得モジュールをさらに備え、前記第１処理モジュールは、前記ＤＲＢセキュリティ情報に従って、前記ＰＤＣＰ層の前記機能を前記ダウンリンクパケットに対して実行するように構成される、請求項８または９に記載のノード。
【請求項１１】
前記ＳＲＢセキュリティ情報および前記ＤＲＢセキュリティ情報は、完全性保護アルゴリズム、完全性確認アルゴリズム、暗号化アルゴリズム、復号化アルゴリズム、またはセキュリティキーのうち１つまたは複数を含む、請求項１０に記載のノード。
【請求項１２】
前記第２無線ネットワークノードによって送信されるユーザ端末識別子および接続要求を受信するように、ならびに、前記ユーザ端末識別子に対応するユーザ端末が、前記第２無線ネットワークノードにアクセスするための許可を有するとき、前記ユーザ端末識別子を保持するアドミッション指示を前記第２無線ネットワークノードへ返信するように構成されるＳＲＢ確立モジュールをさらに備え、前記アドミッション指示は、前記ユーザ端末と前記第２無線ネットワークノードとの間にＳＲＢを確立するよう前記ユーザ端末に命令するために使用される、請求項８に記載のノード。
【請求項１３】
前記ユーザ端末がハンドオーバ条件を満たすとき、前記無線ネットワークノードによって管理される無線ネットワークノードセットの中から、前記第２無線ネットワークノードを除くターゲット無線ネットワークノードを判定し、前記ターゲット無線ネットワークノードの識別子を前記第２無線ネットワークノードへ送信するように、および、サービスデータの伝送状態パラメータを前記第２無線ネットワークノードから取得するように、ならびに、ハンドオーバ動作を前記ユーザ端末が完了した後に、前記伝送状態パラメータに従って、前記ターゲット無線ネットワークノードを使用することによって前記サービスデータを前記ユーザ端末へ伝送するように構成されるハンドオーバモジュールをさらに備える、請求項８から１２のいずれか一項に記載のノード。
【請求項１４】
前記ハンドオーバモジュールは、前記無線ネットワークノードセットにおける各無線ネットワークノードと前記ユーザ端末との間のリンク品質パラメータを取得するように、および、前記ターゲット無線ネットワークノードとして最適なリンク品質パラメータを有する無線ネットワークノードを選択するように構成され、前記リンク品質パラメータは、ＲＳＲＰ、ＲＳＳＩ、またはＲＳＲＱのうち１つまたは複数を含む、請求項１３に記載のノード。
【請求項１５】
メモリおよびプロセッサを備える無線ネットワークノードであって、前記メモリは、請求項１から７のいずれか一項に記載のデータ伝送方法を実装するための命令を記憶し、前記プロセッサは、請求項１から７のいずれか一項に記載のデータ伝送方法を実装するために、前記メモリの中の前記命令を呼び出して実行する、無線ネットワークノード。
【請求項１６】
データ伝送方法を実行するためにコンピュータデバイスを制御するように構成される記憶媒体であって、前記方法は、
ダウンリンクパケットのベアラタイプを認識する段階と、
前記ベアラタイプがシグナリング無線ベアラＳＲＢであるとき、前記ダウンリンクパケットを第２無線ネットワークノードへ送信し、これにより、前記第２無線ネットワークノードが、パケットデータコンバージェンスプロトコルＰＤＣＰ層の機能を前記ダウンリンクパケットに対して実行するか、または、
前記ベアラタイプがデータ無線ベアラＤＲＢであるとき、ＰＤＣＰ層の機能を前記ダウンリンクパケットに対して実行し、前記処理済みダウンリンクパケットを前記第２無線ネットワークノードへ送信する段階と
備える、記憶媒体。
【請求項１７】
第２無線ネットワークノードが、ユーザ端末によって送信されるアップリンクパケットのベアラタイプを認識する段階と、
前記ベアラタイプがＳＲＢであるとき、前記第２無線ネットワークノードが、ＰＨＹ層の機能、および、前記ＰＨＹ層より上の層の機能を前記アップリンクパケットに対して実行するか、または、
前記ベアラタイプがＤＲＢであるとき、前記第２無線ネットワークノードが、ＰＨＹ層の機能、ＭＡＣ層の機能、およびＲＬＣ層の機能を前記アップリンクパケットに対して実行し、前記処理済みアップリンクパケットを第１無線ネットワークノードへ送信し、これにより、前記第１無線ネットワークノードが、ＰＤＣＰ層の機能を前記処理済みアップリンクパケットに対して実行する、段階と
を備える、データ伝送方法。
【請求項１８】
前記第２無線ネットワークノードが、ＰＨＹ層の機能、および前記ＰＨＹ層より上の層の機能を前記アップリンクパケットに対して実行する前記段階は、
前記第２無線ネットワークノードが、前記第１無線ネットワークノードによって送信されるＳＲＢセキュリティ情報を受信し、前記ＳＲＢセキュリティ情報に従って、前記ＰＤＣＰ層の前記機能を前記アップリンクパケットに対して実行する段階を有する、請求項１７に記載の方法。
【請求項１９】
前記第２無線ネットワークノードが、前記第１無線ネットワークノードによって送信されるダウンリンクパケットを受信する段階であって、前記ダウンリンクパケットのベアラタイプがＳＲＢである、段階と、
前記第２無線ネットワークノードが、ＲＲＣ層の機能、および前記ＲＲＣ層より下の層の機能を前記ダウンリンクパケットに対して実行し、前記処理済みダウンリンクパケットを前記ユーザ端末へ送信する段階と
をさらに備える、請求項１７または１８に記載の方法。
【請求項２０】
前記第２無線ネットワークノードが、ユーザ端末識別子を保持する、前記ユーザ端末によって送信される接続要求を前記第１無線ネットワークノードへ転送する段階と、
前記ユーザ端末がアクセス許可を有すると前記第１無線ネットワークノードが判定した後に生成されるアドミッション指示を前記第２無線ネットワークノードが受信する段階であって、前記アドミッション指示は前記ユーザ端末識別子を保持する、段階と、
前記第２無線ネットワークノードが、前記アドミッション指示に従って接続確立メッセージを生成し、前記接続確立メッセージを前記ユーザ端末へ送信し、これにより、前記ユーザ端末が、前記接続確立メッセージに従ってＳＲＢを確立し、前記ＳＲＢの確立に成功した後に接続確立完了メッセージを前記第２無線ネットワークノードへ返信する段階と、
前記第２無線ネットワークノードが、受信された前記接続確立完了メッセージを前記第１無線ネットワークノードへ送信する段階と
をさらに備える、請求項１７に記載の方法。
【請求項２１】
前記ユーザ端末がハンドオーバ条件を満たすとき、前記ユーザ端末がハンドオーバされる先のターゲット無線ネットワークノードを前記第２無線ネットワークノードが判定する段階と、
前記第２無線ネットワークノードが、前記ＳＲＢセキュリティ情報を保持するハンドオーバ要求メッセージを前記ターゲット無線ネットワークノードへ送信し、これにより、前記ターゲット無線ネットワークノードが、ハンドオーバリソースを準備した後に、ハンドオーバ命令メッセージを前記第２無線ネットワークノードへ返信する、段階と、
前記第２無線ネットワークノードが、前記ハンドオーバ命令メッセージを前記ユーザ端末へ転送する段階であって、前記ハンドオーバ命令メッセージは前記ＳＲＢセキュリティ情報を保持し、これにより、前記ユーザ端末は、ハンドオーバ動作が完了した後に、ハンドオーバ完了メッセージを前記ターゲット無線ネットワークノードへ返信し、および、前記ターゲット無線ネットワークアクセスノードは、前記ハンドオーバ完了メッセージを受信した後に、前記ＳＲＢセキュリティ情報に従って、セキュリティ保護をシグナリングデータに対して実行する、段階と
をさらに備える、請求項１８に記載の方法。
【請求項２２】
前記ユーザ端末がハンドオーバ条件を満たすとき、前記ユーザ端末がハンドオーバされる先のターゲット無線ネットワークノードを前記第２無線ネットワークノードが判定する前記段階は、
前記ユーザ端末の信号搬送波レベルが第１閾値より低いとき、前記ハンドオーバ条件を前記ユーザ端末が満たすと前記第２無線ネットワークノードが判定するか、または、
前記ユーザ端末の信号搬送波対干渉波比が第２閾値より低いとき、前記ハンドオーバ条件を前記ユーザ端末が満たすと前記第２無線ネットワークノードが判定するか、または、
前記第２無線ネットワークノードと前記ユーザ端末との間の距離が第３閾値より大きいとき、前記ハンドオーバ条件を前記ユーザ端末が満たすと前記第２無線ネットワークノードが判定する段階と、
前記第２無線ネットワークノードが、前記ターゲット無線ネットワークノードのアイデンティティを保持する、前記第１無線ネットワークノードによって送信されるハンドオーバ指示を受信し、前記アイデンティティに従って前記ターゲット無線ネットワークノードを判定する段階と
を備える、請求項２１に記載の方法。
【請求項２３】
ユーザ端末によって送信されるアップリンクパケットのベアラタイプを認識するように構成される識別モジュールと、
前記ベアラタイプがＳＲＢであるとき、ＰＨＹ層の機能、および前記ＰＨＹ層より上の層の機能を前記アップリンクパケットに対して実行するように構成される第１処理モジュール、または、
前記ベアラタイプがＤＲＢであるとき、ＰＨＹ層の機能、ＭＡＣ層の機能、およびＲＬＣ層の機能を前記アップリンクパケットに対して実行し、前記処理済みアップリンクパケットを第１無線ネットワークノードへ送信するように構成され、これにより、前記第１無線ネットワークノードが、ＰＤＣＰ層の機能を前記処理済みアップリンクパケットに対して実行する、第１送信モジュールと
を備える無線ネットワークノード。
【請求項２４】
前記第１処理モジュールは、前記第１無線ネットワークノードによって送信されるＳＲＢセキュリティ情報を受信し、前記ＳＲＢセキュリティ情報に従って、前記ＰＤＣＰ層の前記機能を前記アップリンクパケットに対して実行するように構成される、請求項２３に記載のノード。
【請求項２５】
前記第１無線ネットワークノードによって送信されるダウンリンクパケットを受信するように構成され、前記ダウンリンクパケットのベアラタイプはＳＲＢである、受信モジュールと、
ＲＲＣ層の機能、および前記ＲＲＣ層より下の層の機能を前記ダウンリンクパケットに対して実行し、前記処理済みダウンリンクパケットを前記ユーザ端末へ送信するように構成される第２処理モジュールと
をさらに備える、請求項２２または２３に記載のノード。
【請求項２６】
ユーザ端末識別子を保持する、前記ユーザ端末によって送信される接続要求を前記第１無線ネットワークノードへ転送するように、および、前記ユーザ端末がアクセス許可を有すると前記第１無線ネットワークノードが判定した後に生成される、前記ユーザ端末識別子を保持するアドミッション指示を受信するように、および、前記アドミッション指示に従って接続確立メッセージを生成し、前記接続確立メッセージを前記ユーザ端末へ送信し、これにより、前記ユーザ端末は、前記接続確立メッセージに従ってＳＲＢを確立し、前記ＳＲＢの確立に成功した後に、接続確立完了メッセージを前記第２無線ネットワークノードへ返信するように、および、受信された前記接続確立完了メッセージを前記第１無線ネットワークノードへ送信するように構成されるＳＲＢ確立モジュールをさらに備える、請求項２２に記載のノード。
【請求項２７】
前記ユーザ端末がハンドオーバ条件を満たすとき、前記ユーザ端末がハンドオーバされる先のターゲット無線ネットワークノードを判定するように、ならびに、前記ＳＲＢセキュリティ情報を保持するハンドオーバ要求メッセージを前記ターゲット無線ネットワークノードへ送信し、これにより、前記ターゲット無線ネットワークノードが、ハンドオーバリソースを準備した後に、ハンドオーバ命令メッセージを前記第２無線ネットワークノードへ返信するように、ならびに、前記ハンドオーバ命令メッセージを前記ユーザ端末へ転送し、前記ハンドオーバ命令メッセージは前記ＳＲＢセキュリティ情報を保持し、これにより、ハンドオーバ動作を完了した後に、前記ユーザ端末がハンドオーバ完了メッセージを前記ターゲット無線ネットワークノードへ返信し、および、前記ハンドオーバ完了メッセージを受信した後に、前記ターゲット無線ネットワークアクセスノードが、前記ＳＲＢセキュリティ情報に従って、シグナリングデータに対してセキュリティ保護を実行するように構成されるハンドオーバモジュールをさらに備える、請求項２３に記載のノード。
【請求項２８】
前記ハンドオーバモジュールは、前記ユーザ端末の信号搬送波レベルが第１閾値より低いとき、前記ユーザ端末が前記ハンドオーバ条件を満たすと判定し、または、
前記ユーザ端末の信号搬送波対干渉波比が第２閾値より低いとき、前記ユーザ端末が前記ハンドオーバ条件を満たすと判定するか、または、
前記無線ネットワークノードと前記ユーザ端末との間の距離が第３閾値より大きいとき、前記ユーザ端末が前記ハンドオーバ条件を満たすと判定するように、および、
前記ターゲット無線ネットワークノードのアイデンティティを保持する、前記第１無線ネットワークノードによって送信されるハンドオーバ指示を受信し、前記アイデンティティに従って、前記ターゲット無線ネットワークノードを判定するように
構成される、請求項２７に記載のノード。
【請求項２９】
メモリおよびプロセッサを備え、前記メモリは、請求項１７から２２のいずれか一項に記載のデータ伝送方法を実装するための命令を記憶し、前記プロセッサは、請求項１７から２２のいずれか一項に記載のデータ伝送方法を実装するために、前記メモリの中の前記命令を呼び出して実行する、無線ネットワークノード。
【請求項３０】
データ伝送方法を実行するためにコンピュータデバイスを制御するように構成される記憶媒体であって、前記方法は、
ユーザ端末によって送信されるアップリンクパケットのベアラタイプを認識する段階と、
前記ベアラタイプがＳＲＢであるとき、ＰＨＹ層の機能、および前記ＰＨＹ層より上の層の機能を前記アップリンクパケットに対して実行するか、または、
前記ベアラタイプがＤＲＢであるとき、ＰＨＹ層の機能、ＭＡＣ層の機能、およびＲＬＣ層の機能を前記アップリンクパケットに対して実行し、前記処理済みアップリンクパケットを第１無線ネットワークノードへ送信し、これにより、前記第１無線ネットワークノードは、ＰＤＣＰ層の機能を前記処理済みアップリンクパケットに対して実行する、段階と
を備える、記憶媒体。
【請求項３１】
第１無線ネットワークノードが、第２無線ネットワークデバイスによって送信されるアップリンクパケットを受信し、前記アップリンクパケットは、ユーザ端末のアイデンティティ情報と、ベアラタイプについての情報と、ベアラのアイデンティティ情報とを示す第１指示情報を保持する、段階と、
前記第１無線ネットワークノードが、前記第１指示情報に従って、前記アップリンクパケットに対応する、前記ユーザ端末、前記ベアラタイプ、および前記ベアラを認識する段階と、
前記第１無線ネットワークノードが、ＰＤＣＰ層の機能を前記アップリンクパケットに対して実行する段階と
を備えるデータ伝送方法。
【請求項３２】
前記第１無線ネットワークノードが、ＰＤＣＰ層の機能を前記アップリンクパケットに対して実装する前記段階は、
前記第１無線ネットワークノードが、前記アップリンクパケットの前記ベアラタイプを認識する段階と、
前記アップリンクパケットの前記ベアラタイプがＤＲＢであるとき、ＤＲＢセキュリティ情報に従って、前記ＰＤＣＰ層の前記機能を前記第２パケットに対して実行し、前記処理済みアップリンクパケットをコアネットワークへ送信するか、または、
前記アップリンクパケットの前記ベアラタイプがＳＲＢであるとき、ＳＲＢセキュリティ情報に従って、前記ＰＤＣＰ層の前記機能、およびＲＲＣ層の機能を前記第２パケットに対して実行する段階と
を備える、請求項３１に記載の方法。
【請求項３３】
前記第１無線ネットワークノードが、前記コアネットワークによって送信されるダウンリンクパケットを受信する段階であって、前記ダウンリンクパケットは、ユーザ端末のアイデンティティ情報と、ベアラタイプについての情報と、ベアラのアイデンティティ情報とを示す第２指示情報を保持する、段階と、
前記第１無線ネットワークノードが、前記ＲＲＣ層の前記機能と、前記ＰＤＣＰ層の前記機能とを前記パケットに対して実装し、前記処理済みダウンリンクパケットを前記第２無線ネットワークノードへ送信し、これにより、前記第２無線ネットワークノードは、前記第２指示情報に従って、前記ダウンリンクパケットの、前記ユーザ端末、前記ベアラタイプ、および前記ベアラを認識する段階と
をさらに備える、請求項３２に記載の方法。
【請求項３４】
前記ユーザ端末がハンドオーバ条件を満たすとき、前記第１無線ネットワークノードが、前記ユーザ端末がハンドオーバされる先のターゲット無線ネットワークノードを判定し、前記第２無線ネットワークノードのＵＥコンテキスト情報を取得する段階と、
前記第１無線ネットワークノードが、前記ＵＥコンテキスト情報を保持するハンドオーバ要求メッセージを前記ターゲット無線ネットワークノードへ送信し、これにより、前記ターゲット無線ネットワークノードが、前記ユーザ端末がアクセス許可を有すると判定し、かつ、ハンドオーバリソースを準備した後に、ハンドオーバ応答メッセージを前記第１無線ネットワークノードへ返信する段階と、
前記第１無線ネットワークノードが、前記ターゲット無線ネットワークノードによって返信される前記ハンドオーバ応答メッセージを受信し、前記ハンドオーバ応答メッセージを前記第２無線ネットワークノードへ転送し、これにより、前記第２無線ネットワークノードは、前記ハンドオーバ応答メッセージに従って、ハンドオーバ命令メッセージを前記ユーザ端末へ送信し、前記ハンドオーバ命令メッセージは、ハンドオーバ動作を完了するように前記ユーザ端末に命令するために使用される、段階と
をさらに備える、請求項３１から３３のいずれか一項に記載の方法。
【請求項３５】
前記ユーザ端末がハンドオーバ条件を満たすとき、前記ユーザ端末がハンドオーバされる先のターゲット無線ネットワークノードを前記第１無線ネットワークノードが判定する段階と、
前記第１無線ネットワークノードが、前記ターゲット無線ネットワークノードの識別子を保持するハンドオーバ指示メッセージを前記第２無線ネットワークノードへ送信する段階であって、前記ハンドオーバ指示メッセージは、前記ユーザ端末のＵＥコンテキスト情報を取得するように、および、前記ＵＥコンテキスト情報を保持するハンドオーバ要件メッセージを前記第１無線ネットワークノードへ送信するように前記無線ネットワークノードに命令するために使用される、段階と、
前記第１無線ネットワークノードは、前記ハンドオーバ要件メッセージに従って、ハンドオーバ要求メッセージを前記ターゲット無線ネットワークノードへ送信し、これにより、前記ターゲット無線ネットワークノードが、アクセス許可を前記ユーザ端末が有すると判定した後に、ハンドオーバ応答メッセージを前記第１無線ネットワークノードへ返信する段階と、
前記ターゲット無線ネットワークノードによって返信される前記ハンドオーバ応答メッセージを受信した後に、前記第１無線ネットワークノードが、前記ハンドオーバ応答メッセージを前記第２無線ネットワークノードへ送信し、これにより、前記無線ネットワークノードは、前記ハンドオーバ応答メッセージに従って、ハンドオーバ命令メッセージを前記ユーザ端末へ送信する段階であって、前記ハンドオーバ命令メッセージは、ハンドオーバ動作を完了するように前記ユーザ端末に命令するために使用される、段階と
をさらに備える、請求項３３および３４のいずれかに記載の方法。
【請求項３６】
第２無線ネットワークデバイスによって送信されるアップリンクパケットを受信するように構成され、前記アップリンクパケットは、ユーザ端末のアイデンティティ情報と、ベアラタイプについての情報と、ベアラのアイデンティティ情報とを示す第１指示情報を保持する、第１受信モジュールと、
前記第１指示情報に従って、前記アップリンクパケットに対応する、前記ユーザ端末、前記ベアラタイプ、および前記ベアラを認識するように構成される識別モジュールと、
ＰＤＣＰ層の機能を前記アップリンクパケットに対して実行するように構成される第１処理モジュールと
を備える無線ネットワークノード。
【請求項３７】
前記第１処理モジュールは、前記アップリンクパケットの前記ベアラタイプを認識するように、ならびに、
前記アップリンクパケットの前記ベアラタイプがＤＲＢであるとき、ＤＲＢセキュリティ情報に従って前記ＰＤＣＰ層の前記機能を前記第２パケットに対して実行し、前記処理済みアップリンクパケットをコアネットワークへ送信するか、または、
前記アップリンクパケットの前記ベアラタイプがＳＲＢであるとき、ＳＲＢセキュリティ情報に従って、前記ＰＤＣＰ層の前記機能、およびＲＲＣ層の機能を前記第２パケットに対して実行するように
構成される、請求項３６に記載のノード。
【請求項３８】
前記コアネットワークによって送信されるダウンリンクパケットを受信するように構成され、前記ダウンリンクパケットは、ユーザ端末のアイデンティティ情報と、ベアラタイプについての情報と、ベアラのアイデンティティ情報とを示す第２指示情報を保持する、第２受信モジュールと、
前記ＲＲＣ層の前記機能、および前記ＰＤＣＰ層の前記機能を前記パケットに対して実装し、前記処理済みダウンリンクパケットを前記第２無線ネットワークノードへ送信するように構成され、これにより、前記第２無線ネットワークノードは、前記第２指示情報に従って、前記ダウンリンクパケットの、前記ユーザ端末、前記ベアラタイプ、および前記ベアラを認識する、第２処理モジュールと
をさらに備える、請求項３６または３７に記載のノード。
【請求項３９】
前記ユーザ端末がハンドオーバ条件を満たすとき、前記ユーザ端末がハンドオーバされる先のターゲット無線ネットワークノードを判定し、前記第２無線ネットワークノードのＵＥコンテキスト情報を取得するように、ならびに、
前記ＵＥコンテキスト情報を保持するハンドオーバ要求メッセージを前記ターゲット無線ネットワークノードへ送信し、これにより、前記ターゲット無線ネットワークノードが、アクセス許可を前記ユーザ端末が有すると判定し、かつ、ハンドオーバリソースを準備した後に、ハンドオーバ応答メッセージを前記第１無線ネットワークノードへ返信するように、ならびに、
前記ターゲット無線ネットワークノードによって返信される前記ハンドオーバ応答メッセージを受信し、前記ハンドオーバ応答メッセージを前記第２無線ネットワークノードへ転送し、これにより、前記第２無線ネットワークノードは、前記ハンドオーバ応答メッセージに従って、ハンドオーバ命令メッセージを前記ユーザ端末へ送信し、前記ハンドオーバ命令メッセージは、ハンドオーバ動作を完了するように前記ユーザ端末に命令するために使用されるように
構成される第１ハンドオーバモジュールをさらに備える、請求項３６から３８のいずれか一項に記載のノード。
【請求項４０】
前記ユーザ端末がハンドオーバ条件を満たすとき、前記ユーザ端末がハンドオーバされる先のターゲット無線ネットワークノードを判定するように、ならびに、
前記ターゲット無線ネットワークノードの識別子を保持するハンドオーバ指示メッセージを前記第２無線ネットワークノードへ送信し、前記ハンドオーバ指示メッセージは、前記ユーザ端末のＵＥコンテキスト情報を取得するように、および、前記ＵＥコンテキスト情報を保持するハンドオーバ要件メッセージを前記第１無線ネットワークノードへ送信するように前記無線ネットワークノードに命令するために使用されるように、ならびに、
前記ハンドオーバ要件メッセージに従って、ハンドオーバ要求メッセージを前記ターゲット無線ネットワークノードへ送信し、これにより、前記ターゲット無線ネットワークノードが、アクセス許可を前記ユーザ端末が有すると判定した後に、ハンドオーバ応答メッセージを第１無線ネットワークノードへ返信するように、ならびに、
前記ターゲット無線ネットワークノードによって返信される前記ハンドオーバ応答メッセージを受信した後に、前記ハンドオーバ応答メッセージを前記第２無線ネットワークノードへ送信し、これにより、前記無線ネットワークノードは、前記ハンドオーバ応答メッセージに従って、ハンドオーバ命令メッセージを前記ユーザ端末へ送信し、前記ハンドオーバ命令メッセージは、ハンドオーバ動作を完了するように前記ユーザ端末に命令するために使用されるように
構成される第２ハンドオーバモジュールをさらに備える、請求項３６から３８のいずれか一項に記載のノード。
【請求項４１】
メモリおよびプロセッサを備える無線ネットワークノードであって、前記メモリは、請求項３１から３５のいずれか一項に記載のデータ伝送方法を実装するための命令を記憶し、前記プロセッサは、請求項３１から３５のいずれか一項に記載のデータ伝送方法を実装するために、前記メモリの中の前記命令を呼び出して実行する、無線ネットワークノード。
【請求項４２】
データ伝送方法を実行するためにコンピュータデバイスを制御するように構成される記憶媒体であって、前記方法は、
第２無線ネットワークデバイスによって送信されるアップリンクパケットを受信する段階であって、前記アップリンクパケットは、ユーザ端末のアイデンティティ情報と、ベアラタイプについての情報と、ベアラのアイデンティティ情報とを示す第１指示情報を保持する、段階と、
前記第１指示情報に従って、前記アップリンクパケットに対応する、前記ユーザ端末、前記ベアラタイプ、および前記ベアラを認識する段階と、
ＰＤＣＰ層の機能を前記アップリンクパケットに対して実行する段階と
を備える、記憶媒体。
【請求項４３】
第２無線ネットワークノードが、第１無線ネットワークノードによって送信されるダウンリンクパケットを受信する段階であって、前記ダウンリンクパケットは、ユーザ端末のアイデンティティ情報と、ベアラタイプについての情報と、ベアラのアイデンティティ情報とを示す第１指示情報を保持する、段階と、
前記第２無線ネットワークノードが、前記第１指示情報に従って、前記ダウンリンクパケットに対応する、前記ユーザ端末、前記ベアラタイプ、および前記ベアラを認識する段階と、
前記第２無線ネットワークノードが、ＰＤＣＰ層より下の層の機能を前記ダウンリンクパケットに対して実行する段階と
を備えるデータ伝送方法。
【請求項４４】
前記第２無線ネットワークノードが、ユーザ端末によって送信されるアップリンクパケットを受信する段階であって、前記アップリンクパケットは、前記ユーザ端末のアイデンティティ情報と、ベアラタイプについての情報と、ベアラのアイデンティティ情報とを示す第２指示情報を保持する、段階と、
前記第２無線ネットワークノードが、前記ＰＤＣＰ層より下の前記層の前記機能を前記アップリンクパケットに対して実行し、前記処理済みアップリンクパケットを前記第１無線ネットワークノードへ送信し、これにより、前記第１無線ネットワークノードは、ＰＤＣＰ層の機能を前記処理済みアップリンクパケットに対して実行する段階と
をさらに備える、請求項４３に記載の方法。
【請求項４５】
前記第２無線ネットワークノードが、前記ユーザ端末によって送信される測定報告を前記第１無線ネットワークノードへ転送し、これにより、前記第１無線ネットワークノードが、前記測定報告に従って、前記ユーザ端末がハンドオーバ条件を満たすかどうかを検出したとき、前記第１無線ネットワークノードが、前記ユーザ端末がハンドオーバされる先のターゲット無線ネットワークノードを判定し、前記第１無線ネットワークノードが、前記ターゲット無線ネットワークノードのアイデンティティを保持するハンドオーバ指示を前記第２無線ネットワークノードへ返信する段階と、
前記第２無線ネットワークノードが、前記ターゲット無線ネットワークノードの前記アイデンティティを保持する前記ハンドオーバ指示を受信した後に、前記ユーザ端末のＵＥコンテキスト情報を取得し、前記ＵＥコンテキスト情報を保持するハンドオーバ要件メッセージを前記第１無線ネットワークノードへ送信する段階と
をさらに備える、請求項４３または４４に記載の方法。
【請求項４６】
前記第１無線ネットワークノードによって送信されるダウンリンクパケットを受信するように構成され、前記ダウンリンクパケットは、ユーザ端末のアイデンティティ情報と、ベアラタイプについての情報と、ベアラのアイデンティティ情報とを示す第１指示情報を保持する、第１受信モジュールと、
前記第１指示情報に従って、前記ダウンリンクパケットに対応する、前記ユーザ端末、前記ベアラタイプ、および前記ベアラを認識するように構成される識別モジュールと、
ＰＤＣＰ層より下の層の機能を前記ダウンリンクパケットに対して実行するように構成される第１処理モジュールと
を備える無線ネットワークノード。
【請求項４７】
ユーザ端末によって送信されるアップリンクパケットを受信するように構成され、前記アップリンクパケットは、前記ユーザ端末のアイデンティティ情報と、ベアラタイプについての情報と、ベアラのアイデンティティ情報とを示す第２指示情報を保持する、第２受信モジュールと、
前記ＰＤＣＰ層より下の前記層の前記機能を前記アップリンクパケットに対して実行し、前記処理済みアップリンクパケットを前記第１無線ネットワークノードへ送信するように構成され、これにより、前記第１無線ネットワークノードは、ＰＤＣＰ層の機能を前記処理済みアップリンクパケットに対して実行する、第２処理モジュールと
をさらに備える、請求項４６に記載のノード。
【請求項４８】
前記ユーザ端末によって送信される測定報告を前記第１無線ネットワークノードへ転送し、これにより、前記ユーザ端末がハンドオーバ条件を満たすことを第１無線ネットワークノードが前記測定報告に従って検出するとき、前記ユーザ端末がハンドオーバされる先のターゲット無線ネットワークノードを前記第１無線ネットワークノードが判定し、前記第１無線ネットワークノードが、前記ターゲット無線ネットワークノードのアイデンティティを保持するハンドオーバ指示を前記第２無線ネットワークノードへ返信するように、および、
前記ターゲット無線ネットワークノードの前記アイデンティティを保持する前記ハンドオーバ指示を受信した後に、前記ユーザ端末のＵＥコンテキスト情報を取得し、前記ＵＥコンテキスト情報を保持するハンドオーバ要件メッセージを前記第１無線ネットワークノードへ送信するように
構成されるハンドオーバモジュールをさらに備える、請求項４６または４７に記載のノード。
【請求項４９】
メモリおよびプロセッサを備える無線ネットワークノードであって、前記メモリは、請求項４３から４５のいずれか一項に記載のデータ伝送方法を実装するための命令を記憶し、前記プロセッサは、請求項４３から４５のいずれか一項に記載のデータ伝送方法を実装するために、前記メモリの中の前記命令を呼び出して実行する、無線ネットワークノード。
【請求項５０】
データ伝送方法を実行するためにコンピュータデバイスを制御するように構成される記憶媒体であって、前記方法は、
前記第１無線ネットワークノードによって送信されるダウンリンクパケットを受信する段階であって、前記ダウンリンクパケットは、ユーザ端末のアイデンティティ情報と、ベアラタイプについての情報と、ベアラのアイデンティティ情報とを示す第１指示情報を保持する、段階と、
前記第１指示情報に従って、前記ダウンリンクパケットに対応する、前記ユーザ端末、前記ベアラタイプ、および前記ベアラを認識する段階と、
ＰＤＣＰ層より下の層の機能を前記ダウンリンクパケットに対して実行する段階と
を備える、記憶媒体。
【請求項５１】
請求項８から１５のいずれか一項に記載の無線ネットワークノードと、請求項２３から２９に記載の少なくとも１つの前記無線ネットワークノード、または、
請求項３６から４１のいずれか一項に記載の無線ネットワークノードと、請求項４６から４９に記載の少なくとも１つの無線ネットワークノード
を備える通信システム。
【発明の詳細な説明】
【技術分野】
【０００１】
本発明は、通信分野に関連し、特に、データ伝送方法、無線ネットワークノード、および通信システムに関連する。
【背景技術】
【０００２】
サービスが指数関数的に増大するにつれて、モバイルネットワークは、５Ｇモバイルネットワークを目指して進化している。５Ｇネットワークは、サービスの爆発的な増大をサポートするために、より大きい帯域幅、より高いスペクトル効率、および同様のものを提供する必要がある。超高密度低電力スモールセルネットワークを使用することによって、より大きいデータ量を効果的に提供できる。しかしながら、高密度ネットワークを配備する結果、セル間の干渉がより大きくなり、干渉の状況がより複雑になる。上述の問題を解決するために、集中化された処理法であるＣ‐ＲＡＮが提供される。この解決法は、干渉の問題と、スモールセル間の負荷分散とを効果的に解決でき、これにより、システム容量を効果的に向上させる。Ｃ‐ＲＡＮシステムは、ＲＲＵ（Ｒｅｍｏｔｅ  Ｒａｄｉｏ  Ｕｎｉｔ、リモート無線ユニット、略称：ＲＲＵ）およびＢＢＵプールを備える。ＢＢＵプールは、複数のＢＢＵ（Ｂａｓｅ  ｂａｎｄ  Ｕｎｉｔ、ベースバンドユニット、略称：ＢＢＵ）を有する。ＲＲＵは、ＣＰＲＩ（Ｃｏｍｍｏｎ  Ｐｕｂｌｉｃ  Ｒａｄｉｏ  Ｉｎｔｅｒｆａｃｅ、公衆無線インタフェース、略称：ＣＰＲＩ）を使用することによってＢＢＵプールに接続される。
【０００３】
現在のＣ‐ＲＡＮの解決法は、システム容量を効果的に向上させることができる。しかしながら、ＲＲＵとＢＢＵプールとの間には、理想的なトランスポートネットワークが必要とされる。すなわち、ＣＰＲＩは、理想的な帯域幅および理想的な遅延を必要とする。例えば、８つのアンテナをサポートする、２０ＭＨｚの帯域幅を有するセルについては、ベースバンド帯域幅が２０ＭＨｚであるとき、ベースバンドサンプリングレートが３０．７２Ｍであり、かつ、サンプリングビット幅が１５ビットである場合、アンテナの回線速度は、３０．７２×１５×２（ＩＱ）×１６／１５（１５ビットのデータあたり１ビットの制御ワード）＝９８３．０４Ｍであり、８Ｂ／１０Ｂ符号化後、ＣＰＩＲ上の伝送速度は、９８３．０４Ｍ×１０／８＝１２２８．８Ｍである。すなわち、ＭＩＭＯ（Ｍｕｌｔｉｐｌｅ−Ｉｎｐｕｔ  Ｍｕｌｔｉｐｌｅ−Ｏｕｔｐｕｔ、多入力多出力、略称：ＭＩＭＯ）が使用されていないとき、単一セクタ内の単一のアンテナは、ＣＰＲＩ上で１２２８．８Ｍの伝送速度を必要とする。８つのアンテナがある場合、１２２８．８Ｍに８を乗算する必要がある。つまり、伝送速度は１０Ｇｂｉｔ／ｓである。そのような高い伝送速度をＲＲＵとＢＢＵプールとの間で実現することは困難である。従って、伝送帯域幅および遅延についての要件を下げることができる解決法が緊急に必要とされている。
【発明の概要】
【０００４】
本発明の実施形態の目的は、データ伝送方法、無線ネットワークノード、および通信システムを提供し、これにより、伝送帯域幅および遅延についての要件が高いという従来技術における問題を解決することである。
【０００５】
上述の技術的問題を解決するために、本発明の実施形態の第１態様は、第１無線ネットワークノードがダウンリンクパケットのベアラタイプを認識する段階と、ベアラタイプがＳＲＢであるとき、第１無線ネットワークノードがダウンリンクパケットを第２無線ネットワークノードへ送信し、これにより、第２無線ネットワークノードは、ＰＤＣＰ層の機能をダウンリンクパケットに対して実行するか、または、ベアラタイプがＤＲＢであるとき、第１無線ネットワークノードが、ダウンリンクパケットに対してＰＤＣＰ層の機能を実行し、処理済みダウンリンクパケットを第２無線ネットワークノードへ送信する段階とを備えるデータ伝送方法を提供する。
【０００６】
第１態様に関連して、第１の可能な実装において、上述の方法はさらに、第１無線ネットワークノードが、第２無線ネットワークノードによって送信されるアップリンクパケットを受信する段階であって、第２無線ネットワークノードは、ＰＨＹ層の機能、ＭＡＣ層の機能、およびＲＬＣ層の機能をアップリンクパケットに対して実行し、アップリンクパケットのベアラタイプはＤＲＢである、段階と、第１無線ネットワークノードが、ＰＤＣＰ層の機能をアップリンクパケットに対して実行し、処理済みアップリンクパケットをコアネットワークへ送信する段階とをさらに備える。
【０００７】
第１態様または第１の可能な実装に関連して、第２の可能な実装において、上述の方法はさらに、第１無線ネットワークノードが、ＤＲＢセキュリティ情報およびＳＲＢセキュリティ情報をコアネットワークから取得し、第１無線ネットワークノードが、ＤＲＢセキュリティ情報を記憶し、ＳＲＢセキュリティ情報を第２無線ネットワークノードへ送信する段階をさらに備え、第１無線ネットワークノードが、ＰＤＣＰ層の機能をダウンリンクパケットに対して実行する段階は、第１無線ネットワークノードが、ＤＲＢセキュリティ情報に従って、ＰＤＣＰ層の機能をダウンリンクパケットに対して実行する段階を有する。
【０００８】
第１態様の第２の可能な実装に関連して、第３の可能な実装において、ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち１つまたは複数を含む。
【０００９】
第１態様に関連して、第４の可能な実装において、第１無線ネットワークノードがダウンリンクパケットのベアラタイプを認識する段階の前に、方法はさらに、第１無線ネットワークノードが、第２無線ネットワークノードによって送信されるユーザ端末識別子および接続要求を受信する段階と、ユーザ端末識別子に対応するユーザ端末が、第２無線ネットワークノードにアクセスするための許可を有するとき、第１無線ネットワークノードが、ユーザ端末識別子を保持するアドミッション指示を第２無線ネットワークノードへ返信する段階であって、アドミッション指示は、ユーザ端末と第２無線ネットワークノードとの間にＳＲＢを確立するようにユーザ端末に命令するために使用される、段階とを備える。
【００１０】
第１態様から第４の可能な実装のいずれか１つに関連して、第５の可能な実装において、上述の方法はさらに、ＵＥがハンドオーバ条件を満たすとき、第１無線ネットワークノードが、第１無線ネットワークノードによって管理される無線ネットワークノードセットの中から、第２無線ネットワークノードを除くターゲット無線ネットワークノードを判定し、ターゲット無線ネットワークノードの識別子を第２無線ネットワークノードへ送信する段階と、第１無線ネットワークノードが、サービスデータの伝送状態パラメータを第２無線ネットワークノードから取得する段階と、ハンドオーバ動作をＵＥが完了した後、第１無線ネットワークノードが、伝送状態パラメータに従って、ターゲット無線ネットワークノードを使用することによってサービスデータをＵＥへ伝送する段階とを備える。
【００１１】
第１態様の第５の可能な実装に関連して、第６の可能な実装において、第１無線ネットワークノードが、第１無線ネットワークノードによって管理される無線ネットワークノードセットの中から、第２無線ネットワークノードを除くターゲット無線ネットワークノードを判定する段階は、第１無線ネットワークノードが、無線ネットワークノードセットにおける各無線ネットワークノードと、ユーザ端末との間のリンク品質パラメータを取得し、ターゲット無線ネットワークノードとして最適なリンク品質パラメータを有する無線ネットワークノードを選択する段階であって、リンク品質パラメータは、ＲＳＲＰ、ＲＳＳＩ、またはＲＳＲＱのうち１つまたは複数を含む、段階を有する。
【００１２】
本発明の実施形態の第２態様は、ダウンリンクパケットのベアラタイプを認識するように構成される識別モジュールと、ベアラタイプがＳＲＢであるとき、第１無線ネットワークノードによって、ダウンリンクパケットを第２無線ネットワークノードへ送信するように構成され、これにより、第２無線ネットワークノードが、ＰＤＣＰ層の機能をダウンリンクパケットに対して実行する、第１送信モジュール、または、ベアラタイプがＤＲＢであるとき、ダウンリンクパケットに対してＰＤＣＰ層の機能を実行し、処理済みダウンリンクパケットを第２無線ネットワークノードへ送信するように構成される第１処理モジュールを備える無線ネットワークノードを提供する。
【００１３】
第２態様に関連して、第１の可能な実装において、上述のノードは、第２無線ネットワークノードによって送信されるアップリンクパケットを受信するように構成される受信モジュールであって、第２無線ネットワークノードにおいて、ＰＨＹ層の機能、ＭＡＣ層の機能、およびＲＬＣ層の機能がアップリンクパケットに対して実行され、アップリンクパケットのベアラタイプはＤＲＢである、受信モジュールと、ＰＤＣＰ層の機能をアップリンクパケットに対して実行し、処理済みアップリンクパケットをコアネットワークへ送信するように構成される第２処理モジュールとをさらに備える。
【００１４】
第２態様または第１の可能な実装に関連して、第２の可能な実装において、上述のノードは、ＤＲＢセキュリティ情報およびＳＲＢセキュリティ情報をコアネットワークから取得するように構成されるセキュリティ情報取得モジュールであって、第１無線ネットワークノードはＤＲＢセキュリティ情報を記憶し、ＳＲＢセキュリティ情報を第２無線ネットワークノードへ送信する、セキュリティ情報取得モジュールをさらに備え、第１処理モジュールは、ＤＲＢセキュリティ情報に従って、ＰＤＣＰ層の機能をダウンリンクパケットに対して実行するように構成される。
【００１５】
第２態様の第２の可能な実装に関連して、第３の可能な実装において、ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち１つまたは複数を含む。
【００１６】
第２態様に関連して、第４の可能な実装において、ノードは、第２無線ネットワークノードによって送信されるユーザ端末識別子および接続要求を受信するように、ならびに、ユーザ端末識別子に対応するユーザ端末が、第２無線ネットワークノードにアクセスするための許可を有するとき、ユーザ端末識別子を保持するアドミッション指示を第２無線ネットワークノードへ返信するように構成されるＳＲＢ確立モジュールをさらに備え、アドミッション指示は、ユーザ端末と第２無線ネットワークノードとの間にＳＲＢを確立するようユーザ端末に命令するために使用される。
【００１７】
第２態様から第４の可能な実装のいずれか１つに関連して、第５の可能な実装において、ノードは、ＵＥがハンドオーバ条件を満たすとき、無線ネットワークノードによって管理される無線ネットワークノードセットの中から、第２無線ネットワークノードを除くターゲット無線ネットワークノードを判定し、ターゲット無線ネットワークノードの識別子を第２無線ネットワークノードへ送信するように、および、サービスデータの伝送状態パラメータを第２無線ネットワークノードから取得するように、および、ハンドオーバ動作をＵＥが完了した後に、伝送状態パラメータに従って、ターゲット無線ネットワークノードを使用することによってサービスデータをＵＥへ伝送するように構成されるハンドオーバモジュールをさらに備える。
【００１８】
第２態様の第５の可能な実装に関連して、第６の可能な実装において、ハンドオーバモジュールは、無線ネットワークノードセットにおける各無線ネットワークノードとユーザ端末との間のリンク品質パラメータを取得するように、および、ターゲット無線ネットワークノードとして最適なリンク品質パラメータを有する無線ネットワークノードを選択するように構成され、リンク品質パラメータは、ＲＳＲＰ、ＲＳＳＩ、またはＲＳＲＱのうち１つまたは複数を含む。
【００１９】
本発明の実施形態の第３の態様は、メモリおよびプロセッサを備える無線ネットワークノードであって、メモリは、第１態様のいずれか１つに係るデータ伝送方法を実装するための命令を記憶し、プロセッサは、第１態様のいずれか１つに係るデータ伝送方法を実装するために、メモリの中の命令を呼び出して実行する無線ネットワークノードを提供する。
【００２０】
本発明の実施形態の第４態様は、データ伝送方法を実行するためにコンピュータデバイスを制御するように構成される記憶媒体であって、方法は、ダウンリンクパケットのベアラタイプを認識する段階と、ベアラタイプがシグナリング無線ベアラＳＲＢであるとき、ダウンリンクパケットを第２無線ネットワークノードへ送信し、これにより、第２無線ネットワークノードが、パケットデータコンバージェンスプロトコルＰＤＣＰ層の機能をダウンリンクパケットに対して実行するか、または、ベアラタイプがデータ無線ベアラＤＲＢであるとき、ＰＤＣＰ層の機能をダウンリンクパケットに対して実行し、処理済みダウンリンクパケットを第２無線ネットワークノードへ送信する段階とを備える、記憶媒体を提供する。
【００２１】
本発明の実施形態の第５態様は、第２無線ネットワークノードが、ユーザ端末によって送信されるアップリンクパケットのベアラタイプを認識する段階と、ベアラタイプがＳＲＢであるとき、第２無線ネットワークノードが、ＰＨＹ層の機能、および、ＰＨＹ層より上の層の機能をアップリンクパケットに対して実行するか、または、ベアラタイプがＤＲＢであるとき、第２無線ネットワークノードが、ＰＨＹ層の機能、ＭＡＣ層の機能、およびＲＬＣ層の機能をアップリンクパケットに対して実行し、処理済みアップリンクパケットを第１無線ネットワークノードへ送信し、これにより、第１無線ネットワークノードが、ＰＤＣＰ層の機能を処理済みアップリンクパケットに対して実行する、段階とを備えるデータ伝送方法を提供する。
【００２２】
第５態様に関連して、第１の可能な実装において、第２無線ネットワークノードが、ＰＨＹ層の機能、およびＰＨＹ層より上の層の機能をアップリンクパケットに対して実行する段階は、第２無線ネットワークノードが、第１無線ネットワークノードによって送信されるＳＲＢセキュリティ情報を受信し、ＳＲＢセキュリティ情報に従って、ＰＤＣＰ層の機能をアップリンクパケットに対して実行する段階を有する。
【００２３】
第５態様または第１の可能な実装に関連して、第２の可能な実装において、方法は、第５無線ネットワークノードが、第１無線ネットワークノードによって送信されるダウンリンクパケットを受信する段階であって、ダウンリンクパケットのベアラタイプがＳＲＢである、段階と、第２無線ネットワークノードが、ＲＲＣ層の機能、およびＲＲＣ層より下の層の機能をダウンリンクパケットに対して実行し、処理済みダウンリンクパケットをユーザ端末へ送信する段階とをさらに備える。
【００２４】
第５態様に関連して、第３の可能な実装において、方法は、第２無線ネットワークノードが、ユーザ端末識別子を保持する、ユーザ端末によって送信される接続要求を第１無線ネットワークノードへ転送する段階と、ユーザ端末がアクセス許可を有すると第１無線ネットワークノードが判定した後に生成されるアドミッション指示を第２無線ネットワークノードが受信する段階であって、アドミッション指示はユーザ端末識別子を保持する、段階と、第２無線ネットワークノードが、アドミッション指示に従って接続確立メッセージを生成し、接続確立メッセージをユーザ端末へ送信し、これにより、ユーザ端末が、接続確立メッセージに従ってＳＲＢを確立し、ＳＲＢの確立に成功した後に接続確立完了メッセージを第２無線ネットワークノードへ返信する段階と、第２無線ネットワークノードが、受信された接続確立完了メッセージを第１無線ネットワークノードへ送信する段階とをさらに備える。
【００２５】
第５態様の第１の可能な実装に関連して、第４の可能な実装において、方法は、ユーザ端末がハンドオーバ条件を満たすとき、ユーザ端末がハンドオーバされる先のターゲット無線ネットワークノードを第２無線ネットワークノードが判定する段階と、第２無線ネットワークノードが、ＳＲＢセキュリティ情報を保持するハンドオーバ要求メッセージをターゲット無線ネットワークノードへ送信し、これにより、ターゲット無線ネットワークノードが、ハンドオーバリソースを準備した後に、ハンドオーバ命令メッセージを第２無線ネットワークノードへ返信する、段階と、第２無線ネットワークノードが、ハンドオーバ命令メッセージをユーザ端末へ転送する段階であって、ハンドオーバ命令メッセージはＳＲＢセキュリティ情報を保持し、これにより、ユーザ端末は、ハンドオーバ動作が完了した後に、ハンドオーバ完了メッセージをターゲット無線ネットワークノードへ返信し、および、ターゲット無線ネットワークアクセスノードは、ハンドオーバ完了メッセージを受信した後に、ＳＲＢセキュリティ情報に従って、セキュリティ保護をシグナリングデータに対して実行する、段階とをさらに備える。
【００２６】
第５態様の第４の可能な実装に関連して、第５の可能な実装において、第２無線ネットワークノードが、ユーザ端末がハンドオーバ条件を満たすことを検出したとき、ユーザ端末がハンドオーバされる先のターゲット無線ネットワークノードを判定する段階は、ユーザ端末の信号搬送波レベルが第１閾値より低いとき、ユーザ端末がハンドオーバ条件を満たすと第２無線ネットワークノードが判定するか、または、ユーザ端末の信号搬送波対干渉波比が第２閾値より低いとき、ユーザ端末がハンドオーバ条件を満たすと第２無線ネットワークノードが判定するか、または、第２無線ネットワークノードとユーザ端末との間の距離が第３閾値より大きいとき、ユーザ端末がハンドオーバ条件を満たすと第２無線ネットワークノードが判定する段階と、第２無線ネットワークノードが、ターゲット無線ネットワークノードのアイデンティティを保持する、第１無線ネットワークノードによって送信されるハンドオーバ指示を受信し、アイデンティティに従ってターゲット無線ネットワークノードを判定する段階とを備える。
【００２７】
本発明の実施形態の第６態様は、ユーザ端末によって送信されるアップリンクパケットのベアラタイプを認識するように構成される識別モジュールと、ベアラタイプがＳＲＢであるとき、ＰＨＹ層の機能、およびＰＨＹ層より上の層の機能をアップリンクパケットに対して実行するように構成される第１処理モジュール、または、ベアラタイプがＤＲＢであるとき、ＰＨＹ層の機能、ＭＡＣ層の機能、およびＲＬＣ層の機能をアップリンクパケットに対して実行し、処理済みアップリンクパケットを第１無線ネットワークノードへ送信するように構成され、これにより、第１無線ネットワークノードが、ＰＤＣＰ層の機能を処理済みアップリンクパケットに対して実行する、第１送信モジュールとを備える無線ネットワークノードを提供する。
【００２８】
第６態様に関連して、第１の可能な実装において、第１処理モジュールは、第１無線ネットワークノードによって送信されるＳＲＢセキュリティ情報を受信し、ＳＲＢセキュリティ情報に従って、ＰＤＣＰ層の機能をアップリンクパケットに対して実行するように構成される。
【００２９】
第６態様または第１の可能な実装に関連して、第２の可能な実装において、ノードは、第１無線ネットワークノードによって送信されるダウンリンクパケットを受信するように構成される、ダウンリンクパケットのベアラタイプはＳＲＢである、受信モジュールと、ＲＲＣ層の機能、およびＲＲＣ層より下の層の機能をダウンリンクパケットに対して実行し、処理済みダウンリンクパケットをユーザ端末へ送信するように構成される第２処理モジュールとをさらに備える。
【００３０】
第６態様に関連して、第４の可能な実装において、ノードは、ユーザ端末識別子を保持する、ユーザ端末によって送信される接続要求を第１無線ネットワークノードへ転送するように、および、ユーザ端末がアクセス許可を有すると第１無線ネットワークノードが判定した後に生成される、ユーザ端末識別子を保持するアドミッション指示を受信するように、および、アドミッション指示に従って接続確立メッセージを生成し、接続確立メッセージをユーザ端末へ送信し、これにより、ユーザ端末は、接続確立メッセージに従ってＳＲＢを確立し、ＳＲＢの確立に成功した後に、接続確立完了メッセージを第２無線ネットワークノードへ返信するように、および、受信された接続確立完了メッセージを第１無線ネットワークノードへ送信するように構成されるＳＲＢ確立モジュールをさらに備える。
【００３１】
第６態様の第１の可能な実装に関連して、第５の可能な実装において、ノードは、ユーザ端末がハンドオーバ条件を満たすとき、ユーザ端末がハンドオーバされる先のターゲット無線ネットワークノードを判定するように、ならびに、ＳＲＢセキュリティ情報を保持するハンドオーバ要求メッセージをターゲット無線ネットワークノードへ送信し、これにより、ターゲット無線ネットワークノードが、ハンドオーバリソースを準備した後に、ハンドオーバ命令メッセージを第２無線ネットワークノードへ返信するように、ならびに、ハンドオーバ命令メッセージをユーザ端末へ転送し、ハンドオーバ命令メッセージはＳＲＢセキュリティ情報を保持し、これにより、ハンドオーバ動作を完了した後に、ユーザ端末がハンドオーバ完了メッセージをターゲット無線ネットワークノードへ返信し、および、ハンドオーバ完了メッセージを受信した後に、ターゲット無線ネットワークアクセスノードが、ＳＲＢセキュリティ情報に従って、シグナリングデータに対してセキュリティ保護を実行するように構成されるハンドオーバモジュールをさらに備える。
【００３２】
第６態様の第５の可能な実装に関連して、第６の可能な実装において、ハンドオーバモジュールは、ユーザ端末の信号搬送波レベルが第１閾値より低いとき、ユーザ端末がハンドオーバ条件を満たすと判定するか、または、ユーザ端末の信号搬送波対干渉波比が第２閾値より低いとき、ユーザ端末がハンドオーバ条件を満たすと判定するか、または、無線ネットワークノードとユーザ端末との間の距離が第３閾値より大きいとき、ユーザ端末がハンドオーバ条件を満たすと判定するように、および、ターゲット無線ネットワークノードのアイデンティティを保持する、第１無線ネットワークノードによって送信されるハンドオーバ指示を受信し、アイデンティティに従って、ターゲット無線ネットワークノードを判定するように構成される。
【００３３】
本発明の実施形態の第７態様は、メモリおよびプロセッサを備え、メモリは、第５態様のいずれか１つに係るデータ伝送方法を実装するための命令を記憶し、プロセッサは、第５態様のいずれか１つに係るデータ伝送方法を実装するために、メモリの中の命令を呼び出して実行する、無線ネットワークノードを提供する。
【００３４】
本発明の実施形態の第８態様は、データ伝送方法を実行するためにコンピュータデバイスを制御するように構成される記憶媒体であって、方法は、
ユーザ端末によって送信されるアップリンクパケットのベアラタイプを認識する段階と、ベアラタイプがＳＲＢであるとき、ＰＨＹ層の機能、およびＰＨＹ層より上の層の機能をアップリンクパケットに対して実行し、または、ベアラタイプがＤＲＢであるとき、ＰＨＹ層の機能、ＭＡＣ層の機能、およびＲＬＣ層の機能をアップリンクパケットに対して実行し、処理済みアップリンクパケットを第１無線ネットワークノードへ送信し、これにより、第１無線ネットワークノードは、ＰＤＣＰ層の機能を処理済みアップリンクパケットに対して実行する、段階とを備える、記憶媒体を提供する。
【００３５】
本発明の実施形態の第９態様は、第１無線ネットワークノードが、第２無線ネットワークデバイスによって送信されるアップリンクパケットを受信し、アップリンクパケットは、ユーザ端末のアイデンティティ情報と、ベアラタイプについての情報と、ベアラのアイデンティティ情報とを示す第１指示情報を保持する、段階と、第１無線ネットワークノードが、第１指示情報に従って、アップリンクパケットに対応する、ユーザ端末、ベアラタイプ、およびベアラを認識する段階と、第１無線ネットワークノードが、ＰＤＣＰ層の機能をアップリンクパケットに対して実行する段階とを備えるデータ伝送方法を提供する。
【００３６】
第９態様に関連して、第１の可能な実装において、第１無線ネットワークノードが、ＰＤＣＰ層の機能をアップリンクパケットに対して実装する段階は、第１無線ネットワークノードが、アップリンクパケットのベアラタイプを認識する段階と、アップリンクパケットのベアラタイプがＤＲＢであるとき、ＤＲＢセキュリティ情報に従って、ＰＤＣＰ層の機能を第２パケットに対して実行し、処理済みアップリンクパケットをコアネットワークへ送信するか、または、アップリンクパケットのベアラタイプがＳＲＢであるとき、ＳＲＢセキュリティ情報に従って、ＰＤＣＰ層の機能、およびＲＲＣ層の機能を第２パケットに対して実行する段階とを備える。
【００３７】
第９態様の第１の可能な実装に関連して、第２の可能な実装において、方法は、第１無線ネットワークノードが、コアネットワークによって送信されるダウンリンクパケットを受信する段階であって、ダウンリンクパケットは、ユーザ端末のアイデンティティ情報と、ベアラタイプについての情報と、ベアラのアイデンティティ情報とを示す第２指示情報を保持する、段階と、第１無線ネットワークノードが、ＲＲＣ層の機能と、ＰＤＣＰ層の機能とをパケットに対して実装し、処理済みダウンリンクパケットを第２無線ネットワークノードへ送信し、これにより、第２無線ネットワークノードは、第２指示情報に従って、ダウンリンクパケットの、ユーザ端末、ベアラタイプ、およびベアラを認識する段階とをさらに備える。
【００３８】
第９態様から第２の可能な実装のいずれか１つに関連して、第３の可能な実装において、方法は、ユーザ端末がハンドオーバ条件を満たすとき、第１無線ネットワークノードが、ユーザ端末がハンドオーバされる先のターゲット無線ネットワークノードを判定し、第２無線ネットワークノードのＵＥコンテキスト情報を取得する段階と、第１無線ネットワークノードが、ＵＥコンテキスト情報を保持するハンドオーバ要求メッセージをターゲット無線ネットワークノードへ送信し、これにより、ターゲット無線ネットワークノードが、ユーザ端末がアクセス許可を有すると判定し、かつ、ハンドオーバリソースを準備した後に、ハンドオーバ応答メッセージを第１無線ネットワークノードへ返信する段階と、第１無線ネットワークノードが、ターゲット無線ネットワークノードによって返信されるハンドオーバ応答メッセージを受信し、ハンドオーバ応答メッセージを第２無線ネットワークノードへ転送し、これにより、第２無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用される、段階とをさらに備える。
【００３９】
第９態様から第２の可能な実装のいずれか１つに関連して、第４の可能な実装において、方法は、ＵＥがハンドオーバ条件を満たすとき、ユーザ端末がハンドオーバされる先のターゲット無線ネットワークノードを第１無線ネットワークノードが判定する段階と、第１無線ネットワークノードが、ターゲット無線ネットワークノードの識別子を保持するハンドオーバ指示メッセージを第２無線ネットワークノードへ送信する段階であって、ハンドオーバ指示メッセージは、ユーザ端末のＵＥコンテキスト情報を取得するように、および、ＵＥコンテキスト情報を保持するハンドオーバ要件メッセージを第１無線ネットワークノードへ送信するように無線ネットワークノードに命令するために使用される、段階と、第１無線ネットワークノードは、ハンドオーバ要件メッセージに従って、ハンドオーバ要求メッセージをターゲット無線ネットワークノードへ送信し、これにより、ターゲット無線ネットワークノードが、アクセス許可をユーザ端末が有すると判定した後に、ハンドオーバ応答メッセージを第１無線ネットワークノードへ返信する段階と、ターゲット無線ネットワークノードによって返信されるハンドオーバ応答メッセージを受信した後に、第１無線ネットワークノードが、ハンドオーバ応答メッセージを第２無線ネットワークノードへ送信し、これにより、無線ネットワークノードは、ハンドオーバ応答メッセージに従って、ハンドオーバ命令メッセージをユーザ端末へ送信する段階であって、ハンドオーバ命令メッセージは、ハンドオーバ動作を完了するようにユーザ端末に命令するために使用される、段階とをさらに備える。
【００４０】
本発明の実施形態の第１０態様は、第２無線ネットワークデバイスによって送信されるアップリンクパケットを受信するように構成され、アップリンクパケットは、ユーザ端末のアイデンティティ情報を示す第１指示情報と、ベアラタイプについての情報と、ベアラのアイデンティティ情報とを保持する、第１受信モジュールと、第１指示情報に従って、アップリンクパケットに対応する、ユーザ端末、ベアラタイプ、およびベアラを認識するように構成される識別モジュールと、ＰＤＣＰ層の機能をアップリンクパケットに対して実行するように構成される第１処理モジュールとを備える無線ネットワークノードを提供する。
【００４１】
第１０態様に関連して、第１の可能な実装において、第１処理モジュールは、アップリンクパケットのベアラタイプを認識するように、ならびに、アップリンクパケットのベアラタイプがＤＲＢであるとき、ＤＲＢセキュリティ情報に従ってＰＤＣＰ層の機能を第２パケットに対して実行し、処理済みアップリンクパケットをコアネットワークへ送信するか、または、アップリンクパケットのベアラタイプがＳＲＢであるとき、ＳＲＢセキュリティ情報に従って、ＰＤＣＰ層の機能、およびＲＲＣ層の機能を第２パケットに対して実行するように構成される。
【００４２】
第１０態様または第１の可能な実装に関連して、第２の可能な実装において、ノードは、コアネットワークによって送信されるダウンリンクパケットを受信するように構成され、ダウンリンクパケットは、ユーザ端末のアイデンティティ情報と、ベアラタイプについての情報と、ベアラのアイデンティティ情報とを示す第２指示情報を保持する、第２受信モジュールと、ＲＲＣ層の機能、およびＰＤＣＰ層の機能をパケットに対して実装し、処理済みダウンリンクパケットを第２無線ネットワークノードへ送信するように構成され、これにより、第２無線ネットワークノードは、第２指示情報に従って、ダウンリンクパケットの、ユーザ端末、ベアラタイプ、およびベアラを認識する、第２処理モジュールとをさらに備える。
【００４３】
第１０態様から第２の可能な実装のいずれか１つに関連して、第３の可能な実装において、ノードは、ユーザ端末がハンドオーバ条件を満たすとき、ユーザ端末がハンドオーバされる先のターゲット無線ネットワークノードを判定し、第２無線ネットワークノードのＵＥコンテキスト情報を取得するように、および、ＵＥコンテキスト情報を保持するハンドオーバ要求メッセージをターゲット無線ネットワークノードへ送信し、これにより、ターゲット無線ネットワークノードが、アクセス許可をユーザ端末が有すると判定し、かつ、ハンドオーバリソースを準備した後に、ハンドオーバ応答メッセージを第１無線ネットワークノードへ返信するように、および、ターゲット無線ネットワークノードによって返信されるハンドオーバ応答メッセージを受信し、ハンドオーバ応答メッセージを第２無線ネットワークノードへ転送し、これにより、第２無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される第１ハンドオーバモジュールをさらに備える。
【００４４】
第１０態様から第２の可能な実装のいずれか１つに関連して、第４の可能な実装において、ノードは、ＵＥがハンドオーバ条件を満たすとき、ユーザ端末がハンドオーバされる先のターゲット無線ネットワークノードを判定するように、および、ターゲット無線ネットワークノードの識別子を保持するハンドオーバ指示メッセージを第２無線ネットワークノードへ送信し、ハンドオーバ指示メッセージは、ユーザ端末のＵＥコンテキスト情報を取得するように、および、ＵＥコンテキスト情報を保持するハンドオーバ要件メッセージを第１無線ネットワークノードへ送信するように無線ネットワークノードに命令するために使用されるように、および、ハンドオーバ要件メッセージに従って、ハンドオーバ要求メッセージをターゲット無線ネットワークノードへ送信し、これにより、ターゲット無線ネットワークノードが、アクセス許可をユーザ端末が有すると判定した後に、ハンドオーバ応答メッセージを第１無線ネットワークノードへ返信するように、および、ターゲット無線ネットワークノードによって返信されるハンドオーバ応答メッセージを受信した後に、ハンドオーバ応答メッセージを第２無線ネットワークノードへ送信し、これにより、無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される第２ハンドオーバモジュールをさらに備える。
【００４５】
本発明の実施形態の第１１態様は、メモリおよびプロセッサを備える無線ネットワークノードであって、メモリは、第９態様のいずれか１つに係るデータ伝送方法を実装するための命令を記憶し、プロセッサは、第９態様のいずれか１つに係るデータ伝送方法を実装するために、メモリの中の命令を呼び出して実行する、無線ネットワークノードを提供する。
【００４６】
本発明の実施形態の第１２態様は、データ伝送方法を実行するためにコンピュータデバイスを制御するように構成される記憶媒体であって、方法は、第２無線ネットワークデバイスによって送信されるアップリンクパケットを受信する段階であって、アップリンクパケットは、ユーザ端末のアイデンティティ情報と、ベアラタイプについての情報と、ベアラのアイデンティティ情報とを示す第１指示情報を保持する、段階と、第１指示情報に従って、アップリンクパケットに対応する、ユーザ端末、ベアラタイプ、およびベアラを認識する段階と、ＰＤＣＰ層の機能をアップリンクパケットに対して実行する段階とを備える、記憶媒体を提供する。
【００４７】
本発明の実施形態の第１３態様は、第２無線ネットワークノードが、第１無線ネットワークノードによって送信されるダウンリンクパケットを受信する段階であって、ダウンリンクパケットは、ユーザ端末のアイデンティティ情報と、ベアラタイプについての情報と、ベアラのアイデンティティ情報とを示す第１指示情報を保持する、段階と、第２無線ネットワークノードが、第１指示情報に従って、ダウンリンクパケットに対応する、ユーザ端末、ベアラタイプ、およびベアラを認識する段階と、第２無線ネットワークノードが、ＰＤＣＰ層より下の層の機能をダウンリンクパケットに対して実行する段階とを備えるデータ伝送方法を提供する。
【００４８】
第１３態様に関連して、第１の可能な実装において、方法は、第２無線ネットワークノードが、ユーザ端末によって送信されるアップリンクパケットを受信する段階であって、アップリンクパケットは、ユーザ端末のアイデンティティ情報と、ベアラタイプについての情報と、ベアラのアイデンティティ情報とを示す第２指示情報を保持する、段階と、第２無線ネットワークノードが、ＰＤＣＰ層より下の層の機能をアップリンクパケットに対して実行し、処理済みアップリンクパケットを第１無線ネットワークノードへ送信し、これにより、第１無線ネットワークノードは、ＰＤＣＰ層の機能を処理済みアップリンクパケットに対して実行する段階とをさらに備える。
【００４９】
第１３態様または第１の可能な実装に関連して、第２の可能な実装において、方法は、第２無線ネットワークノードが、ユーザ端末によって送信される測定報告を第１無線ネットワークノードへ転送し、これにより、第１無線ネットワークノードが、測定報告に従って、ユーザ端末がハンドオーバ条件を満たすことを検出したとき、第１無線ネットワークノードが、ユーザ端末がハンドオーバされる先のターゲット無線ネットワークノードを判定し、第１無線ネットワークノードが、ターゲット無線ネットワークノードのアイデンティティを保持するハンドオーバ指示を第２無線ネットワークノードへ返信する段階と、第２無線ネットワークノードが、ターゲット無線ネットワークノードのアイデンティティを保持するハンドオーバ指示を受信した後に、ユーザ端末のＵＥコンテキスト情報を取得し、ＵＥコンテキスト情報を保持するハンドオーバ要件メッセージを第１無線ネットワークノードへ送信する段階とをさらに備える。
【００５０】
本発明の実施形態の第１４態様は、第１無線ネットワークノードによって送信されるダウンリンクパケットを受信するように構成され、ダウンリンクパケットは、ユーザ端末のアイデンティティ情報と、ベアラタイプについての情報と、ベアラのアイデンティティ情報とを示す第１指示情報保持する、第１受信モジュールと、第１指示情報に従って、ダウンリンクパケットに対応する、ユーザ端末、ベアラタイプ、およびベアラを認識するように構成される識別モジュールと、ＰＤＣＰ層より下の層の機能をダウンリンクパケットに対して実行するように構成される第１処理モジュールとを備える無線ネットワークノードを提供する。
【００５１】
第８態様に関連して、第１の可能な実装において、ノードは、ユーザ端末によって送信されるアップリンクパケットを受信するように構成され、アップリンクパケットは、ユーザ端末のアイデンティティ情報と、ベアラタイプについての情報と、ベアラのアイデンティティ情報とを示す第２指示情報を保持する、第２受信モジュールと、ＰＤＣＰ層より下の層の機能をアップリンクパケットに対して実行し、処理済みアップリンクパケットを第１無線ネットワークノードへ送信するように構成され、これにより、第１無線ネットワークノードは、ＰＤＣＰ層の機能を処理済みアップリンクパケットに対して実行する、第２処理モジュールとをさらに備える。
【００５２】
第１４態様または第１の可能な実装に関連して、第２の可能な実装において、ノードは、ユーザ端末によって送信される測定報告を第１無線ネットワークノードへ転送し、これにより、ユーザ端末がハンドオーバ条件を満たすことを第１無線ネットワークノードが測定報告に従って検出するとき、ユーザ端末がハンドオーバされる先のターゲット無線ネットワークノードを第１無線ネットワークノードが判定し、第１無線ネットワークノードが、ターゲット無線ネットワークノードのアイデンティティを保持するハンドオーバ指示を第２無線ネットワークノードへ返信するように、および、ターゲット無線ネットワークノードのアイデンティティを保持するハンドオーバ指示を受信した後に、ユーザ端末のＵＥコンテキスト情報を取得し、ＵＥコンテキスト情報を保持するハンドオーバ要件メッセージを第１無線ネットワークノードへ送信するように構成されるハンドオーバモジュールをさらに備える。
【００５３】
本発明の実施形態の第１５態様は、メモリおよびプロセッサを備える無線ネットワークノードであって、メモリは、第３態様のいずれか１つに係るデータ伝送方法を実装するための命令を記憶しプロセッサは、第３態様のいずれか１つに係るデータ伝送方法を実装するために、メモリの中の命令を呼び出して実行する、無線ネットワークノードを提供する。
【００５４】
本発明の実施形態の第１６態様は、データ伝送方法を実行するためにコンピュータデバイスを制御するように構成される記憶媒体であって、方法は、第１無線ネットワークノードによって送信されるダウンリンクパケットを受信する段階であって、ダウンリンクパケットは、ユーザ端末のアイデンティティ情報と、ベアラタイプについての情報と、ベアラのアイデンティティ情報とを示す第１指示情報を保持する、段階と、第１指示情報に従って、ダウンリンクパケットに対応する、ユーザ端末、ベアラタイプ、およびベアラを認識する段階と、ＰＤＣＰ層より下の層の機能をダウンリンクパケットに対して実行する段階とを備える、記憶媒体を提供する。
【００５５】
本発明の実装は、以下の有益な効果を有する。
【００５６】
第１無線ネットワークノードおよび第２無線ネットワークノードの層が再分割される。第１無線ネットワークノードは、ＤＲＢの中に保持されるサービスデータに対するセキュリティ保護の実行を担い、無線ネットワークノードは、ＳＲＢの中に保持されるシグナリングデータに対するセキュリティ保護の実行を担う。代替的に、第１無線ネットワークノードは、ＲＲＣ層およびＰＤＣＰ層の処理を担い、第２無線ネットワークノードは、ＰＤＣＰ層より下の層の処理を担う。従来技術におけるＣＰＲＩインタフェースと比較して、この構造により、２つのネットワークノード間で伝送されるデータ量が減少し、これにより、２つのネットワークノード間の伝送帯域幅および遅延についての要件が低下する。
【図面の簡単な説明】
【００５７】
本発明の実施形態または従来技術における技術的解決法をより明確に説明すべく、実施形態を説明するために必要な添付図面を以下で簡潔に説明する。以下の説明における添付図面は、本発明のいくつかの実施形態を示しているに過ぎず、当業者ならば、創造的努力なく、これらの添付図面から他の図面をさらに導き出し得ることは明らかである。
【００５８】
【図１】本発明の実施形態に係るネットワークの構造図である。
【００５９】
【図２】本発明の実施形態に係る基地局の概略構造図である。
【００６０】
【図３】本発明の実施形態に係る基地局の別の概略構造図である。
【００６１】
【図４】本発明の第１実施形態に係るデータ伝送方法の概略フローチャートである。
【００６２】
【図５】本発明の第２実施形態に係るデータ伝送方法の概略フローチャートである。
【００６３】
【図６】本発明の第３実施形態に係るデータ伝送方法の概略フローチャートである。
【００６４】
【図７】本発明の第１実施形態に係るＵＥハンドオーバ方法の概略フローチャートである。
【００６５】
【図８】本発明の第４実施形態に係るデータ伝送方法の概略フローチャートである。
【００６６】
【図９】本発明の第５実施形態に係るデータ伝送方法の概略フローチャートである。
【００６７】
【図１０Ａ】本発明の第６実施形態に係るデータ伝送方法の概略フローチャートである。
【図１０Ｂ】本発明の第６実施形態に係るデータ伝送方法の概略フローチャートである。
【００６８】
【図１１】本発明の第２実施形態に係るＵＥハンドオーバ方法の概略フローチャートである。
【００６９】
【図１２】本発明の第３実施形態に係るＵＥハンドオーバ方法の概略フローチャートである。
【００７０】
【図１３】本発明の第１実施形態に係る無線ネットワークノードの概略構造図である。
【００７１】
【図１４】本発明の第２実施形態に係る無線ネットワークノードの概略構造図である。
【００７２】
【図１５】本発明の第３実施形態に係る無線ネットワークノードの概略構造図である。
【００７３】
【図１６】本発明の第４実施形態に係る無線ネットワークノードの概略構造図である。
【００７４】
【図１７】本発明の第５実施形態に係る無線ネットワークノードの概略構造図である。
【００７５】
【図１８】本発明の第６実施形態に係る無線ネットワークノードの概略構造図である。
【００７６】
【図１９】本発明の第７実施形態に係る無線ネットワークノードの概略構造図である。
【００７７】
【図２０】本発明の第８実施形態に係る無線ネットワークノードの概略構造図である。
【発明を実施するための形態】
【００７８】
本発明の実施形態における添付図面に関連して、本発明の実施形態における技術的解決法を以下で明確かつ完全に説明する。説明される実施形態は、本発明の実施形態のいくつかに過ぎず、すべてではないことは明らかである。創造的努力なく本発明の実施形態に基づいて当業者によって得られる他のすべての実施形態は、本発明の保護範囲内に当然に含まれる。
【００７９】
図１を参照すると、図１は、本発明の実施形態に係る、ＬＴＥ（Ｌｏｎｇ  Ｔｅｒｍ  Ｅｖｏｌｕｔｉｏｎ、ロングタームエボリューション、略称：ＬＴＥ）ベースのネットワークの構造図である。アクセスネットワークは、ＲＣおよびＲＡＰクラスタを含む。ＲＣ（Ｒａｄｉｏ  Ａｃｃｅｓｓ  Ｎｅｔｗｏｒｋ  Ｃｏｎｔｒｏｌｌｅｒ、無線アクセスネットワークコントローラ、略称：ＲＣ）は、ＲＡＰ（Ｒａｄｉｏ  Ａｃｃｅｓｓ  Ｐｏｉｎｔ、無線アクセスポイント、略称：ＲＡＰ）クラスタを管理する。ＲＡＰクラスタは少なくとも１つのＲＡＰを含む。ＲＣは、ＴＮ（Ｔｒａｎｓｐｏｒｔａｔｉｏｎ  Ｎｅｔｗｏｒｋ、トランスポーテーションネットワーク、略称：ＴＮ）を使用することによって、ＲＡＰクラスタに接続される。ＵＥは、ＲＡＰクラスタにおける少なくとも１つのＲＡＰに接続される。ＲＣは、Ｓ１インタフェースを使用することによってコアネットワークに接続される。コアネットワークは、モビリティ管理エンティティＭＭＥ、サービングゲートウェイＳＧＷ、およびパケットデータネットワークゲートウェイＰＧＷを含む。コアネットワークの制御プレーンおよびユーザプレーンは分離している。制御プレーン上で、ＭＭＥは、Ｓ１‐ＭＭＥインタフェースを使用することによってＲＣに接続される。ユーザプレーン上で、ＳＧＷは、Ｓ１‐Ｕインタフェースを使用することによってＲＣに接続される。ＲＣ、および管理されるＲＡＰクラスタは、ＬＴＥネットワークアーキテクチャにおけるｅＮｏｄｅＢ（ｅｖｏｌｖｅｄ  Ｎｏｄｅ  Ｂ、発展型ノードＢ）と同等である。ＲＣは、Ｘ２インタフェースを使用することによってｅＮｏｄｅＢに接続される。ｅＮｏｄｅＢは、Ｓ１インタフェースを使用することによってコアネットワークに接続される。ＵＥは、ＲＡＰクラスタにおけるＲＡＰを使用することによってコアネットワークにアクセスする。
【００８０】
上述のＬＴＥ通信規格に加えて、本発明は、ＧＳＭ（登録商標）（Ｇｌｏｂａｌ  Ｓｙｓｔｅｍ  ｏｆ  Ｍｏｂｉｌｅ  ｃｏｍｍｕｎｉｃａｔｉｏｎ、モバイル通信のグローバルシステム）もしくはＣＤＭＡ（Ｃｏｄｅ  Ｄｉｖｉｓｉｏｎ  Ｍｕｌｔｉｐｌｅ  Ａｃｃｅｓｓ、符号分割多重アクセス）に適用され得るか、または、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多重接続）もしくは将来の５Ｇネットワーク規格に適用され得るか、または、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）、マイクロ波アクセスのための世界規模の相互互換性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ（登録商標））、ブルートゥース（登録商標）、もしくは赤外線などの別の通信規格に適用され得る。
【００８１】
図２を参照すると、図２は、本発明の実施形態に係る基地局の概略構造図である。本発明のこの実施形態において、発展型ノードＢは、第１無線ネットワークノードおよび無線ネットワークノードを備える。第１無線ネットワークノードは、第１ＲＲＣ（Ｒａｄｉｏ  Ｒｅｓｏｕｒｃｅ  Ｃｏｎｔｒｏｌ、無線リソース制御、略称：ＲＲＣ）副層および第１ＰＤＣＰ（Ｐａｃｋｅｔ  Ｄａｔａ  Ｃｏｎｖｅｒｇｅｎｃｅ  Ｐｒｏｔｏｃｏｌ、パケットデータコンバージェンスプロトコル、略称：ＰＤＣＰ）副層に対応する機能を備える。無線ネットワークノードは、第２ＲＲＣ副層、第２ＰＤＣＰ副層、ＲＬＣ（Ｒａｄｉｏ  Ｌｉｎｋ  Ｃｏｎｔｒｏｌ、無線リンク制御、略称：ＲＬＣ）層、ＭＡＣ（Ｍｅｄｉａ  Ａｃｃｅｓｓ  Ｃｏｎｔｒｏｌ、媒体アクセス制御、略称：ＭＡＣ）層、およびＰＨＹ（Ｐｈｙｓｉｃａｌ、物理、略称：ＰＨＹ）層に対応する機能を備える。第１ＲＲＣ副層および第２ＲＲＣ副層は、ＲＲＣ層を形成する。第１ＲＲＣ副層の機能は、グローバルＲＲＣ構成管理である。第２ＲＲＣ副層の機能は、ＳＲＢ（Ｓｉｇｎａｌｉｎｇ  Ｒａｄｉｏ  Ｂｅａｒｅｒｓ、シグナリング無線ベアラ、略称：ＳＲＢ）の生成、送信、および受信、ならびにローカルＲＲＣ構成管理である。第１ＰＤＣＰ副層の機能は、ＤＲＢ（Ｄａｔａ  Ｒａｄｉｏ  Ｂｅａｒｅｒｓ、データ無線ベアラ、略称：ＤＲＢ）処理である。第２ＰＤＣＰ副層の機能は、ＳＲＢ処理である。既存のＲＲＨ（Ｒｅｍｏｔｅ  Ｒａｄｉｏ  Ｈｅａｄ、リモート無線ヘッド、略称：ＲＲＨ）リモート方式におけるリモートインタフェースと比較すると、本発明のこの実施形態における基地局の構造では、ＲＣとＲＡＰとの間の伝送のためのインタフェースを使用することによって伝送されるデータ量が減少する。このことは、ＲＣ（Ｒａｄｉｏ  ａｃｃｅｓｓ  ｎｅｔｗｏｒｋ  Ｃｏｎｔｒｏｌｌｅｒ、無線アクセスネットワークコントローラ、略称：ＲＣ）とＲＡＰ（Ｒａｄｉｏ  Ａｃｃｅｓｓ  Ｐｏｉｎｔ、無線アクセスポイント、略称：ＲＡＰ）との間で交換されるデータ量を減少させることを助ける。従って、伝送帯域幅および遅延についての要件が緩くなる。
【００８２】
図３を参照すると、図３は、本発明の実施形態に係る基地局の概略構造図である。本発明のこの実施形態において、発展型ノードＢは、第１無線ネットワークノードおよび第２無線ネットワークノードを備える。第１無線ネットワークノードは、ＲＲＣ層およびＰＤＣＰ層を備え、ＲＲＣ層およびＰＤＣＰ層に対応する機能を実装するように構成される。無線ネットワークノードは、ＲＬＣ層、ＭＡＣ層、およびＰＨＹ層を備え、ＲＬＣ層、ＭＡＣ層、およびＰＨＹ層に対応する機能を実装するように構成される。ＰＤＣＰ層に対応する機能は、ヘッダ圧縮、セキュリティ、および並べ替えを含む。ＲＬＣ層に対応する機能は、セグメント化、カスケード化、および自動再送要求（ＡＲＱ、ａｕｔｏｍａｔｉｃ  ｒｅｐｅａｔ  ｒｅｑｕｅｓｔ）を含む。ＭＡＣ層に対応する機能は、スケジューリング、論理チャネル優先処理、ＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）、および同様のものを含む。ＰＨＹ層に対応する機能は、変調および復調、符号化、ならびにマルチアンテナマッピングを含む。既存のＲＲＨリモート方式におけるリモートインタフェースと比較すると、本発明のこの実施形態における基地局の構造では、ＲＣとＲＡＰとの間の伝送のためのインタフェースを使用することによって伝送されるデータ量が減少する。このことは、ＲＣとＲＡＰとの間で交換されるデータ量を減少させることを助ける。従って、伝送帯域幅および遅延についての要件が緩くなる。
【００８３】
図４を参照すると、図４は、本発明の第１実施形態に係るデータ伝送方法の概略フローチャートである。本発明のこの実施形態において、本発明のこの実施形態に係るデータ保護方法は、図２におけるネットワークアーキテクチャを使用することによって実装される。方法は、以下の段階を備える。
【００８４】
Ｓ４０１：第１無線ネットワークノードは、ダウンリンクパケットのベアラタイプを認識する。
【００８５】
具体的には、第１無線ネットワークノードは、コアネットワークによって発行されるダウンリンクパケットを受信する。ダウンリンクパケットのベアラタイプは、ＳＲＢまたはＤＲＢである。すなわち、ダウンリンクパケットは、サービスデータまたはシグナリングデータである。第１無線ネットワークノードは、ダウンリンクパケットの中に保持されるベアラタイプ識別子に従って、ダウンリンクパケットのベアラタイプを認識し得る。
【００８６】
Ｓ４０２：ベアラタイプがＳＲＢであるとき、第１無線ネットワークノードは、ダウンリンクパケットを第２無線ネットワークノードへ送信し、これにより、第２無線ネットワークノードは、ＰＤＣＰ層処理をダウンリンクパケットに対して実行する。
【００８７】
具体的には、ダウンリンクパケットのベアラタイプがＳＲＢである場合、すなわち、ダウンリンクパケットがシグナリングデータである場合、第１無線ネットワークノードは、シグナリングデータを処理しない。第１無線ネットワークノードは、ダウンリンクパケットを第２無線ネットワークノードへ転送し、第２無線ネットワークノードのＲＲＣ層は、ダウンリンクパケットがシグナリングデータであることを認識し、次に、第２無線ネットワークノードのＰＤＣＰ層、ＲＬＣ層、ＭＡＣ層、およびＰＨＹ層は、ダウンリンクパケットを個別に処理し、第２無線ネットワークノードは、処理済みダウンリンクパケットをユーザ端末へ送信する。
【００８８】
Ｓ４０３：ベアラタイプがＤＲＢであるとき、第１無線ネットワークノードは、ダウンリンクパケットに対してＰＤＣＰ層処理を実行し、処理済みダウンリンクパケットを第２無線ネットワークノードへ送信する。
【００８９】
具体的には、ダウンリンクパケットのベアラタイプがＤＲＢである、すなわち、ダウンリンクパケットがサービスデータである場合、第１無線ネットワークノードは、ＰＤＣＰ層処理をダウンリンクパケットに対して実行する。ＰＤＣＰ層処理は、ヘッダ圧縮、セキュリティ、または並べ替えのうち１つまたは複数を含む。第１無線ネットワークノードは、ＰＤＣＰ層処理の後に取得されるダウンリンクパケットを第２無線ネットワークノードへ送信し、第２無線ネットワークノードは続けて、ＲＬＣ層処理、ＭＡＣ層処理、およびＰＨＹ層処理をダウンリンクパケットに対して実行し、第２無線ネットワークノードは、上述の処理が完了した後に、処理済みダウンリンクパケットをユーザ端末へ送信する。
【００９０】
任意で、第１無線ネットワークノードは、第２無線ネットワークノードによって送信されるアップリンクパケットを受信する。第２無線ネットワークノードにおいて、ＰＨＹ層処理、ＭＡＣ層処理、およびＲＬＣ層処理がアップリンクパケットに対して実装され、アップリンクパケットのベアラタイプはＤＲＢである。
【００９１】
第１無線ネットワークノードは、ＰＤＣＰ層処理をアップリンクパケットに対して実行し、処理済みアップリンクパケットをコアネットワークへ送信する。
【００９２】
具体的には、第２無線ネットワークノードは、シグナリングデータの処理を担い、第１無線ネットワークノードは、サービスデータの処理を担う。第２無線ネットワークノードは、ユーザ端末によって送信されるアップリンクパケットを受信し、ＰＨＹ層処理、ＭＡＣ層処理、およびＲＬＣ層処理をアップリンクパケットに対して実行し、アップリンクパケットのベアラタイプがＤＲＢであることを認識した後に、処理済みアップリンクパケットを第１無線ネットワークノードへ送信し、第１無線ネットワークノードは続けて、ＰＤＣＰ層処理をアップリンクパケットに対して実行する。第１無線ネットワークノードがＰＤＣＰ層処理をアップリンクパケットに対して実行することは、取得されたＤＲＢセキュリティ情報に従って、セキュリティ処理をアップリンクパケットに対して実行することを含む。
【００９３】
任意で、方法は、第１無線ネットワークノードが、ＤＲＢセキュリティ情報およびＳＲＢセキュリティ情報をコアネットワークから取得する段階と、第１無線ネットワークノードが、ＳＲＢセキュリティ情報を第２無線ネットワークノードへ送信する段階とをさらに備え、第１無線ネットワークノードが、ＰＤＣＰ層処理をダウンリンクパケットに対して実行する段階は、第１無線ネットワークノードが、ＤＲＢセキュリティ情報に従って、ＰＤＣＰ層処理をダウンリンクパケットに対して実行する段階を有する。
【００９４】
具体的には、第１無線ネットワークノードは、ＤＲＢセキュリティ情報を使用することによって、ＰＤＣＰ層処理をサービスデータに対して実行する、すなわち、ベアラタイプがＤＲＢであるパケットに対してセキュリティ保護を実行する。第１無線ネットワークノードは、ＳＲＢセキュリティ情報を第２無線ネットワークノードへ送信し、第２無線ネットワークノードは、ＰＤＣＰ層処理をシグナリングデータに対して実行する。
【００９５】
ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち少なくとも１つを含む。完全性保護アルゴリズムは、冗長情報をメッセージに追加してメッセージの完全性を保護するために使用される。完全性確認アルゴリズムは、メッセージの中の冗長情報に従って、メッセージが変更されたかどうかを判定するために使用される。暗号化アルゴリズムは、メッセージを暗号化して暗号化テキストを生成するために使用され、暗号化中には暗号化鍵が使用される。復号化アルゴリズムは、暗号化テキストを解読して平文を生成するために使用され、復号中には復号化鍵が使用される。完全性保護アルゴリズムおよび完全性確認アルゴリズムは、同一のアルゴリズムであり得る。暗号化アルゴリズムおよび復号化アルゴリズムも、同一のアルゴリズムであり得る。完全性保護中に使用される鍵と、完全性確認中に使用される鍵と、暗号化中に使用される暗号化鍵と、復号化中に使用される復号化鍵とは、同一のセキュリティキーであり得るか、または、同一のセキュリティキーに基づいて得られる異なるセキュリティキーであり得る。
【００９６】
ＳＲＢセキュリティ情報およびＤＲＢセキュリティ情報は、コアネットワークから取得され得るか、または、別のネットワークノードから取得され得ることを理解されたい。これは、本発明において、限定されるものではない。
【００９７】
本発明のこの実施形態の実装中、第１無線ネットワークノードは、ＤＲＢの中に保持されるサービスデータに対するセキュリティ保護の実行を担い、無線ネットワークノードは、ＳＲＢの中に保持されるシグナリングデータに対するセキュリティ保護の実行を担う。第１無線ネットワークノードおよび無線ネットワークノードの役割分担により、第１無線ネットワークノードと無線ネットワークノードとの間で伝送されるデータ量が減少し得て、これにより、第１無線ネットワークノードと無線ネットワークノードとの間の伝送帯域幅についての要件が下がり、基礎構成が迅速に完了し、最大限のサービス連続性が保証される。
【００９８】
図５を参照すると、図５は、本発明の第２実施形態に係るデータ伝送方法の概略フローチャートである。本発明のこの実施形態において、方法は、以下の段階を備える。
【００９９】
Ｓ５０１：第２無線ネットワークノードは、ＵＥによって送信されるアップリンクパケットのベアラタイプを認識する。
【０１００】
具体的には、ＵＥは、アップリンクパケットを第２無線ネットワークノードへ送信する。アップリンクパケットのベアラタイプはＳＲＢまたはＤＲＢであり、すなわち、アップリンクパケットは、サービスデータまたはシグナリングデータである。第２無線ネットワークノードは、アップリンクパケットの中に保持されるベアラタイプ識別子に従って、アップリンクパケットのベアラタイプを認識し得る。
【０１０１】
Ｓ５０２：ベアラタイプがＳＲＢであるとき、第２無線ネットワークノードは、ＰＨＹ層処理、ＭＡＣ層処理、ＲＬＣ層処理、ＰＤＣＰ層処理、およびＲＲＣ層処理をアップリンクパケットに対して完了する。
【０１０２】
具体的には、アップリンクパケットのベアラタイプがＳＲＢである、すなわち、アップリンクパケットがシグナリングデータである場合、第２無線ネットワークノードは、ＰＨＹ層処理、ＭＡＣ層処理、ＲＬＣ層処理、ＰＤＣＰ層処理、およびＲＲＣ層処理をアップリンクパケットに対して完了する。処理の後、ＲＲＣシグナリングが生成される。第２無線ネットワークノードがＰＤＣＰ層処理をアップリンクパケットに対して実行することは、ＳＲＢセキュリティ情報を使用することによって、セキュリティ保護をアップリンクパケットに対して実行することを含む。
【０１０３】
Ｓ５０３：ベアラタイプがＤＲＢであるとき、第２無線ネットワークノードは、アップリンクパケットを第１無線ネットワークノードへ送信し、これにより、第１無線ネットワークノードは、ＰＤＣＰ層処理をアップリンクパケットに対して完了する。
【０１０４】
具体的には、アップリンクパケットのベアラタイプがＳＲＢである、すなわち、アップリンクパケットがサービスデータである場合、第２無線ネットワークノードは、ＰＤＣＰ層処理をサービスデータに対して実行しない。ＰＨＹ層処理、ＭＡＣ層処理、およびＲＬＣ層処理をアップリンクパケットに対して完了した後、第２無線ネットワークノードは、処理済みアップリンクパケットを第１無線ネットワークノードへ送信し、第１無線ネットワークノードは続けて、ＰＤＣＰ層処理をアップリンクパケットに対して実行する。ＰＤＣＰ層処理は、ＤＲＢセキュリティ情報を使用することによって、セキュリティ保護をアップリンクパケットに対して実行することを含む。
【０１０５】
ＳＲＢセキュリティ情報およびＤＲＢセキュリティ情報は、第１無線ネットワークノードによって、コアネットワークから取得され得る。ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち少なくとも１つを含む。第１無線ネットワークノードは、ＤＲＢセキュリティ情報を使用することによって、セキュリティ保護をサービスデータに対して実行する。加えて、第１無線ネットワークノードは、ＳＲＢセキュリティ情報を第２無線ネットワークノードへ送信し、第２無線ネットワークノードは、ＳＲＢセキュリティ情報に従って、セキュリティ保護をシグナリングデータに対して実行する。
【０１０６】
本発明のこの実施形態の実装中、第１無線ネットワークノードは、ＤＲＢの中に保持されるサービスデータに対するセキュリティ保護の実行を担い、無線ネットワークノードは、ＳＲＢの中に保持されるシグナリングデータに対するセキュリティ保護の実行を担う。第１無線ネットワークノードおよび無線ネットワークノードの役割分担により、第１無線ネットワークノードと無線ネットワークノードとの間で伝送されるデータ量が減少し得て、これにより、第１無線ネットワークノードと無線ネットワークノードとの間の伝送帯域幅についての要件が下がり、基礎構成が迅速に完了し、最大限のサービス連続性が保証される。
【０１０７】
本発明のこの実施形態におけるデータ保護方法を詳細に説明するために、ＲＣが第１無線ネットワークノードであり、ＵＥによってアクセスされるＲＡＰが無線ネットワークノードである例を以下で使用する。
【０１０８】
図６を参照すると、図６は、本発明の第３実施形態に係るデータ伝送方法の概略フローチャートである。本発明のこの実施形態におけるデータ伝送方法は、図２におけるアーキテクチャを使用することによって実装される。本発明のこの実施形態において、ＲＣは第１無線ネットワークノードであり、ＲＡＰは第２無線ネットワークノードである。方法は、以下の段階を備える。
【０１０９】
Ｓ６０１：ＵＥは、ＲＲＣ接続確立要求メッセージをＲＡＰへ送信し、ＲＲＣ接続要求は、ＵＥのＵＥ識別子を保持する。
【０１１０】
具体的には、ＵＥは、ＲＲＣ接続確立要求メッセージをＲＡＰへ送信する。ＲＲＣ接続確立要求メッセージは、ＲＡＰとのＲＲＣ接続を確立するためにＵＥによって使用される。ＲＲＣ接続要求は、デフォルトのＳＲＢ（ＳＲＢ０）を使用することによって送信される。ネットワークとのＲＲＣ接続を確立し、ＳＲＢ１、ＳＲＢ２、またはＳＲＢ３などの新しいＳＲＢを確立するために、ＲＲＣ接続要求がＵＥによって使用される。ＵＥ識別子は、Ｓ‐ＴＭＳＩもしくはＣ‐ＲＮＴＩ、または同様のものであり得て、ＵＥの一意のアイデンティティを識別するために使用される。
【０１１１】
Ｓ６０２：ＲＡＰは、ＲＲＣ接続要求およびＵＥ識別子をＲＣへ送信する。
【０１１２】
具体的には、ＲＣは、ＲＡＰと１対多の対応関係にある。ＲＡＰは、１つのＲＣと一意に対応する。ＲＡＰは、対応関係に従って、ＲＡＰが属するＲＣを判定し、ＲＲＣ接続要求およびＵＥ識別子をＲＣへ送信する。ＵＥ識別子は、ＲＲＣ接続要求に含まれ得る。
【０１１３】
Ｓ６０３：ＲＣは、ＵＥ識別子に対応するユーザ端末に対してアドミッション制御を実行する。
【０１１４】
具体的には、ＲＣは、ＲＡＰにアクセスするための許可をＵＥが有しているかどうかを判定し、ＲＡＰにアクセスするための許可をＵＥが有している場合、Ｓ６０４を実行する。ＲＡＰにアクセスするための許可をＵＥが有しているどうかをＲＣが判定するための方法は、ＲＣが、ＲＡＰおよび周囲のＲＡＰの負荷状態パラメータ、ＲＡＰおよび周囲のＲＡＰの干渉状態パラメータ、ＵＥのサービスタイプ情報、またはＵＥのサブスクリプション情報のうち１つまたは複数に従って、ＲＡＰにアクセスするための許可をＵＥが有しているかどうかを判定する段階であり得る。例えば、ＲＡＰが過負荷であり、かつ、ＵＥのサブスクリプション情報において、ＵＥのアクセスクラスが、予め設定されたアクセスクラスより低い場合、ＲＣは、ＲＡＰへのＵＥのアクセスを拒否し、そうでない場合、ＲＣは、ＲＡＰへのＵＥのアクセスを許可する。
【０１１５】
Ｓ６０４：ＲＣは、ＵＥ識別子を保持するアドミッション指示をＲＡＰへ返信し、アドミッション指示メッセージは、ＵＥがＲＡＰへのアクセスを許可されていることを示すために使用される。
【０１１６】
Ｓ６０５：ＲＡＰは、ＲＲＣ接続確立メッセージをＵＥへ送信する。
【０１１７】
具体的には、ＲＡＰは、ＲＣによって送信されたアドミッション指示を受信した後にＲＲＣ接続確立メッセージを生成し、生成されたＲＲＣ接続確立メッセージを、ＵＥ識別子に対応するユーザ端末へ送信する。
【０１１８】
Ｓ６０６：ＵＥは、ＲＡＰへのＲＲＣ接続を確立し、ＲＲＣ接続の確立を完了した後に、ＵＥは、ＲＲＣ接続確立完了メッセージをＲＡＰへ返信する。
【０１１９】
具体的には、ＵＥがＲＲＣ接続の確立に成功した後に、新しいＳＲＢの確立に成功したことを示す。ＵＥによってＲＡＰへ返信されるＲＲＣ接続確立完了メッセージは、新しいＳＲＢにおいて伝送される。
【０１２０】
Ｓ６０７：ＵＥは、ＲＲＣ接続確立完了メッセージをＲＡＰへ返信する。ＲＡＰは、ＲＲＣ接続確立完了メッセージを受信したとき、新しいＳＲＢの確立に成功したと認識する。
【０１２１】
Ｓ６０８：ＲＡＰは、ＲＲＣ接続確立完了指示をＲＣへ返信する。ＲＣは、ＲＲＣ接続確立完了指示を受信したとき、新しいＳＲＢの確立に成功したと認識する。
【０１２２】
上述のＳ６０１からＳ６０７の手順は、図２に示されるように、第２ＲＲＣ副層によってＲＡＰに対して、および、第１ＲＲＣ副層によってＲＣに対して完了されることに留意されたい。
【０１２３】
Ｓ６０９：ＲＣは、コアネットワークとの初期ＵＥコンテキスト確立手順をトリガする。
【０１２４】
具体的には、ＲＣは、ＲＡＰによって送信されるＲＲＣ接続確立完了指示を受信した後に、初期ＵＥコンテキスト確立手順をトリガして完了する。例えば、ＲＣは、初期ＵＥコンテキスト確立要求メッセージを送信し、初期ＵＥコンテキスト確立手順が完了した後に、コアネットワークは、ＵＥコンテキスト情報をＲＣへ送信する。
【０１２５】
Ｓ６１０：ＤＲＢセキュリティ情報およびＳＲＢセキュリティ情報、および／または、ＤＲＢのＱｏＳパラメータを保持するＵＥコンテキスト情報を送信する。
【０１２６】
具体的には、ＲＣは、ＤＲＢセキュリティ情報と、ＳＲＢセキュリティ情報と、ＤＲＢのＱｏＳパラメータとをＲＡＰへ送信する。ＲＡＰは、上述の情報のうち１つまたは複数に従って、ＲＲＣ接続再構成メッセージを生成する。ＲＲＣ接続再構成メッセージは、ＵＥのためのＤＲＢ確立、ＳＲＢ再構成、およびセキュリティアクティベーションを完了するために使用される。ＲＡＰは、ＳＲＢセキュリティ情報と、ＤＲＢのＱｏＳパラメータとを記憶する。
【０１２７】
Ｓ６１１：ＤＲＢセキュリティ情報に従って、ＤＲＢの中に保持されるサービスデータに対してセキュリティ保護を実行し、ＱｏＳパラメータに従って、ＤＲＢの中に保持されるサービスデータに対してサービス品質制御を実行する。
【０１２８】
具体的には、ＵＥコンテキスト情報は、ＤＲＢセキュリティ情報と、ＳＲＢセキュリティ情報と、ＤＲＢのＱｏＳパラメータとを含む。ＤＲＢセキュリティ情報およびＳＲＢセキュリティ情報は、セキュリティキー、暗号化アルゴリズム、復号化アルゴリズム、完全性保護アルゴリズム、および完全性確認アルゴリズムを含む。ＤＲＢセキュリティ情報およびＳＲＢセキュリティ情報は、同一であり得る。すなわち、セキュリティ保護をＤＲＢおよびＳＲＢに対して実行するために、同一のセキュリティ情報が使用される。ＱｏＳパラメータは、ＤＲＢにおいて伝送されるサービスデータについてのサービス品質要件を示す。例えば、ＱｏＳパラメータは、最高伝送速度、最低保証速度、または伝送遅延を含む。ＱｏＳパラメータは、コアネットワークによってＲＣへ発行され得る。ＲＣは、新しいＱｏＳパラメータを生成するために、ＲＡＰおよび周囲のＲＡＰの負荷状態パラメータに従ってＱｏＳパラメータを調節する。ＲＣはさらに、ＵＥのためのＤＲＢ確立と、ＵＥのためのＳＲＢ再構成と、セキュリティ構成とをトリガする。
【０１２９】
サービスデータに対するセキュリティ保護の処理を説明するための例として、データ伝送のダウンリンク方向を使用する。ＲＣは、コアネットワークによって発行されるサービスデータを受信した後に、ＰＤＣＰ機能をサービスデータに対して実装した後にＰＤＣＰ  ＰＤＵを生成し、ヘッダ圧縮をＰＤＣＰ  ＰＤＵに対して実行し、暗号化アルゴリズムおよび暗号化鍵に従ってＰＤＣＰ  ＰＤＵを暗号化し、シーケンス番号をＰＤＣＰ  ＰＤＵに追加する。ＲＣは、ＰＤＣＰ  ＰＤＵをＲＡＰへ発行し、ＲＡＰは、ＰＤＣＰ  ＰＤＵのＲＬＣ層、ＭＡＣ層、およびＰＨＹ層に対応する機能を実装する。例えば、ＲＡＰは、セグメント化、スケジューリング、ならびに、変調および符号化をＰＤＣＰ  ＰＤＵに対して完了し、生成されたＱｏＳパラメータに従って、ＤＲＢの中に保持されるサービスデータに対してサービス品質制御を実行する。
【０１３０】
Ｓ６１２：ＲＣは、ＳＲＢセキュリティ情報をＲＡＰへ送信する。
【０１３１】
Ｓ６１３：ＲＡＰは、ＳＲＢセキュリティ情報に従って、ＳＲＢの中に保持されるシグナリングデータに対してセキュリティ保護を実行する。
【０１３２】
具体的には、セキュリティ保護機能がアクティブ化された後に、ＲＡＰは、ＳＲＢの中に保持されるシグナリングデータに対してセキュリティ保護を実行する。セキュリティ保護は、例えば、暗号化、復号化、完全性保護、および完全性確認であり、シグナリングデータは、例えば、ＲＲＣシグナリングである。
【０１３３】
図７を参照すると、図７は、本発明の第１実施形態に係るＵＥハンドオーバ方法の概略フローチャートである。本発明のこの実施形態において、方法は、以下の段階を備える。
【０１３４】
Ｓ７０１：ソースＲＡＰが、ハンドオーバ条件をＵＥが満たしていることを検出したとき、Ｓ７０２を実行する。
【０１３５】
具体的には、ＵＥがハンドオーバされる前に、ＵＥは、ソースＲＡＰにアクセスする。ソースＲＡＰは、ＵＥがハンドオーバ条件を満たしているかどうかを判定する。判定方法は、ソースＲＡＰが、受信されたＵＥの信号搬送波レベルに従って、ＵＥがハンドオーバ条件を満たしているかどうかを判定し、ＵＥの信号搬送波レベルが閾値レベルより低い場合、ソースＲＡＰは、ＵＥがハンドオーバ条件を満たしていると判定するか、または、ソースＲＡＰが、受信されたＵＥの信号搬送波対干渉波比に従って、ＵＥがハンドオーバ条件を満たしているかどうかを判定し、ＵＥの信号搬送波対干渉波比が所与の値より低い場合、ソースＲＡＰは、ＵＥがハンドオーバ条件を満たしていると判定するか、または、ソースＲＡＰが、ソースＲＡＰとＵＥとの間の距離に従って、ＵＥがハンドオーバ条件を満たしているかどうかを判定し、ソースＲＡＰとＵＥとの間の距離が所与の値より大きい場合、ソースＲＡＰは、ＵＥがハンドオーバ条件を満たしていると判定することであり得る。ソースＲＡＰは、ハンドオーバ条件が満たされていると判定したとき、ＵＥがハンドオーバされる先のターゲットＲＡＰを取得する必要がある。ターゲットＲＡＰは、ソースＲＡＰによって判定され得るか、または、ＲＣによって判定され得る。これは、本発明において限定されるものではない。
【０１３６】
Ｓ７０２：ソースＲＡＰは、ＵＥがハンドオーバされる先のターゲットＲＡＰをＲＣから取得する。
【０１３７】
具体的には、ターゲットＲＡＰは、ＲＣによって選択される。ソースＲＡＰは、ターゲットＲＡＰを取得するための要求を、対応するＲＣへ送信する。要求は、ＲＣのＲＡＰセットの中から、ソースＲＡＰを除くターゲットＲＡＰを選択するようにＲＣに要求するために使用される。
【０１３８】
Ｓ７０３：ＲＣは、ＵＥがハンドオーバされる先のターゲットＲＡＰを判定する。
【０１３９】
具体的には、ＲＣは、ＲＡＰセットを管理する。ＲＡＰセットは、ＲＡＰと、少なくとも１つの他のＲＡＰとを含む。ＲＣは、ＲＡＰセットにおける各ＲＡＰによって報告される、各ＲＡＰとＵＥとの間のリンク状態パラメータを取得し得て、ＲＣは、ＵＥがハンドオーバされる先のターゲットＲＡＰとして最適なリンク状態パラメータを有するＲＡＰを使用する。リンク状態パラメータは、ＲＳＳＩ、ＲＳＲＰ、またはＲＳＲＱのうち１つまたは複数を含む。
【０１４０】
Ｓ７０４：ＲＣは、ターゲットＲＡＰの識別子をＲＡＰへ送信する。
【０１４１】
Ｓ７０５：ソースＲＡＰは、ＳＲＢのＳＲＢセキュリティ情報を取得し、ＳＲＢセキュリティ情報を保持するハンドオーバ要求メッセージをターゲットＲＡＰへ送信する。
【０１４２】
具体的には、ソースＲＡＰは、ソースＲＡＰとＵＥとの間のＳＲＢのＳＲＢセキュリティ情報を取得する。セキュリティ情報は、セキュリティキー、暗号化アルゴリズム、復号化アルゴリズム、完全性保護アルゴリズム、または完全性確認アルゴリズムのうち１つまたは複数を含む。ソースＲＡＰは、ターゲットＲＡＰの識別子に従ってターゲットＲＡＰを判定し、ＳＲＢセキュリティ情報を保持するハンドオーバ要求メッセージをターゲットＲＡＰへ送信する。
【０１４３】
Ｓ７０６：ターゲットＲＡＰは、ハンドオーバリソースを準備し、ターゲットＲＡＰは、ハンドオーバリソースを準備した後、ハンドオーバ命令メッセージをソースＲＡＰへ返信する。
【０１４４】
具体的には、ハンドオーバリソースは、スペクトルリソース、ハードウェアリソース、および同様のものを含む。ターゲットＲＡＰは、ソースＲＡＰのＳＲＢセキュリティ情報を受信して記憶し、これにより、ＵＥがターゲットＲＡＰへハンドオーバされた後、ターゲットＲＡＰは、ＳＲＢセキュリティ情報を使用することによって、ターゲットＲＡＰとＵＥとの間のＳＲＢに対してセキュリティ保護を実行する。ＲＣとＵＥとの間のＤＲＢのＤＲＢセキュリティ情報は変化しないままである。すなわち、ＵＥがターゲットＲＡＰへハンドオーバされた後、ＲＣは、引き続き元のＤＲＢセキュリティ情報を使用することによって、ＤＲＢにおけるサービスデータに対してセキュリティ保護を実行する。
【０１４５】
Ｓ７０７：ターゲットＲＡＰは、ハンドオーバ命令メッセージをソースＲＡＰへ送信する。
【０１４６】
ターゲットＲＡＰは、ハンドオーバリソースを準備した後に、ハンドオーバ命令メッセージをソースＲＡＰへ送信し、これにより、ターゲットＲＡＰのハンドオーバリソースが準備されたこと、および、ＵＥがハンドオーバ動作を実行できることをターゲットＲＡＰに通知する。
【０１４７】
Ｓ７０８：ソースＲＡＰは、ハンドオーバ命令メッセージをＵＥへ送信する。
【０１４８】
Ｓ７０９：ＵＥはハンドオーバ動作を実行する。ＵＥは、ハンドオーバ動作を実行した後、ターゲットＲＡＰにアクセスする。
【０１４９】
Ｓ７１０：ソースＲＡＰは、伝送状態パラメータをＲＣへ送信する。
【０１５０】
具体的には、伝送状態パラメータは、ＰＤＣＰ状態報告であり得て、アップリンク伝送状態パラメータまたはダウンリンク伝送状態パラメータである。ダウンリンク方向については、伝送状態パラメータは、ＵＥへの送信に成功または失敗したＰＤＣＰパケットのシーケンス番号を示す。送信に成功したＰＤＣＰパケットのシーケンス番号を例として使用すると、現在のＲＡＰによるＵＥへの送信に成功したＰＤＣＰパケットのシーケンス番号が３である場合、ＲＣは、第４ＰＤＣＰパケットをターゲットＲＡＰへ送信する。アップリンク方向については、伝送状態パラメータは、ＲＣへの送信に成功または失敗したＰＤＣＰパケットのシーケンス番号を示し、ＲＣは、アップリンク伝送状態パラメータをＵＥへ送信し、これにより、ＵＥは、シーケンス番号に従ってＰＤＣＰパケットをターゲットＲＡＰへ送信し、これにより、データ伝送の繰り返しを回避する。
【０１５１】
Ｓ７１１：ＲＣは、伝送状態パラメータをターゲットＲＡＰへ送信する。
【０１５２】
図８を参照すると、図８は、本発明の第４実施形態に係るデータ伝送方法の概略フローチャートである。本発明のこの実施形態におけるデータ伝送方法は、図３におけるアーキテクチャ概略図を使用することによって実装される。方法は、以下の段階を備える。
【０１５３】
Ｓ８０１：第１無線ネットワークノードは、第２無線ネットワークデバイスによって送信されるアップリンクパケットを受信し、アップリンクパケットは、ＵＥのアイデンティティ情報と、ベアラタイプについての情報と、ベアラのアイデンティティ情報とを示す第１指示情報を保持する。
【０１５４】
具体的には、第２無線ネットワークノードは、ＵＥによって送信されるアップリンクパケットを受信する。アップリンクパケットは、ＵＥのアイデンティティ情報と、ベアラタイプについての情報と、ベアラのアイデンティティ情報とを保持する。第２無線ネットワークノードは、ＰＨＹ層処理、ＭＡＣ層処理、およびＲＬＣ層処理をアップリンクパケットに対して実行し、処理済みアップリンクパケットを第１無線ネットワークノードへ送信する。処理済みアップリンクパケットは、ＵＥのアイデンティティ情報と、ベアラタイプについての情報と、ベアラのアイデンティティ情報とを示す第１指示情報を保持する。
【０１５５】
Ｓ８０２：第１無線ネットワークノードは、第１指示情報に従って、アップリンクパケットに対応する、ユーザ端末、ベアラタイプ、およびベアラを認識する。
【０１５６】
具体的には、第１無線ネットワークノードは、アップリンクパケットの中に保持される第１指示情報に従って、アップリンクパケットに対応する、ユーザ端末、ベアラタイプ、およびベアラを認識する。ベアラタイプは、ＳＲＢまたはＤＲＢである。第１指示情報は、ＧＴＰトンネル識別子であり得る。
【０１５７】
Ｓ８０３：第１無線ネットワークノードは、ＰＤＣＰ層処理をアップリンクパケットに対して完了する。
【０１５８】
具体的には、第１無線ネットワークノードは、ＰＤＣＰ層処理をアップリンクパケットに対して実行する。ＰＤＣＰ層処理は、ヘッダ圧縮、セキュリティ、または並べ替えのうち１つまたは複数を含む。
【０１５９】
図９を参照すると、図９は、本発明の第５実施形態に係るデータ保護方法の概略フローチャートである。本発明のこの実施形態において、方法は、以下の段階を備える。
【０１６０】
Ｓ９０１：第２無線ネットワークノードは、第１無線ネットワークノードによって送信されるダウンリンクパケットを受信し、ダウンリンクパケットは、ＵＥのアイデンティティ情報と、ベアラタイプについての情報と、ベアラのアイデンティティ情報とを示す第１指示情報を保持する。
【０１６１】
具体的には、コアネットワークは、ダウンリンクパケットを第１無線ネットワークノードへ送信する。ダウンリンクパケットは、ＵＥのアイデンティティ情報と、ベアラタイプについての情報と、ベアラのアイデンティティ情報とを保持する。第１無線ネットワークノードは、ＲＲＣ層を使用することによって、アップリンクパケットのベアラタイプについての情報を認識し得る。第１無線ネットワークノードは、ＰＤＣＰ層処理をアップリンクパケットに対して実行し、処理済みダウンリンクパケットを第２無線ネットワークノードへ送信する。処理済みダウンリンクパケットは、ＵＥのアイデンティティ情報と、ベアラタイプについての情報と、ベアラのアイデンティティ情報とを示す第１指示情報を保持する。
【０１６２】
Ｓ９０２：第２無線ネットワークノードは、第１指示情報に従って、ダウンリンクパケットに対応する、ユーザ端末、ベアラタイプ、およびベアラを認識する。
【０１６３】
具体的には、ベアラタイプは、ＳＲＢまたはＤＲＢである。異なるＵＥは、異なるベアラに対応する。
【０１６４】
Ｓ９０３：第２無線ネットワークノードは、ＲＬＣ層処理、ＭＡＣ層処理、およびＰＨＹ層処理をダウンリンクパケットに対して完了する。
【０１６５】
具体的には、第２無線ネットワークノードは、ＲＬＣ層処理、ＭＡＣ層処理、およびＰＨＹ層処理をダウンリンクパケットに対して完了し、ＵＥのアイデンティティ情報に従って、処理済みダウンリンクパケットを対応するユーザ端末へ送信する。
【０１６６】
図１０Ａおよび図１０Ｂを参照すると、図１０Ａおよび図１０Ｂは、本発明の第６実施形態に係るデータ伝送方法の概略フローチャートである。本発明のこの実施形態において、ＲＣは第１無線ネットワークノードであり、ＲＡＰは第２無線ネットワークノードである。方法は、以下の段階を備える。
【０１６７】
Ｓ１００１：ＵＥは、ＵＥ識別子を保持するＲＲＣ接続確立要求メッセージをＲＡＰへ送信する。
【０１６８】
具体的には、ＵＥは、デフォルトのベアラＳＲＢ０を予め確立し、ＵＥは、ＳＲＢ０を使用することによって、ＲＲＣ接続要求を送信する。ＲＲＣ接続要求は、ＵＥのために、ＳＲＢ１、ＳＲＢ２、またはＳＲＢ３などの新しいＳＲＢを確立するために使用される。ＵＥ識別子は、ＵＥのアイデンティティを一意に識別するために使用される。ＵＥ識別子は、Ｓ‐ＴＭＳＩ、Ｃ‐ＲＮＴＩ、または同様のものがあり得る。
【０１６９】
Ｓ１００２：ＲＡＰは、ＲＲＣ接続確立要求メッセージを受信し、確立されるＳＲＢに第１ＳＲＢ識別子を割り当てる。
【０１７０】
具体的には、ＲＡＰは、確立されるＳＲＢに第１ＳＲＢ識別子を割り当てる。第１ＳＲＢ識別子は、確立されるＳＲＢのアイデンティティを一意に識別するために、ＲＡＰによって使用される（ダウンリンク方向）。例えば、ＧＴＰトンネル識別子は、確立されるＳＲＢの第１ＳＲＢ識別子として、確立されるＳＲＢにおいて伝送されるシグナリングメッセージに追加され得る。ＲＡＰは、ダウンリンク方向において、第１ＳＲＢ識別子を認識することによって、確立されるＳＲＢを判定し得る。ＲＡＰは、第１ＳＲＢ識別子とＵＥ識別子との間のマッピング関係をローカルに記憶する。
【０１７１】
Ｓ１００３：ＲＡＰは、ＵＥ識別子および第１ＳＲＢ識別子を保持するＲＲＣ接続要求をＲＣへ送信する。
【０１７２】
具体的には、ＲＡＰは、第１ＳＲＢ識別子およびＵＥ識別子をＲＲＣ接続要求に追加し、次に、ＲＲＣ接続要求をＲＣへ送信する。この場合、引き続きデフォルトのベアラＳＲＢ０を使用することによって、ＲＲＣ接続要求がＲＣへ送信される。
【０１７３】
Ｓ１００４：ＲＣは、アドミッション制御をＵＥに対して実行し、ＲＡＰへのアクセスをＵＥが許可された後に、第２ＳＲＢ識別子を割り当て、これにより、ＳＲＢ構成情報を生成する。
【０１７４】
具体的には、ＲＣは、受信されたＲＲＣ接続要求を解析することによって、ＵＥ識別子および第１ＳＲＢ識別子を取得し、ＵＥ識別子に対応するユーザ端末に対してアドミッション制御を実行する。アドミッション制御方法は、ＲＣが、ＲＡＰおよび周囲のＲＡＰの負荷状態パラメータ、ＲＡＰおよび周囲のＲＡＰの干渉状態パラメータ、ＵＥのサービスタイプ情報、またはＵＥのサブスクリプション情報のうち１つまたは複数に従って、ＲＡＰにアクセスするための許可をＵＥが有しているかどうかを判定することであり得る。例えば、ＲＡＰが過負荷であり、かつ、ＵＥのサブスクリプション情報において、ＵＥのアクセスクラスが、予め設定されたアクセスクラスより低い場合、ＲＣは、ＲＡＰへのＵＥのアクセスを拒否し、そうでない場合、ＲＣは、ＲＡＰへのＵＥのアクセスを許可する。ＲＣは、ＲＡＰにアクセスするための許可をＵＥが有すると判定した後に、確立されるＳＲＢに第２ＳＲＢ識別子を割り当てる。第２ＳＲＢ識別子は、確立されるＳＲＢのアイデンティティを一意に識別するために、ＲＣによって使用される（アップリンク方向）。ＲＣは、第１ＳＲＢ識別子と、第２ＳＲＢ識別子と、ＵＥ識別子との間のマッピング関係をローカルに記憶する。加えて、ＲＣは、ＳＲＢ構成情報を生成する。ＳＲＢ構成情報は、第１ＳＲＢ構成情報および第２ＳＲＢ構成情報を含む。第１ＳＲＢ構成情報は、ＲＡＰのＲＬＣ層、ＭＡＣ層、およびＰＨＹ層を構成するために使用される。第２ＳＲＢ構成情報は、ＲＲＣ層、ＰＤＣＰ層、ＲＬＣ層、ＭＡＣ層、およびＰＨＹ層を構成するために、ＵＥによって使用される。構成が完了した後に、ＵＥは新しいＳＲＢを確立する。例えば、第１ＳＲＢ構成情報と第２ＳＲＢ構成情報とを区別するために、異なる識別子がＳＲＢ構成情報に追加され得る。第１ＳＲＢ情報は、ＲＡＰへ送信されるために使用され、第２ＳＲＢ構成情報は、ＵＥへ送信されるために使用される。
【０１７５】
Ｓ１００５：ＲＣは、第１ＳＲＢ識別子、第２ＳＲＢ識別子、およびＳＲＢ構成情報を保持するＲＲＣ接続確立メッセージをＲＡＰへ送信する。
【０１７６】
Ｓ１００６：ＲＡＰは、第１ＳＲＢ構成情報に従って、基礎構成を完了する。
【０１７７】
具体的には、ＲＡＰは、受信されたＲＲＣ接続確立メッセージを解析することによって、第１ＳＲＢ識別子、第２ＳＲＢ識別子、およびＳＲＢ構成情報を取得する。ＲＡＰは、第１ＳＲＢ識別子に従って、ＵＥによって確立されるＳＲＢと、ＳＲＢ構成情報における第１ＳＲＢ構成情報とを認識し、第１ＳＲＢ構成情報に従って、ＲＬＣ層、ＭＡＣ層、およびＰＨＹ層を構成する。ＲＡＰは、ＳＲＢ構成情報における第２ＳＲＢ構成情報を認識し、第２ＳＲＢ構成情報をＲＲＣ接続確立メッセージに追加する。第１ＳＲＢ構成情報もしくは第２ＳＲＢ構成情報、または両方は、第３ＳＲＢ識別子を含む。第３ＳＲＢ識別子は、ＵＥとＲＡＰとの間のシグナリングデータを認識するために使用される。ＲＡＰは、第３ＳＲＢ識別子と第１ＳＲＢ識別子／第２ＳＲＢ識別子との間の関係を記憶する。
【０１７８】
Ｓ１００７：ＲＡＰは、第２ＳＲＢ構成情報を保持するＲＲＣ接続確立メッセージをＵＥへ送信する。
【０１７９】
具体的には、ＵＥは、第２ＳＲＢ構成情報に従って、ＵＥのＲＲＣ層、ＰＤＣＰ層、ＲＬＣ層、ＭＡＣ層、およびＰＨＹ層を構成し、新しいＳＲＢ（例えばＳＲＢ１）を確立する。ＳＲＢ１の確立に成功した後、ＵＥは、ＲＲＣ接続確立完了メッセージをＲＡＰへ返信する。この場合、ＲＲＣ接続確立完了メッセージは、新しいＳＲＢ１を使用することによって送信され、ＲＲＣ接続確立完了メッセージはＵＥ識別子を保持する。
【０１８０】
Ｓ１００８：ＵＥは、ＵＥ識別子を保持するＲＲＣ接続確立完了メッセージをＲＡＰへ送信し、ＲＲＣ接続確立完了メッセージは、新しいＳＲＢの確立に成功したことをＲＣに通知するために使用される。
【０１８１】
Ｓ１００９：ＲＡＰは、第２ＳＲＢ識別子を保持するＲＲＣ接続確立完了メッセージをＲＣへ送信し、第３ＳＲＢ識別子は、第２ＳＲＢ構成情報の識別子を示し、ＲＡＰは、第３ＳＲＢ識別子と第２ＳＲＢ識別子との間のマッピング関係に従って第２ＳＲＢ識別子を問い合わせ、第２ＳＲＢ識別子をＲＲＣ接続確立完了メッセージに追加し、ＲＣは、第２ＳＲＢ識別子に従って、ＵＥの新しいＳＲＢを認識する。
【０１８２】
Ｓ１０１０：ＲＣは、コアネットワークとの初期コンテキスト確立手順をトリガする。
【０１８３】
具体的には、ＲＣは、コアネットワークから、初期ＵＥコンテキスト確立手順によって、新しく確立されたＳＲＢのＳＲＢセキュリティ情報と、確立されるＤＲＢのＤＲＢセキュリティ情報と、確立されるＤＲＢのＱｏＳパラメータとを取得する。
【０１８４】
Ｓ１０１１：ＲＣは、ＤＲＢセキュリティ情報と、ＳＲＢセキュリティ情報と、ＤＲＢのＱｏＳパラメータとを取得する。
【０１８５】
具体的には、ＲＣは、確立されるＤＲＢのＤＲＢセキュリティ情報と、新しいＳＲＢのＳＲＢセキュリティ情報と、確立されるＤＲＢのセキュリティ情報とを取得する。加えて、ＲＣは、ＤＲＢ構成情報を生成する。ＤＲＢ構成情報は、２つのタイプに分類される。第１ＤＲＢ構成情報は、ＲＡＰに対して基礎構成を実行するために使用され、第２ＤＲＢ構成情報は、ＤＲＢ確立構成をＵＥに対して実行するために使用される。第２ＤＲＢ構成情報および第２ＤＲＢ構成情報は、異なる識別子を使用することによって区別され得る。ＲＣはさらに、確立されるＤＲＢに第１ＤＲＢ識別子を割り当てる。第１ＤＲＢ識別子は、ＵＥのＤＲＢのアイデンティティを一意に認識するために、ＲＣによって使用される。
【０１８６】
Ｓ１０１２：ＲＣは、第１ＤＲＢ構成情報および第１ＤＲＢ識別子を送信する。
【０１８７】
Ｓ１０１３：ＲＡＰは、第１ＤＲＢ構成情報を認識し、第１ＤＲＢ構成情報に従って、ＤＲＢ構成をＲＬＣ層、ＭＡＣ層、およびＰＨＹ層に対して実行し、ＤＲＢ構成の完了後、ＲＡＰは、第２ＤＲＢ識別子をＤＲＢに割り当て、第２ＤＲＢ識別子は、ＵＥのＤＲＢのアイデンティティを一意に認識するためにＲＡＰによって使用され、ＲＡＰは、ＤＲＢ構成情報における第２ＤＲＢ構成情報を認識する。第１ＤＲＢ構成情報もしくは第２ＤＲＢ構成情報、または両方は、第３ＤＲＢ識別子を含む。第３ＤＲＢ識別子は、ＵＥとＲＡＰとの間のＤＲＢを認識するために使用される。
【０１８８】
Ｓ１０１４：ＲＡＰは、第１ＤＲＢ識別子および第２ＤＲＢ識別子を保持するＤＲＢ構成完了メッセージをＲＣへ送信する。
【０１８９】
Ｓ１０１５：ＤＲＢ構成完了メッセージを受信後、ＲＣはＲＲＣ接続再構成メッセージを生成し、ＲＲＣ接続再構成メッセージは、ＤＲＢを確立するようにＵＥに命令するために使用される。
【０１９０】
Ｓ１０１６：ＲＣは、第１ＳＲＢ識別子および第２ＤＲＢ構成情報を保持するＲＲＣ接続再構成メッセージをＲＡＰへ送信する。
【０１９１】
Ｓ１０１７：ＲＡＰは、第１ＳＲＢ識別子に従って、ＳＲＢが属するＵＥを認識する。
【０１９２】
Ｓ１０１８：ＲＡＰは、第２ＤＲＢ構成情報を保持するＲＲＣ接続再構成メッセージをＵＥへ送信する。
【０１９３】
Ｓ１０１９：ＵＥは、第２ＤＲＢ構成情報に従ってＤＲＢを構成し、これにより、ＤＲＢを確立する。ＤＲＢの確立に成功した後、ＵＥは、ＲＲＣ接続再構成完了メッセージをＲＡＰへ返信し、ＲＲＣ接続再構成メッセージは、第２ＳＲＢ構成メッセージの識別子を保持する。
【０１９４】
Ｓ１０２０：ＲＡＰは、第２ＳＲＢ識別子を保持するＲＲＣ接続再構成完了メッセージをＲＣへ送信する。
【０１９５】
Ｓ１０２１：ＲＣは、ＳＲＢセキュリティ情報およびＤＲＢセキュリティ情報に従って、確立されたＳＲＢおよびＤＲＢに対してセキュリティ保護を実行する。
【０１９６】
Ｓ１０２２：ＲＣは、セキュリティ保護が実行されたサービスデータをＲＡＰへ送信し、サービスデータは、第１ＤＲＢ識別子および第２ＤＲＢ識別子を保持し、シグナリングデータは、第１ＳＲＢ識別子および第２ＳＲＢ識別子を保持する。アップリンク方向において、ＲＣは、サービスデータの中に保持される第１ＤＲＢ識別子に従って、サービスメッセージがＵＥに属すると認識し、ＲＣは、シグナリングデータの中に保持される第２ＳＲＢ識別子に従って、シグナリングメッセージがＵＥに属すると認識する。
【０１９７】
図１１を参照すると、図１１は、本発明の第２実施形態に係るＵＥハンドオーバ方法の概略フローチャートである。本発明のこの実施形態において、方法は、以下の段階を備える。
【０１９８】
Ｓ１１０１：ＵＥは、ランダムアクセス手順をトリガし、ＵＥは、ソースＲＡＰとＲＣとの間でランダムアクセスチャネルを確立する。
【０１９９】
Ｓ１１０２：ソースＲＡＰは、ＵＥコンテキスト情報をＲＣへ送信し、ＵＥコンテキスト情報は、Ｃ‐ＲＮＴＩ、無線リソース構成情報、および同様のものを含む。
【０２００】
Ｓ１１０３：ＲＣは、ＵＥコンテキスト情報を記憶する。
【０２０１】
Ｓ１１０４：ＵＥは、ＲＲＭ測定を実行する。
【０２０２】
Ｓ１１０５：ＵＥは、ＲＲＭ測定が実行された後に生成される測定報告をＲＡＰへ送信する。
【０２０３】
Ｓ１１０６：ソースＲＡＰは測定報告をＲＣへ送信する。
【０２０４】
Ｓ１１０７：ＲＣは、測定報告に従って、ＵＥがハンドオーバ条件を満たすかどうかを検出し、満たす場合、ＲＣは、ハンドオーバリソースを準備し、Ｓ１１０７を実行し、ＵＥは、測定報告に従って、ＵＥがハンドオーバされる先のターゲットＲＡＰを判定する。
【０２０５】
Ｓ１１０８：ＲＣは、ＵＥコンテキスト情報を保持するハンドオーバ要求メッセージをターゲットＲＡＰへ送信する。
【０２０６】
Ｓ１１０９：ターゲットＲＡＰは、アドミッション制御をＵＥに対して実行し、ターゲットＲＡＰにアクセスすることをＵＥが許可されているかどうかを判定し、ターゲットＲＡＰにアクセスすることをＵＥが許可される場合、Ｓ１１１０を実行する。
【０２０７】
Ｓ１１１０：ターゲットＲＡＰは、ハンドオーバ応答メッセージをＲＣへ返信する。
【０２０８】
Ｓ１１１１：ＲＣは、ハンドオーバ命令メッセージをソースＲＡＰへ送信する。
【０２０９】
Ｓ１１１２：ハンドオーバ動作を実行する。ＵＥは、ソースＲＡＰからターゲットＲＡＰへハンドオーバされる。ハンドオーバが成功した後、ターゲットＲＡＰは、ＵＥコンテキスト情報におけるＳＲＢセキュリティ情報を使用することによって、セキュリティ保護をシグナリングデータに対して実行し、および、ＤＲＢセキュリティ情報を使用することによって、セキュリティ保護をサービスデータに対して実行する。
【０２１０】
図１２を参照すると、図１２は、本発明の第３実施形態に係るＵＥハンドオーバ方法の概略フローチャートである。本発明のこの実施形態において、方法は、以下の段階を備える。
【０２１１】
Ｓ１２０１：ＵＥは、ＲＲＭ測定を実行する。
【０２１２】
Ｓ１２０２：ＵＥは、ＲＲＭ測定が実行された後に生成される測定報告をＲＡＰへ送信する。
【０２１３】
Ｓ１２０３：ソースＲＡＰは、測定報告をＲＣへ転送する。
【０２１４】
Ｓ１２０４：ＲＣは、測定報告に従って、ＵＥがハンドオーバ条件を満たすかどうかを検出し、満たす場合、Ｓ７０５を実行し、ＲＣは、ＵＥがハンドオーバされる先のターゲットＲＡＰを判定する。
【０２１５】
Ｓ１２０５：ＲＣは、ターゲットＲＡＰの識別子を保持するハンドオーバ指示をソースＲＡＰへ送信する。
【０２１６】
Ｓ１２０６：ソースＲＡＰは、ターゲットＲＡＰの識別子を保持するハンドオーバ要件メッセージをＲＣへ返信する。
【０２１７】
Ｓ１２０７：ＲＣは、ＵＥコンテキスト情報を保持するハンドオーバ要求メッセージをターゲットＲＡＰへ送信する。
【０２１８】
Ｓ１２０８：ターゲットＲＡＰは、アドミッション制御をＵＥに対して実行し、ターゲットＲＡＰへのアクセスをＵＥが許可された後に、ハンドオーバリソースを準備する。
【０２１９】
Ｓ１２０９：ターゲットＲＡＰは、ハンドオーバ応答メッセージをＲＣへ送信する。
【０２２０】
Ｓ１２１０：ＲＣは、ハンドオーバ命令メッセージをソースＲＡＰへ送信する。
【０２２１】
Ｓ１２１１：ハンドオーバ動作を実行する。ＵＥは、ソースＲＡＰからターゲットＲＡＰへハンドオーバされる。ハンドオーバが成功した後、ターゲットＲＡＰは、ＵＥコンテキスト情報におけるＳＲＢセキュリティ情報を使用することによって、セキュリティ保護をシグナリングデータに対して実行し、および、ＤＲＢセキュリティ情報を使用することによって、セキュリティ保護をサービスデータに対して実行する。
【０２２２】
図１３を参照すると、図１３は、本発明の第１実施形態に係る無線ネットワークノードの概略構造図である。本発明のこの実施形態において、無線ネットワークノードは、識別モジュール１３０１、第１送信モジュール１３０２、および第１処理モジュール１３０３を備える。
【０２２３】
識別モジュール１３０１は、ダウンリンクパケットのベアラタイプを認識するように構成される。
【０２２４】
第１送信モジュール１３０２は、ベアラタイプがＳＲＢであるとき、第１無線ネットワークノードによって、ダウンリンクパケットを第２無線ネットワークノードへ送信し、これにより、第２無線ネットワークノードが、ＰＤＣＰ層の機能をダウンリンクパケットに対して実行するように構成される。
【０２２５】
第１処理モジュール１３０３は、ベアラタイプがＤＲＢであるとき、ＰＤＣＰ層の機能をダウンリンクパケットに対して実行し、処理済みダウンリンクパケットを第２無線ネットワークノードへ送信するように構成される。
【０２２６】
任意で、本発明のこの実施形態における無線ネットワークノードは、第２無線ネットワークノードによって送信されるアップリンクパケットを受信するように構成される受信モジュールであって、第２無線ネットワークノードは、ＰＨＹ層の機能、ＭＡＣ層の機能、およびＲＬＣ層の機能をアップリンクパケットに対して実行し、アップリンクパケットのベアラタイプはＤＲＢである、受信モジュールと、ＰＤＣＰ層の機能をアップリンクパケットに対して実行し、処理済みアップリンクパケットをコアネットワークへ送信するように構成される第２処理モジュールとをさらに備える。
【０２２７】
任意で、本発明のこの実施形態における無線ネットワークノードは、ＤＲＢセキュリティ情報およびＳＲＢセキュリティ情報をコアネットワークから取得するように構成されるセキュリティ情報取得モジュールであって、第１無線ネットワークノードはＤＲＢセキュリティ情報を記憶し、ＳＲＢセキュリティ情報を第２無線ネットワークノードへ送信する、セキュリティ情報取得モジュールをさらに備え、第１処理モジュールは、ＤＲＢセキュリティ情報に従って、ＰＤＣＰ層の機能をダウンリンクパケットに対して実行するように構成される。
【０２２８】
任意で、ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち１つまたは複数を含む。
【０２２９】
任意で、本発明のこの実施形態における無線ネットワークノードは、第２無線ネットワークノードによって送信されるユーザ端末識別子および接続要求を受信するように、ならびに、ユーザ端末識別子に対応するユーザ端末が、第２無線ネットワークノードにアクセスするための許可を有するとき、ユーザ端末識別子を保持するアドミッション指示を第２無線ネットワークノードへ返信するように構成されるＳＲＢ確立モジュールをさらに備え、アドミッション指示は、ユーザ端末と第２無線ネットワークノードとの間にＳＲＢを確立するようユーザ端末に命令するために使用される。
【０２３０】
任意で、本発明のこの実施形態における無線ネットワークノードは、ＵＥがハンドオーバ条件を満たすとき、無線ネットワークノードによって管理される無線ネットワークノードセットの中から、第２無線ネットワークノードを除くターゲット無線ネットワークノードを判定し、ターゲット無線ネットワークノードの識別子を第２無線ネットワークノードへ送信するように、および、サービスデータの伝送状態パラメータを第２無線ネットワークノードから取得するように、および、ハンドオーバ動作をＵＥが完了した後に、伝送状態パラメータに従って、ターゲット無線ネットワークノードを使用することによってサービスデータをＵＥへ伝送するように構成されるハンドオーバモジュールをさらに備える。
【０２３１】
任意で、ハンドオーバモジュールは、無線ネットワークノードセットにおける各無線ネットワークノードとユーザ端末との間のリンク品質パラメータを取得するように、および、ターゲット無線ネットワークノードとして最適なリンク品質パラメータを有する無線ネットワークノードを選択するように構成され、リンク品質パラメータは、ＲＳＲＰ、ＲＳＳＩ、またはＲＳＲＱのうち１つまたは複数を含む。
【０２３２】
本発明のこの実施形態および第１の方法の実施形態は、同一の思想に基づいており、同一の技術的効果をもたらす。具体的なプロセスについては、第１の方法の実施形態の説明を参照されたい。ここでは詳細を再度記載しない。
【０２３３】
図１４を参照すると、図１４は、本発明の第２実施形態に係る無線ネットワークノードを示す。無線ネットワークノードは、識別モジュール１４０１、第１処理モジュール１４０２、および第１送信モジュール１４０３を備える。
【０２３４】
識別モジュールは、ユーザ端末によって送信されるアップリンクパケットのベアラタイプを認識するように構成される。
【０２３５】
第１処理モジュールは、ベアラタイプがＳＲＢであるとき、ＰＨＹ層の機能、および、ＰＨＹ層より上の層の機能をアップリンクパケットに対して実行するように構成される。
【０２３６】
第１送信モジュールは、ベアラタイプがＤＲＢであるとき、ＰＨＹ層の機能、ＭＡＣ層の機能、およびＲＬＣ層の機能をアップリンクパケットに対して実行し、処理済みアップリンクパケットを第１無線ネットワークノードへ送信するように構成され、これにより、第１無線ネットワークノードは、ＰＤＣＰ層の機能を処理済みアップリンクパケットに対して実行する。
【０２３７】
任意で、第１処理モジュールは、第１無線ネットワークノードによって送信されるＳＲＢセキュリティ情報を受信し、ＳＲＢセキュリティ情報に従って、ＰＤＣＰ層の機能をアップリンクパケットに対して実行するように構成される。
【０２３８】
任意で、本発明のこの実施形態における無線ネットワークノードは、第１無線ネットワークノードによって送信されるダウンリンクパケットを受信するように構成される、ダウンリンクパケットのベアラタイプはＳＲＢである、受信モジュールと、ＲＲＣ層の機能、およびＲＲＣ層より下の層の機能をダウンリンクパケットに対して実行し、処理済みダウンリンクパケットをユーザ端末へ送信するように構成される第２処理モジュールとをさらに備える。
【０２３９】
任意で、本発明のこの実施形態における無線ネットワークノードは、ユーザ端末識別子を保持する、ユーザ端末によって送信される接続要求を第１無線ネットワークノードへ転送するように、および、ユーザ端末がアクセス許可を有すると第１無線ネットワークノードが判定した後に生成される、ユーザ端末識別子を保持するアドミッション指示を受信するように、および、アドミッション指示に従って接続確立メッセージを生成し、接続確立メッセージをユーザ端末へ送信し、これにより、ユーザ端末は、接続確立メッセージに従ってＳＲＢを確立し、ＳＲＢの確立に成功した後に、接続確立完了メッセージを第２無線ネットワークノードへ返信するように、および、受信された接続確立完了メッセージを第１無線ネットワークノードへ送信するように構成されるＳＲＢ確立モジュールをさらに備える。
【０２４０】
任意で、本発明のこの実施形態における無線ネットワークノードは、ユーザ端末がハンドオーバ条件を満たすとき、ユーザ端末がハンドオーバされる先のターゲット無線ネットワークノードを判定するように、ならびに、ＳＲＢセキュリティ情報を保持するハンドオーバ要求メッセージをターゲット無線ネットワークノードへ送信し、これにより、ターゲット無線ネットワークノードが、ハンドオーバリソースを準備した後に、ハンドオーバ命令メッセージを第２無線ネットワークノードへ返信するように、ならびに、ハンドオーバ命令メッセージをユーザ端末へ転送し、ハンドオーバ命令メッセージはＳＲＢセキュリティ情報を保持し、これにより、ハンドオーバ動作を完了した後に、ユーザ端末がハンドオーバ完了メッセージをターゲット無線ネットワークノードへ返信し、および、ハンドオーバ完了メッセージを受信した後に、ターゲット無線ネットワークアクセスノードが、ＳＲＢセキュリティ情報に従って、シグナリングデータに対してセキュリティ保護を実行するように構成されるハンドオーバモジュールをさらに備える。
【０２４１】
任意で、ハンドオーバモジュールは、ユーザ端末の信号搬送波レベルが第１閾値より低いとき、ユーザ端末がハンドオーバ条件を満たすと判定するか、または、ユーザ端末の信号搬送波対干渉波比が第２閾値より低いとき、ユーザ端末がハンドオーバ条件を満たすと判定するか、または、無線ネットワークノードとユーザ端末との間の距離が第３閾値より大きいとき、ユーザ端末がハンドオーバ条件を満たすと判定するように、および、ターゲット無線ネットワークノードのアイデンティティを保持する、第１無線ネットワークノードによって送信されるハンドオーバ指示を受信し、アイデンティティに従って、ターゲット無線ネットワークノードを判定するように構成される。
【０２４２】
本発明のこの実施形態および第２の方法の実施形態は、同一の思想に基づいており、同一の技術的効果をもたらす。具体的なプロセスについては、第２の方法の実施形態の説明を参照されたい。ここでは詳細を再度記載しない。
【０２４３】
図１５を参照すると、図１５は、本発明の第３実施形態に係る無線ネットワークノードを示す。無線ネットワークノードは、第１受信モジュール１５０１、識別モジュール１５０２、および第１処理モジュール１５０３を備える。
【０２４４】
第１受信モジュール１５０１は、第２無線ネットワークデバイスによって送信されるアップリンクパケットを受信するように構成され、アップリンクパケットは、ユーザ端末のアイデンティティ情報と、ベアラタイプについての情報と、ベアラのアイデンティティ情報とを示す第１指示情報を保持する。
【０２４５】
識別モジュール１５０２は、第１指示情報に従って、アップリンクパケットに対応する、ユーザ端末、ベアラタイプ、およびベアラを認識するように構成される。
【０２４６】
第１処理モジュール１５０３は、ＰＤＣＰ層の機能をアップリンクパケットに対して実行するように構成される。
【０２４７】
任意で、第１処理モジュールは、アップリンクパケットのベアラタイプを認識するように、および、アップリンクパケットのベアラタイプがＤＲＢであるとき、ＤＲＢセキュリティ情報に従って、ＰＤＣＰ層の機能を第２パケットに対して実行し、処理済みアップリンクパケットをコアネットワークへ送信するか、または、アップリンクパケットのベアラタイプがＳＲＢであるとき、ＳＲＢセキュリティ情報に従って、ＰＤＣＰ層の機能、およびＲＲＣ層の機能を第２パケットに対して実行するように構成される。
【０２４８】
任意で、本発明のこの実施形態における無線ネットワークノードは、コアネットワークによって送信されるダウンリンクパケットを受信するように構成され、ダウンリンクパケットは、ユーザ端末のアイデンティティ情報と、ベアラタイプについての情報と、ベアラのアイデンティティ情報とを示す第２指示情報を保持する、第２受信モジュールと、ＲＲＣ層の機能、およびＰＤＣＰ層の機能をパケットに対して実装し、処理済みダウンリンクパケットを第２無線ネットワークノードへ送信するように構成され、これにより、第２無線ネットワークノードは、第２指示情報に従って、ダウンリンクパケットの、ユーザ端末、ベアラタイプ、およびベアラを認識する、第２処理モジュールとをさらに備える。
【０２４９】
任意で、本発明のこの実施形態における無線ネットワークノードは、ユーザ端末がハンドオーバ条件を満たすとき、ユーザ端末がハンドオーバされる先のターゲット無線ネットワークノードを判定し、第２無線ネットワークノードのＵＥコンテキスト情報を取得するように、および、ＵＥコンテキスト情報を保持するハンドオーバ要求メッセージをターゲット無線ネットワークノードへ送信し、これにより、ターゲット無線ネットワークノードが、アクセス許可をユーザ端末が有すると判定し、かつ、ハンドオーバリソースを準備した後に、ハンドオーバ応答メッセージを第１無線ネットワークノードへ返信するように、および、ターゲット無線ネットワークノードによって返信されるハンドオーバ応答メッセージを受信し、ハンドオーバ応答メッセージを第２無線ネットワークノードへ転送し、これにより、第２無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される第１ハンドオーバモジュールをさらに備える。
【０２５０】
任意で、本発明のこの実施形態における無線ネットワークノードは、ＵＥがハンドオーバ条件を満たすとき、ユーザ端末がハンドオーバされる先のターゲット無線ネットワークノードを判定するように、ならびに、ターゲット無線ネットワークノードの識別子を保持するハンドオーバ指示メッセージを第２無線ネットワークノードへ送信し、ハンドオーバ指示メッセージは、ユーザ端末のＵＥコンテキスト情報を取得するように、および、ＵＥコンテキスト情報を保持するハンドオーバ要件メッセージを第１無線ネットワークノードへ送信するように無線ネットワークノードに命令するために使用されるように、ならびに、ハンドオーバ要件メッセージに従って、ハンドオーバ要求メッセージをターゲット無線ネットワークノードへ送信し、これにより、ターゲット無線ネットワークノードが、アクセス許可をユーザ端末が有すると判定した後に、ハンドオーバ応答メッセージを第１無線ネットワークノードへ返信するように、ならびに、ターゲット無線ネットワークノードによって返信されるハンドオーバ応答メッセージを受信した後に、ハンドオーバ応答メッセージを第２無線ネットワークノードへ送信し、これにより、無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される第２ハンドオーバモジュールをさらに備える。
【０２５１】
本発明のこの実施形態および第５の方法の実施形態は、同一の思想に基づいており、同一の技術的効果をもたらす。具体的なプロセスについては、第５の方法の実施形態の説明を参照されたい。ここでは詳細を再度記載しない。
【０２５２】
図１６を参照すると、図１６は、本発明の第４実施形態に係る無線ネットワークノードの概略構造図である。本発明のこの実施形態において、無線ネットワークノードは、第１受信モジュール１６０１、識別モジュール１６０２、および第１処理モジュール１６０３を備える。
【０２５３】
第１受信モジュール１６０１は、第１無線ネットワークノードによって送信されるダウンリンクパケットを受信するように構成され、ダウンリンクパケットは、ユーザ端末のアイデンティティ情報と、ベアラタイプについての情報と、ベアラのアイデンティティ情報とを示す第１指示情報を保持する。
【０２５４】
識別モジュール１６０２は、第１指示情報に従って、ダウンリンクパケットに対応する、ユーザ端末、ベアラタイプ、およびベアラを認識するように構成される。
【０２５５】
第１処理モジュール１６０３は、ＰＤＣＰ層より下の層の機能をダウンリンクパケットに対して実行するように構成される。
【０２５６】
任意で、本発明のこの実施形態における無線ネットワークノードは、ユーザ端末によって送信されるアップリンクパケットを受信するように構成され、アップリンクパケットは、ユーザ端末のアイデンティティ情報と、ベアラタイプについての情報と、ベアラのアイデンティティ情報とを示す第２指示情報を保持する、第２受信モジュールと、ＰＤＣＰ層より下の層の機能をアップリンクパケットに対して実行し、処理済みアップリンクパケットを第１無線ネットワークノードへ送信するように構成され、これにより、第１無線ネットワークノードは、ＰＤＣＰ層の機能を処理済みアップリンクパケットに対して実行する、第２処理モジュールとをさらに備える。
【０２５７】
任意で、本発明のこの実施形態における無線ネットワークノードは、ユーザ端末によって送信される測定報告を第１無線ネットワークノードへ転送し、これにより、ユーザ端末がハンドオーバ条件を満たすことを第１無線ネットワークノードが測定報告に従って検出するとき、ユーザ端末がハンドオーバされる先のターゲット無線ネットワークノードを第１無線ネットワークノードが判定し、第１無線ネットワークノードが、ターゲット無線ネットワークノードのアイデンティティを保持するハンドオーバ指示を第２無線ネットワークノードへ返信するように、および、ターゲット無線ネットワークノードのアイデンティティを保持するハンドオーバ指示を受信した後に、ユーザ端末のＵＥコンテキスト情報を取得し、ＵＥコンテキスト情報を保持するハンドオーバ要件メッセージを第１無線ネットワークノードへ送信するように構成されるハンドオーバモジュールをさらに備える。
【０２５８】
本発明のこの実施形態および第６の方法の実施形態は、同一の思想に基づいており、同一の技術的効果をもたらす。具体的なプロセスについては、第６の方法の実施形態の説明を参照されたい。ここでは詳細を再度記載しない。
【０２５９】
図１７を参照すると、本発明の第５実施形態はさらに、無線ネットワークノードを提供する。本発明のこの実施形態において、無線ネットワークノードは、プロセッサ１７１、メモリ１７３、および通信インタフェース１７２を備える。通信インタフェース１７２は、外部デバイスと通信するように構成される。無線ネットワークノード１７には、１または複数のプロセッサが存在し得る。本発明のいくつかの実施形態において、プロセッサ１７１、メモリ１７３、および通信インタフェース１７２は、バスまたは別の方式を使用することによって、互いに接続され得る。無線ネットワークノードは、図４に示される方法を実行するように構成され得る。この実施形態において使用される用語の意味および例については、図４に対応する実施形態を参照されたい。ここでは詳細を再度記載しない。
【０２６０】
メモリ１７３はプログラムコードを記憶する。プロセッサ１７１は、メモリ１７３に記憶されたプログラムコードを呼び出し、ダウンリンクパケットのベアラタイプを認識する動作と、ベアラタイプがシグナリング無線ベアラＳＲＢであるとき、ダウンリンクパケットを第２無線ネットワークノードへ送信し、これにより、第２無線ネットワークノードが、パケットデータコンバージェンスプロトコルＰＤＣＰ層の機能をダウンリンクパケットに対して実行するか、または、ベアラタイプがデータ無線ベアラＤＲＢであるとき、ＰＤＣＰ層の機能をダウンリンクパケットに対して実行し、処理済みダウンリンクパケットを第２無線ネットワークノードへ送信する動作とを実行するように構成される。
【０２６１】
本発明のいくつかの実施形態において、プロセッサはさらに、第２無線ネットワークノードによって送信されるアップリンクパケットを受信し、第２無線ネットワークノードは、物理ＰＨＹ層の機能と、媒体アクセス制御ＭＡＣ層の機能と、論理リンク制御ＲＬＣ層の機能とをアップリンクパケットに対して実行し、アップリンクパケットのベアラタイプはＤＲＢであるように、ならびに、ＰＤＣＰ層の機能をアップリンクパケットに対して実行し、処理済みアップリンクパケットをコアネットワークへ送信するように構成される。
【０２６２】
本発明のいくつかの実施形態において、プロセッサはさらに、ＤＲＢセキュリティ情報およびＳＲＢセキュリティ情報をコアネットワークから取得するように、ならびに、ＤＲＢセキュリティ情報を記憶し、ＳＲＢセキュリティ情報を第２無線ネットワークノードへ送信するように構成され、ＰＤＣＰ層の機能をダウンリンクパケットに対して実行することは、ＤＲＢセキュリティ情報に従って、ＰＤＣＰ層の機能をダウンリンクパケットに対して実行することを含む。
【０２６３】
本発明のいくつかの実施形態において、ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち１つまたは複数を含む。
【０２６４】
本発明のいくつかの実施形態において、ダウンリンクパケットのベアラタイプを認識する前に、プロセッサはさらに、第２無線ネットワークノードによって送信されるユーザ端末識別子および接続要求を受信するように、ならびに、ユーザ端末識別子に対応するユーザ端末が、第２無線ネットワークノードにアクセスするための許可を有するとき、ユーザ端末識別子を保持するアドミッション指示を第２無線ネットワークノードへ返信するように構成され、アドミッション指示は、ユーザ端末と第２無線ネットワークノードとの間にＳＲＢを確立するようユーザ端末に命令するために使用される。
【０２６５】
本発明のいくつかの実施形態において、プロセッサはさらに、ユーザ端末がハンドオーバ条件を満たすとき、無線ネットワークノードによって管理される無線ネットワークノードセットの中から、第２無線ネットワークノードを除くターゲット無線ネットワークノードを判定し、ターゲット無線ネットワークノードの識別子を第２無線ネットワークノードへ送信するように、および、サービスデータの伝送状態パラメータを第２無線ネットワークノードから取得するように、および、ハンドオーバ動作をユーザ端末が完了した後に、伝送状態パラメータに従って、ターゲット無線ネットワークノードを使用することによってサービスデータをユーザ端末へ伝送するように構成される。
【０２６６】
本発明のいくつかの実施形態において、プロセッサが、第１無線ネットワークノードによって管理される無線ネットワークノードセットの中から、第２無線ネットワークノードを除くターゲット無線ネットワーク、ノードを判定することは、無線ネットワークノードセットにおける各無線ネットワークノードとユーザ端末との間のリンク品質パラメータを取得し、ターゲット無線ネットワークノードとして最適なリンク品質パラメータを有する無線ネットワークノードを選択することを含み、リンク品質パラメータは、基準信号受信電力ＲＳＲＰ、受信信号強度指標ＲＳＳＩ、または基準信号受信品質ＲＳＲＱのうち１つまたは複数を含む。
【０２６７】
図１８を参照すると、本発明の第６実施形態はさらに、無線ネットワークノードを提供する。本発明のこの実施形態において、無線ネットワークノードは、プロセッサ１８１、メモリ１８３、および通信インタフェース１８２を備える。通信インタフェース１８２は、外部デバイスと通信するように構成される。無線ネットワークノード１８には１または複数のプロセッサが存在し得る。本発明のいくつかの実施形態において、プロセッサ１８１、メモリ１８３、および通信インタフェース１８２は、バスまたは別の方式を使用することによって、互いに接続され得る。無線ネットワークノードは、図５に示される方法を実行するように構成され得る。この実施形態において使用される用語の意味および例については、図５に対応する実施形態を参照されたい。ここでは詳細を再度記載しない。
【０２６８】
メモリ１８３はプログラムコードを記憶する。プロセッサ１８１は、メモリ１８３に記憶されたプログラムコードを呼び出し、ユーザ端末によって送信されるアップリンクパケットのベアラタイプを認識する動作と、ベアラタイプがＳＲＢであるとき、ＰＨＹ層の機能、およびＰＨＹ層より上の層の機能をアップリンクパケットに対して実行するか、または、ベアラタイプがＤＲＢであるとき、ＰＨＹ層の機能、ＭＡＣ層の機能、およびＲＬＣ層の機能をアップリンクパケットに対して実行し、処理済みアップリンクパケットを第１無線ネットワークノードへ送信し、これにより、第１無線ネットワークノードは、ＰＤＣＰ層の機能を処理済みアップリンクパケットに対して実行する、動作とを実行するように構成される。
【０２６９】
本発明のいくつかの実施形態において、プロセッサが、ＰＨＹ層の機能、およびＰＨＹ層より上の層の機能をアップリンクパケットに対して実行することは、第１無線ネットワークノードによって送信されるＳＲＢセキュリティ情報を受信し、ＳＲＢセキュリティ情報に従って、ＰＤＣＰ層の機能をアップリンクパケットに対して実行することを有する。
【０２７０】
本発明のいくつかの実施形態において、プロセッサはさらに、第１無線ネットワークノードによって送信されるダウンリンクパケットを受信し、ダウンリンクパケットのベアラタイプはＳＲＢであるように、ならびに、ＲＲＣ層の機能、およびＲＲＣ層より下の層の機能をダウンリンクパケットに対して実行し、処理済みダウンリンクパケットをユーザ端末へ送信するように構成される。
【０２７１】
本発明のいくつかの実施形態において、プロセッサはさらに、ユーザ端末識別子を保持する、ユーザ端末によって送信される接続要求を第１無線ネットワークノードへ転送するように、および、ユーザ端末がアクセス許可を有すると第１無線ネットワークノードが判定した後に生成される、ユーザ端末識別子を保持するアドミッション指示を受信するように、および、アドミッション指示に従って接続確立メッセージを生成し、接続確立メッセージをユーザ端末へ送信し、これにより、ユーザ端末は、接続確立メッセージに従ってＳＲＢを確立し、ＳＲＢの確立に成功した後に、接続確立完了メッセージを返信するように、および、受信された接続確立完了メッセージを第１無線ネットワークノードへ送信するように構成される。
【０２７２】
本発明のいくつかの実施形態において、プロセッサはさらに、ユーザ端末がハンドオーバ条件を満たすとき、ユーザ端末がハンドオーバされる先のターゲット無線ネットワークノードを判定するように、ならびに、ＳＲＢセキュリティ情報を保持するハンドオーバ要求メッセージをターゲット無線ネットワークノードへ送信し、これにより、ターゲット無線ネットワークノードが、ハンドオーバリソースを準備した後に、ハンドオーバ命令メッセージを返信するように、ならびに、ハンドオーバ命令メッセージをユーザ端末へ転送し、ハンドオーバ命令メッセージはＳＲＢセキュリティ情報を保持し、これにより、ハンドオーバ動作を完了した後に、ユーザ端末がハンドオーバ完了メッセージをターゲット無線ネットワークノードへ返信し、および、ハンドオーバ完了メッセージを受信した後に、ターゲット無線ネットワークアクセスノードが、ＳＲＢセキュリティ情報に従って、シグナリングデータに対してセキュリティ保護を実行するように構成される。
【０２７３】
本発明のいくつかの実施形態において、ユーザ端末がハンドオーバ条件を満たすとき、ユーザ端末がハンドオーバされる先のターゲット無線ネットワークノードをプロセッサが判定することは、ユーザ端末の信号搬送波レベルが第１閾値より低いとき、ユーザ端末がハンドオーバ条件を満たすと判定するか、または、ユーザ端末の信号搬送波対干渉波比が第２閾値より低いとき、ユーザ端末がハンドオーバ条件を満たすと判定するか、または、第２無線ネットワークノードとユーザ端末との間の距離が第３閾値より大きいとき、ユーザ端末がハンドオーバ条件を満たすと判定するように、および、ターゲット無線ネットワークノードのアイデンティティを保持する、第１無線ネットワークノードによって送信されるハンドオーバ指示を受信し、アイデンティティに従って、ターゲット無線ネットワークノードを判定することを含む。
【０２７４】
図１９を参照すると、本発明の第７実施形態はさらに、無線ネットワークノードを提供する。本発明のこの実施形態において、無線ネットワークノードは、プロセッサ１９１、メモリ１９３、および通信インタフェース１９２を備える。通信インタフェース１９２は、外部デバイスと通信するように構成される。無線ネットワークノード１９には１または複数のプロセッサが存在し得る。本発明のいくつかの実施形態において、プロセッサ１９１、メモリ１９３、および通信インタフェースは、バスまたは別の方式を使用することによって、互いに接続され得る。無線ネットワークノードは、図８に示される方法を実行するように構成され得る。この実施形態において使用される用語の意味および例については、図８に対応する実施形態を参照されたい。ここでは詳細を再度記載しない。
【０２７５】
メモリ１９３はプログラムコードを記憶する。プロセッサ１８１は、メモリ１８３に記憶されたプログラムコードを呼び出して、第２無線ネットワークデバイスによって送信されるアップリンクパケットを受信する動作であって、アップリンクパケットは、ユーザ端末のアイデンティティ情報と、ベアラタイプについての情報と、ベアラのアイデンティティ情報とを示す第１指示情報を保持する、動作と、第１指示情報に従って、アップリンクパケットに対応する、ユーザ端末、ベアラタイプ、およびベアラを認識する段階と、ＰＤＣＰ層の機能をアップリンクパケットに対して実行する動作とを実行するように構成される。
【０２７６】
本発明のいくつかの実施形態において、プロセッサが、ＰＤＣＰ層の機能をアップリンクパケットに対して実装することは、アップリンクパケットのベアラタイプを認識することと、アップリンクパケットのベアラタイプがＤＲＢであるとき、ＤＲＢセキュリティ情報に従って、ＰＤＣＰ層の機能を第２パケットに対して実行し、処理済みアップリンクパケットをコアネットワークへ送信するか、または、アップリンクパケットのベアラタイプがＳＲＢであるとき、ＳＲＢセキュリティ情報に従って、ＰＤＣＰ層の機能、およびＲＲＣ層の機能を第２パケットに対して実行することとを含む。
【０２７７】
本発明のいくつかの実施形態において、プロセッサはさらに、コアネットワークによって送信されるダウンリンクパケットを受信し、ダウンリンクパケットは、ユーザ端末のアイデンティティ情報と、ベアラタイプについての情報と、ベアラのアイデンティティ情報とを示す第２指示情報を保持するように、ならびに、第１無線ネットワークノードによって、ＲＲＣ層の機能と、ＰＤＣＰ層の機能とをパケットに対して実装し、処理済みダウンリンクパケットを第２無線ネットワークノードへ送信し、これにより、第２無線ネットワークノードは、第２指示情報に従って、ダウンリンクパケットの、ユーザ端末、ベアラタイプ、およびベアラを認識するように構成される。
【０２７８】
本発明のいくつかの実施形態において、プロセッサはさらに、ユーザ端末がハンドオーバ条件を満たすとき、ユーザ端末がハンドオーバされる先のターゲット無線ネットワークノードを判定し、第２無線ネットワークノードのＵＥコンテキスト情報を取得するように、および、ＵＥコンテキスト情報を保持するハンドオーバ要求メッセージをターゲット無線ネットワークノードへ送信し、これにより、ターゲット無線ネットワークノードが、アクセス許可をユーザ端末が有すると判定し、かつ、ハンドオーバリソースを準備した後に、ハンドオーバ応答メッセージを返信するように、および、ターゲット無線ネットワークノードによって返信されるハンドオーバ応答メッセージを受信し、ハンドオーバ応答メッセージを第２無線ネットワークノードへ転送し、これにより、第２無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される。
【０２７９】
本発明のいくつかの実施形態において、プロセッサはさらに、ユーザ端末がハンドオーバ条件を満たすとき、ユーザ端末がハンドオーバされる先のターゲット無線ネットワークノードを判定するように、ならびに、ターゲット無線ネットワークノードの識別子を保持するハンドオーバ指示メッセージを第２無線ネットワークノードへ送信し、ハンドオーバ指示メッセージは、ユーザ端末のＵＥコンテキスト情報を取得するように、および、ＵＥコンテキスト情報を保持するハンドオーバ要件メッセージを送信するように無線ネットワークノードに命令するために使用されるように、ならびに、ハンドオーバ要件メッセージに従って、ハンドオーバ要求メッセージをターゲット無線ネットワークノードへ送信し、これにより、ターゲット無線ネットワークノードが、アクセス許可をユーザ端末が有すると判定した後に、ハンドオーバ応答メッセージを返信するように、ならびに、ターゲット無線ネットワークノードによって返信されるハンドオーバ応答メッセージを受信した後に、ハンドオーバ応答メッセージを第２無線ネットワークノードへ送信し、これにより、無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される。
【０２８０】
図２０を参照すると、本発明の第８実施形態はさらに、無線ネットワークノードを提供する。本発明のこの実施形態において、無線ネットワークノード２０は、プロセッサ２０１、メモリ２０３、および通信インタフェース２０２を備える。通信インタフェース２０２は、外部デバイスと通信するように構成される。無線ネットワークノード２０には１または複数のプロセッサが存在し得る。本発明のいくつかの実施形態において、プロセッサ２０１、メモリ２０３、および通信インタフェース２０２は、バスまたは別の方式を使用することによって、互いに接続され得る。無線ネットワークノードは、図９に示される方法を実行するように構成され得る。この実施形態において使用される用語の意味および例については、図９に対応する実施形態を参照されたい。ここでは詳細を再度記載しない。
【０２８１】
メモリ２０３はプログラムコードを記憶する。プロセッサ２０１は、メモリ２０２に記憶されたプログラムコードを呼び出し、第１無線ネットワークノードによって送信されるダウンリンクパケットを受信する動作であって、ダウンリンクパケットは、ユーザ端末のアイデンティティ情報と、ベアラタイプについての情報と、ベアラのアイデンティティ情報とを示す第１指示情報を保持する、動作と、第１指示情報に従って、ダウンリンクパケットに対応する、ユーザ端末、ベアラタイプ、およびベアラを認識する動作と、ＰＤＣＰ層より下の層の機能をダウンリンクパケットに対して実行する動作とを実行するように構成される。
【０２８２】
本発明のいくつかの実施形態において、プロセッサはさらに、ユーザ端末によって送信されるアップリンクパケットを受信し、アップリンクパケットは、ユーザ端末のアイデンティティ情報と、ベアラタイプについての情報と、ベアラのアイデンティティ情報とを示す第２指示情報を保持するように、および、ＰＤＣＰ層より下の層の機能をアップリンクパケットに対して実行し、処理済みアップリンクパケットを第１無線ネットワークノードへ送信し、これにより、第１無線ネットワークノードは、ＰＤＣＰ層の機能を処理済みアップリンクパケットに対して実行するように構成される。
【０２８３】
本発明のいくつかの実施形態において、プロセッサはさらに、ユーザ端末によって送信される測定報告を第１無線ネットワークノードへ転送し、これにより、ユーザ端末がハンドオーバ条件を満たすかどうかを第１無線ネットワークノードが測定報告に従って検出するとき、ユーザ端末がハンドオーバされる先のターゲット無線ネットワークノードを第１無線ネットワークノードが判定し、第１無線ネットワークノードが、ターゲット無線ネットワークノードのアイデンティティを保持するハンドオーバ指示を第２無線ネットワークノードへ返信するように、および、ターゲット無線ネットワークノードのアイデンティティを保持するハンドオーバ指示を受信した後に、ユーザ端末のＵＥコンテキスト情報を取得し、ＵＥコンテキスト情報を保持するハンドオーバ要件メッセージを第１無線ネットワークノードへ送信するように構成される。
【０２８４】
当業者であれば、実施形態における方法のプロセスのすべてまたは一部が、関連するハードウェアに命令するコンピュータプログラムにより実装され得ることを理解し得る。プログラムは、コンピュータ可読記憶媒体内に記憶され得る。プログラムが実行するとき、実施形態における方法のプロセスが実行される。上述の記憶媒体は、磁気ディスク、光ディスク、リードオンリメモリ（Ｒｅａｄ−Ｏｎｌｙ  Ｍｅｍｏｒｙ、ＲＯＭ）、またはランダムアクセスメモリ（Ｒａｎｄｏｍ  Ａｃｃｅｓｓ  Ｍｅｍｏｒｙ、ＲＡＭ）を含み得る。
【０２８５】
上で開示されたものは、本発明の実施形態の例に過ぎず、本発明の保護範囲を限定することを意図するものでないことは明らかである。当業者は、上述の実施形態を実装する処理の全部または一部および本発明の特許請求の範囲に従い成される等価な修正は、本発明の範囲に属することを理解できる。
【図１】
2018519741.tif 000003
【図２】
2018519741.tif 000004
【図３】
2018519741.tif 000005
【図４】
2018519741.tif 000006
【図５】
2018519741.tif 000007
【図６】
2018519741.tif 000008
【図７】
2018519741.tif 000009
【図８】
2018519741.tif 000010
【図９】
2018519741.tif 000011
【図１０Ａ】
2018519741.tif 000012
【図１０Ｂ】
2018519741.tif 000013
【図１１】
2018519741.tif 000014
【図１２】
2018519741.tif 000015
【図１３】
2018519741.tif 000016
【図１４】
2018519741.tif 000017
【図１５】
2018519741.tif 000018
【図１６】
2018519741.tif 000019
【図１７】
2018519741.tif 000020
【図１８】
2018519741.tif 000021
【図１９】
2018519741.tif 000022
【図２０】
2018519741.tif 000023
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
データ伝送の方法であって、
第１無線ネットワークノードが、アップリンクパケットを第２無線ネットワークノードから受信する段階であって、前記アップリンクパケットは、ユーザ端末のアイデンティティ情報と、ベアラタイプについての情報と、ベアラのアイデンティティ情報とを示す指示情報を保持する、段階と、
前記第１無線ネットワークノードが、前記指示情報に従って、前記アップリンクパケットに対応する、前記ユーザ端末、前記ベアラタイプ、および前記ベアラを認識する段階と、
前記第１無線ネットワークノードが、パケットデータコンバージェンスプロトコル層の機能を前記アップリンクパケットに対して実行する段階と
を備える方法。
【請求項２】
前記第１無線ネットワークノードおよび前記第２無線ネットワークノードは基地局に備えられ、
前記第１無線ネットワークノードは、無線リソース制御層および前記パケットデータコンバージェンスプロトコル層を有し、
前記第２無線ネットワークノードは、無線リンク制御層、媒体アクセス制御層、および物理層を有する、
請求項１に記載の方法。
【請求項３】
前記パケットデータコンバージェンスプロトコル層に対応する機能は、ヘッダ圧縮、セキュリティ、および並べ替えを含み、
前記無線リンク制御層に対応する機能は、セグメント化、カスケード化、および自動再送要求を含み、
前記媒体アクセス制御層に対応する機能は、スケジューリング、論理チャネル優先処理、およびハイブリッド自動再送要求を含み、
前記物理層に対応する機能は、変調、復調、符号化、およびマルチアンテナマッピングを含む、
請求項２に記載の方法。
【請求項４】
第１無線ネットワークノードおよび第２無線ネットワークノードを備える基地局であって、
前記第１無線ネットワークノードは、無線リソース制御層およびパケットデータコンバージェンスプロトコル層を有し、
前記第２無線ネットワークノードは、無線リンク制御層、媒体アクセス制御層、および物理層を有する、
基地局。
【請求項５】
前記第２無線ネットワークノードは、アップリンクパケットを前記第１無線ネットワークノードへ送信し、前記アップリンクパケットは、ユーザ端末のアイデンティティ情報と、ベアラタイプについての情報と、ベアラのアイデンティティ情報とを示す指示情報を保持し、
前記第１無線ネットワークノードは、前記指示情報に従って、前記アップリンクパケットに対応する、前記ユーザ端末、前記ベアラタイプ、および前記ベアラを認識し、
前記第１無線ネットワークノードは、前記パケットデータコンバージェンスプロトコル層の機能を前記アップリンクパケットに対して実行する、
請求項４に記載の基地局。
【請求項６】
前記パケットデータコンバージェンスプロトコル層に対応する機能は、ヘッダ圧縮、セキュリティ、および並べ替えを含み、
前記無線リンク制御層に対応する機能は、セグメント化、カスケード化、および自動再送要求を含み、
前記媒体アクセス制御層に対応する機能は、スケジューリング、論理チャネル優先処理、およびハイブリッド自動再送要求を含み、
前記物理層に対応する機能は、変調、復調、符号化、およびマルチアンテナマッピングを含む、
請求項４または５に記載の基地局。
【請求項７】
少なくとも１つのプロセッサおよびメモリを備える無線ネットワークノードであって、前記メモリは、プログラムコードを記憶し、前記プログラムコードが前記少なくとも１つのプロセッサ上で実行されるとき、前記無線ネットワークノードは、前記第１無線ネットワークノードまたは前記第２無線ネットワークノードの、請求項１から３、５、および６のいずれか一項に記載の前記機能を実装する、無線ネットワークノード。
【請求項８】
プログラムコードであって、前記プログラムコードが実行されるとき、前記第１無線ネットワークノードまたは前記第２無線ネットワークノードの、請求項１から３、５、および６のいずれか一項に記載の前記機能が実装される、プログラムコード。
【請求項９】
少なくとも１つのプロセッサを備えるシステムオンチップであって、プログラムコードが前記少なくとも１つのプロセッサ上で実行されるとき、前記第１無線ネットワークノードまたは前記第２無線ネットワークノードの、請求項１から３、５、および６のいずれか一項に記載の前記機能が実装される、システムオンチップ。
【手続補正２】
【補正対象書類名】明細書
【補正対象項目名】全文
【補正方法】変更
【補正の内容】
【発明の詳細な説明】
【技術分野】
【０００１】
本発明は、通信分野に関連し、特に、データ伝送方法、無線ネットワークノード、および通信システムに関連する。
【背景技術】
【０００２】
サービスが指数関数的に増大するにつれて、モバイルネットワークは、５Ｇモバイルネットワークを目指して進化している。５Ｇネットワークは、サービスの爆発的な増大をサポートするために、より大きい帯域幅、より高いスペクトル効率、および同様のものを提供する必要がある。超高密度低電力スモールセルネットワークを使用することによって、より大きいデータ量を効果的に提供できる。しかしながら、高密度ネットワークを配備する結果、セル間の干渉がより大きくなり、干渉の状況がより複雑になる。上述の問題を解決するために、集中化された処理法であるＣ‐ＲＡＮが提供される。この解決法は、干渉の問題と、スモールセル間の負荷分散とを効果的に解決でき、これにより、システム容量を効果的に向上させる。Ｃ‐ＲＡＮシステムは、ＲＲＵ（Ｒｅｍｏｔｅ  Ｒａｄｉｏ  Ｕｎｉｔ、略称：ＲＲＵ）およびＢＢＵプールを備える。ＢＢＵプールは、複数のＢＢＵ（Ｂａｓｅｂａｎｄ  Ｕｎｉｔ、略称：ＢＢＵ）を有する。ＲＲＵは、ＣＰＲＩ（Ｃｏｍｍｏｎ  Ｐｕｂｌｉｃ  Ｒａｄｉｏ  Ｉｎｔｅｒｆａｃｅ、略称：ＣＰＲＩ）を使用することによってＢＢＵプールに接続される。
【０００３】
現在のＣ‐ＲＡＮの解決法は、システム容量を効果的に向上させることができる。しかしながら、ＲＲＵとＢＢＵプールとの間には、理想的なトランスポートネットワークが必要とされる。すなわち、ＣＰＲＩは、理想的な帯域幅および理想的な遅延を必要とする。例えば、８つのアンテナをサポートする、２０ＭＨｚの帯域幅を有するセルについては、ベースバンド帯域幅が２０ＭＨｚであるとき、ベースバンドサンプリングレートが３０．７２Ｍであり、かつ、サンプリングビット幅が１５ビットである場合、アンテナの回線速度は、３０．７２×１５×２（Ｉ／Ｑ）×１６／１５（１５ビットのデータあたり１ビットの制御ワード）＝９８３．０４Ｍであり、８Ｂ／１０Ｂ符号化後、ＣＰＲＩ上の伝送速度は、９８３．０４Ｍ×１０／８＝１２２８．８Ｍである。すなわち、ＭＩＭＯ（Ｍｕｌｔｉｐｌｅ−Ｉｎｐｕｔ  Ｍｕｌｔｉｐｌｅ−Ｏｕｔｐｕｔ、多入力多出力、略称：ＭＩＭＯ）が使用されていないとき、単一セクタ内の単一のアンテナは、ＣＰＲＩ上で１２２８．８Ｍの伝送速度を必要とする。８つのアンテナがある場合、１２２８．８Ｍに８を乗算する必要がある。つまり、伝送速度は１０Ｇｂｉｔ／ｓである。そのような高い伝送速度をＲＲＵとＢＢＵプールとの間で実現することは困難である。従って、伝送帯域幅および遅延についての要件を下げることができる解決法が緊急に必要とされている。
【発明の概要】
【０００４】
本発明の実施形態の目的は、データ伝送方法、無線ネットワークノード、および通信システムを提供し、これにより、伝送帯域幅および遅延についての要件が高いという従来技術における問題を解決することである。
【０００５】
上述の技術的問題を解決するために、本発明の実施形態の第１態様は、第１無線ネットワークノードがダウンリンクパケットのベアラタイプを認識する段階と、ベアラタイプがＳＲＢであるとき、第１無線ネットワークノードがダウンリンクパケットを第２無線ネットワークノードへ送信し、これにより、第２無線ネットワークノードは、ＰＤＣＰ層の機能をダウンリンクパケットに対して実行するか、または、ベアラタイプがＤＲＢであるとき、第１無線ネットワークノードが、ダウンリンクパケットに対してＰＤＣＰ層の機能を実行し、処理済みダウンリンクパケットを第２無線ネットワークノードへ送信する段階とを備えるデータ伝送方法を提供する。
【０００６】
第１態様に関連して、第１の可能な実装において、上述の方法はさらに、第１無線ネットワークノードが、第２無線ネットワークノードによって送信されるアップリンクパケットを受信する段階であって、第２無線ネットワークノードは、ＰＨＹ層の機能、ＭＡＣ層の機能、およびＲＬＣ層の機能をアップリンクパケットに対して実行し、アップリンクパケットのベアラタイプはＤＲＢである、段階と、第１無線ネットワークノードが、ＰＤＣＰ層の機能をアップリンクパケットに対して実行し、処理済みアップリンクパケットをコアネットワークへ送信する段階とをさらに備える。
【０００７】
第１態様または第１の可能な実装に関連して、第２の可能な実装において、上述の方法はさらに、第１無線ネットワークノードが、ＤＲＢセキュリティ情報およびＳＲＢセキュリティ情報をコアネットワークから取得し、第１無線ネットワークノードが、ＤＲＢセキュリティ情報を記憶し、ＳＲＢセキュリティ情報を第２無線ネットワークノードへ送信する段階をさらに備え、第１無線ネットワークノードが、ＰＤＣＰ層の機能をダウンリンクパケットに対して実行する段階は、第１無線ネットワークノードが、ＤＲＢセキュリティ情報に従って、ＰＤＣＰ層の機能をダウンリンクパケットに対して実行する段階を有する。
【０００８】
第１態様の第２の可能な実装に関連して、第３の可能な実装において、ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち１つまたは複数を含む。
【０００９】
第１態様に関連して、第４の可能な実装において、第１無線ネットワークノードがダウンリンクパケットのベアラタイプを認識する段階の前に、方法はさらに、第１無線ネットワークノードが、第２無線ネットワークノードによって送信されるユーザ端末識別子および接続要求を受信する段階と、ユーザ端末識別子に対応するユーザ端末が、第２無線ネットワークノードにアクセスするための許可を有するとき、第１無線ネットワークノードが、ユーザ端末識別子を保持するアドミッション指示を第２無線ネットワークノードへ返信する段階であって、アドミッション指示は、ユーザ端末と第２無線ネットワークノードとの間にＳＲＢを確立するようにユーザ端末に命令するために使用される、段階とを備える。
【００１０】
第１態様から第４の可能な実装のいずれか１つに関連して、第５の可能な実装において、上述の方法はさらに、ＵＥがハンドオーバ条件を満たすとき、第１無線ネットワークノードが、第１無線ネットワークノードによって管理される無線ネットワークノードセットの中から、第２無線ネットワークノードを除くターゲット無線ネットワークノードを判定し、ターゲット無線ネットワークノードの識別子を第２無線ネットワークノードへ送信する段階と、第１無線ネットワークノードが、サービスデータの伝送状態パラメータを第２無線ネットワークノードから取得する段階と、ハンドオーバ動作をＵＥが完了した後、第１無線ネットワークノードが、伝送状態パラメータに従って、ターゲット無線ネットワークノードを使用することによってサービスデータをＵＥへ伝送する段階とを備える。
【００１１】
第１態様の第５の可能な実装に関連して、第６の可能な実装において、第１無線ネットワークノードが、第１無線ネットワークノードによって管理される無線ネットワークノードセットの中から、第２無線ネットワークノードを除くターゲット無線ネットワークノードを判定する段階は、第１無線ネットワークノードが、無線ネットワークノードセットにおける各無線ネットワークノードと、ユーザ端末との間のリンク品質パラメータを取得し、ターゲット無線ネットワークノードとして最適なリンク品質パラメータを有する無線ネットワークノードを選択する段階であって、リンク品質パラメータは、ＲＳＲＰ、ＲＳＳＩ、またはＲＳＲＱのうち１つまたは複数を含む、段階を有する。
【００１２】
本発明の実施形態の第２態様は、ダウンリンクパケットのベアラタイプを認識するように構成される識別モジュールと、ベアラタイプがＳＲＢであるとき、第１無線ネットワークノードによって、ダウンリンクパケットを第２無線ネットワークノードへ送信するように構成され、これにより、第２無線ネットワークノードが、ＰＤＣＰ層の機能をダウンリンクパケットに対して実行する、第１送信モジュール、または、ベアラタイプがＤＲＢであるとき、ダウンリンクパケットに対してＰＤＣＰ層の機能を実行し、処理済みダウンリンクパケットを第２無線ネットワークノードへ送信するように構成される第１処理モジュールを備える無線ネットワークノードを提供する。
【００１３】
第２態様に関連して、第１の可能な実装において、上述のノードは、第２無線ネットワークノードによって送信されるアップリンクパケットを受信するように構成される受信モジュールであって、第２無線ネットワークノードにおいて、ＰＨＹ層の機能、ＭＡＣ層の機能、およびＲＬＣ層の機能がアップリンクパケットに対して実行され、アップリンクパケットのベアラタイプはＤＲＢである、受信モジュールと、ＰＤＣＰ層の機能をアップリンクパケットに対して実行し、処理済みアップリンクパケットをコアネットワークへ送信するように構成される第２処理モジュールとをさらに備える。
【００１４】
第２態様または第１の可能な実装に関連して、第２の可能な実装において、上述のノードは、ＤＲＢセキュリティ情報およびＳＲＢセキュリティ情報をコアネットワークから取得するように構成されるセキュリティ情報取得モジュールであって、第１無線ネットワークノードはＤＲＢセキュリティ情報を記憶し、ＳＲＢセキュリティ情報を第２無線ネットワークノードへ送信する、セキュリティ情報取得モジュールをさらに備え、第１処理モジュールは、ＤＲＢセキュリティ情報に従って、ＰＤＣＰ層の機能をダウンリンクパケットに対して実行するように構成される。
【００１５】
第２態様の第２の可能な実装に関連して、第３の可能な実装において、ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち１つまたは複数を含む。
【００１６】
第２態様に関連して、第４の可能な実装において、ノードは、第２無線ネットワークノードによって送信されるユーザ端末識別子および接続要求を受信するように、ならびに、ユーザ端末識別子に対応するユーザ端末が、第２無線ネットワークノードにアクセスするための許可を有するとき、ユーザ端末識別子を保持するアドミッション指示を第２無線ネットワークノードへ返信するように構成されるＳＲＢ確立モジュールをさらに備え、アドミッション指示は、ユーザ端末と第２無線ネットワークノードとの間にＳＲＢを確立するようユーザ端末に命令するために使用される。
【００１７】
第２態様から第４の可能な実装のいずれか１つに関連して、第５の可能な実装において、ノードは、ＵＥがハンドオーバ条件を満たすとき、無線ネットワークノードによって管理される無線ネットワークノードセットの中から、第２無線ネットワークノードを除くターゲット無線ネットワークノードを判定し、ターゲット無線ネットワークノードの識別子を第２無線ネットワークノードへ送信するように、および、サービスデータの伝送状態パラメータを第２無線ネットワークノードから取得するように、および、ハンドオーバ動作をＵＥが完了した後に、伝送状態パラメータに従って、ターゲット無線ネットワークノードを使用することによってサービスデータをＵＥへ伝送するように構成されるハンドオーバモジュールをさらに備える。
【００１８】
第２態様の第５の可能な実装に関連して、第６の可能な実装において、ハンドオーバモジュールは、無線ネットワークノードセットにおける各無線ネットワークノードとユーザ端末との間のリンク品質パラメータを取得するように、および、ターゲット無線ネットワークノードとして最適なリンク品質パラメータを有する無線ネットワークノードを選択するように構成され、リンク品質パラメータは、ＲＳＲＰ、ＲＳＳＩ、またはＲＳＲＱのうち１つまたは複数を含む。
【００１９】
本発明の実施形態の第３の態様は、メモリおよびプロセッサを備える無線ネットワークノードであって、メモリは、第１態様のいずれか１つに係るデータ伝送方法を実装するための命令を記憶し、プロセッサは、第１態様のいずれか１つに係るデータ伝送方法を実装するために、メモリの中の命令を呼び出して実行する無線ネットワークノードを提供する。
【００２０】
本発明の実施形態の第４態様は、データ伝送方法を実行するためにコンピュータデバイスを制御するように構成される記憶媒体であって、方法は、ダウンリンクパケットのベアラタイプを認識する段階と、ベアラタイプがシグナリング無線ベアラＳＲＢであるとき、ダウンリンクパケットを第２無線ネットワークノードへ送信し、これにより、第２無線ネットワークノードが、パケットデータコンバージェンスプロトコルＰＤＣＰ層の機能をダウンリンクパケットに対して実行するか、または、ベアラタイプがデータ無線ベアラＤＲＢであるとき、ＰＤＣＰ層の機能をダウンリンクパケットに対して実行し、処理済みダウンリンクパケットを第２無線ネットワークノードへ送信する段階とを備える、記憶媒体を提供する。
【００２１】
本発明の実施形態の第５態様は、第２無線ネットワークノードが、ユーザ端末によって送信されるアップリンクパケットのベアラタイプを認識する段階と、ベアラタイプがＳＲＢであるとき、第２無線ネットワークノードが、ＰＨＹ層の機能、および、ＰＨＹ層より上の層の機能をアップリンクパケットに対して実行するか、または、ベアラタイプがＤＲＢであるとき、第２無線ネットワークノードが、ＰＨＹ層の機能、ＭＡＣ層の機能、およびＲＬＣ層の機能をアップリンクパケットに対して実行し、処理済みアップリンクパケットを第１無線ネットワークノードへ送信し、これにより、第１無線ネットワークノードが、ＰＤＣＰ層の機能を処理済みアップリンクパケットに対して実行する、段階とを備えるデータ伝送方法を提供する。
【００２２】
第５態様に関連して、第１の可能な実装において、第２無線ネットワークノードが、ＰＨＹ層の機能、およびＰＨＹ層より上の層の機能をアップリンクパケットに対して実行する段階は、第２無線ネットワークノードが、第１無線ネットワークノードによって送信されるＳＲＢセキュリティ情報を受信し、ＳＲＢセキュリティ情報に従って、ＰＤＣＰ層の機能をアップリンクパケットに対して実行する段階を有する。
【００２３】
第５態様または第１の可能な実装に関連して、第２の可能な実装において、方法は、第２無線ネットワークノードが、第１無線ネットワークノードによって送信されるダウンリンクパケットを受信する段階であって、ダウンリンクパケットのベアラタイプがＳＲＢである、段階と、第２無線ネットワークノードが、ＲＲＣ層の機能、およびＲＲＣ層より下の層の機能をダウンリンクパケットに対して実行し、処理済みダウンリンクパケットをユーザ端末へ送信する段階とをさらに備える。
【００２４】
第５態様に関連して、第３の可能な実装において、方法は、第２無線ネットワークノードが、ユーザ端末識別子を保持する、ユーザ端末によって送信される接続要求を第１無線ネットワークノードへ転送する段階と、ユーザ端末がアクセス許可を有すると第１無線ネットワークノードが判定した後に生成されるアドミッション指示を第２無線ネットワークノードが受信する段階であって、アドミッション指示はユーザ端末識別子を保持する、段階と、第２無線ネットワークノードが、アドミッション指示に従って接続確立メッセージを生成し、接続確立メッセージをユーザ端末へ送信し、これにより、ユーザ端末が、接続確立メッセージに従ってＳＲＢを確立し、ＳＲＢの確立に成功した後に接続確立完了メッセージを第２無線ネットワークノードへ返信する段階と、第２無線ネットワークノードが、受信された接続確立完了メッセージを第１無線ネットワークノードへ送信する段階とをさらに備える。
【００２５】
第５態様の第１の可能な実装に関連して、第４の可能な実装において、方法は、ユーザ端末がハンドオーバ条件を満たすとき、ユーザ端末がハンドオーバされる先のターゲット無線ネットワークノードを第２無線ネットワークノードが判定する段階と、第２無線ネットワークノードが、ＳＲＢセキュリティ情報を保持するハンドオーバ要求メッセージをターゲット無線ネットワークノードへ送信し、これにより、ターゲット無線ネットワークノードが、ハンドオーバリソースを準備した後に、ハンドオーバ命令メッセージを第２無線ネットワークノードへ返信する、段階と、第２無線ネットワークノードが、ハンドオーバ命令メッセージをユーザ端末へ転送する段階であって、ハンドオーバ命令メッセージはＳＲＢセキュリティ情報を保持し、これにより、ユーザ端末は、ハンドオーバ動作が完了した後に、ハンドオーバ完了メッセージをターゲット無線ネットワークノードへ返信し、および、ターゲット無線ネットワークアクセスノードは、ハンドオーバ完了メッセージを受信した後に、ＳＲＢセキュリティ情報に従って、セキュリティ保護をシグナリングデータに対して実行する、段階とをさらに備える。
【００２６】
第５態様の第４の可能な実装に関連して、第５の可能な実装において、第２無線ネットワークノードが、ユーザ端末がハンドオーバ条件を満たすことを検出したとき、ユーザ端末がハンドオーバされる先のターゲット無線ネットワークノードを判定する段階は、ユーザ端末の信号搬送波レベルが第１閾値より低いとき、ユーザ端末がハンドオーバ条件を満たすと第２無線ネットワークノードが判定するか、または、ユーザ端末の信号搬送波対干渉波比が第２閾値より低いとき、ユーザ端末がハンドオーバ条件を満たすと第２無線ネットワークノードが判定するか、または、第２無線ネットワークノードとユーザ端末との間の距離が第３閾値より大きいとき、ユーザ端末がハンドオーバ条件を満たすと第２無線ネットワークノードが判定する段階と、第２無線ネットワークノードが、ターゲット無線ネットワークノードのアイデンティティを保持する、第１無線ネットワークノードによって送信されるハンドオーバ指示を受信し、アイデンティティに従ってターゲット無線ネットワークノードを判定する段階とを備える。
【００２７】
本発明の実施形態の第６態様は、ユーザ端末によって送信されるアップリンクパケットのベアラタイプを認識するように構成される識別モジュールと、ベアラタイプがＳＲＢであるとき、ＰＨＹ層の機能、およびＰＨＹ層より上の層の機能をアップリンクパケットに対して実行するように構成される第１処理モジュール、または、ベアラタイプがＤＲＢであるとき、ＰＨＹ層の機能、ＭＡＣ層の機能、およびＲＬＣ層の機能をアップリンクパケットに対して実行し、処理済みアップリンクパケットを第１無線ネットワークノードへ送信するように構成され、これにより、第１無線ネットワークノードが、ＰＤＣＰ層の機能を処理済みアップリンクパケットに対して実行する、第１送信モジュールとを備える無線ネットワークノードを提供する。
【００２８】
第６態様に関連して、第１の可能な実装において、第１処理モジュールは、第１無線ネットワークノードによって送信されるＳＲＢセキュリティ情報を受信し、ＳＲＢセキュリティ情報に従って、ＰＤＣＰ層の機能をアップリンクパケットに対して実行するように構成される。
【００２９】
第６態様または第１の可能な実装に関連して、第２の可能な実装において、ノードは、第１無線ネットワークノードによって送信されるダウンリンクパケットを受信するように構成される、ダウンリンクパケットのベアラタイプはＳＲＢである、受信モジュールと、ＲＲＣ層の機能、およびＲＲＣ層より下の層の機能をダウンリンクパケットに対して実行し、処理済みダウンリンクパケットをユーザ端末へ送信するように構成される第２処理モジュールとをさらに備える。
【００３０】
第６態様に関連して、第４の可能な実装において、ノードは、ユーザ端末識別子を保持する、ユーザ端末によって送信される接続要求を第１無線ネットワークノードへ転送するように、および、ユーザ端末がアクセス許可を有すると第１無線ネットワークノードが判定した後に生成される、ユーザ端末識別子を保持するアドミッション指示を受信するように、および、アドミッション指示に従って接続確立メッセージを生成し、接続確立メッセージをユーザ端末へ送信し、これにより、ユーザ端末は、接続確立メッセージに従ってＳＲＢを確立し、ＳＲＢの確立に成功した後に、接続確立完了メッセージを第２無線ネットワークノードへ返信するように、および、受信された接続確立完了メッセージを第１無線ネットワークノードへ送信するように構成されるＳＲＢ確立モジュールをさらに備える。
【００３１】
第６態様の第１の可能な実装に関連して、第５の可能な実装において、ノードは、ユーザ端末がハンドオーバ条件を満たすとき、ユーザ端末がハンドオーバされる先のターゲット無線ネットワークノードを判定するように、ならびに、ＳＲＢセキュリティ情報を保持するハンドオーバ要求メッセージをターゲット無線ネットワークノードへ送信し、これにより、ターゲット無線ネットワークノードが、ハンドオーバリソースを準備した後に、ハンドオーバ命令メッセージを第２無線ネットワークノードへ返信するように、ならびに、ハンドオーバ命令メッセージをユーザ端末へ転送し、ハンドオーバ命令メッセージはＳＲＢセキュリティ情報を保持し、これにより、ハンドオーバ動作を完了した後に、ユーザ端末がハンドオーバ完了メッセージをターゲット無線ネットワークノードへ返信し、および、ハンドオーバ完了メッセージを受信した後に、ターゲット無線ネットワークアクセスノードが、ＳＲＢセキュリティ情報に従って、シグナリングデータに対してセキュリティ保護を実行するように構成されるハンドオーバモジュールをさらに備える。
【００３２】
第６態様の第５の可能な実装に関連して、第６の可能な実装において、ハンドオーバモジュールは、ユーザ端末の信号搬送波レベルが第１閾値より低いとき、ユーザ端末がハンドオーバ条件を満たすと判定するか、または、ユーザ端末の信号搬送波対干渉波比が第２閾値より低いとき、ユーザ端末がハンドオーバ条件を満たすと判定するか、または、無線ネットワークノードとユーザ端末との間の距離が第３閾値より大きいとき、ユーザ端末がハンドオーバ条件を満たすと判定するように、および、ターゲット無線ネットワークノードのアイデンティティを保持する、第１無線ネットワークノードによって送信されるハンドオーバ指示を受信し、アイデンティティに従って、ターゲット無線ネットワークノードを判定するように構成される。
【００３３】
本発明の実施形態の第７態様は、メモリおよびプロセッサを備え、メモリは、第５態様のいずれか１つに係るデータ伝送方法を実装するための命令を記憶し、プロセッサは、第５態様のいずれか１つに係るデータ伝送方法を実装するために、メモリの中の命令を呼び出して実行する、無線ネットワークノードを提供する。
【００３４】
本発明の実施形態の第８態様は、データ伝送方法を実行するためにコンピュータデバイスを制御するように構成される記憶媒体であって、方法は、
ユーザ端末によって送信されるアップリンクパケットのベアラタイプを認識する段階と、ベアラタイプがＳＲＢであるとき、ＰＨＹ層の機能、およびＰＨＹ層より上の層の機能をアップリンクパケットに対して実行し、または、ベアラタイプがＤＲＢであるとき、ＰＨＹ層の機能、ＭＡＣ層の機能、およびＲＬＣ層の機能をアップリンクパケットに対して実行し、処理済みアップリンクパケットを第１無線ネットワークノードへ送信し、これにより、第１無線ネットワークノードは、ＰＤＣＰ層の機能を処理済みアップリンクパケットに対して実行する、段階とを備える、記憶媒体を提供する。
【００３５】
本発明の実施形態の第９態様は、第１無線ネットワークノードが、第２無線ネットワークデバイスによって送信されるアップリンクパケットを受信し、アップリンクパケットは、ユーザ端末のアイデンティティ情報と、ベアラタイプについての情報と、ベアラのアイデンティティ情報とを示す第１指示情報を保持する、段階と、第１無線ネットワークノードが、第１指示情報に従って、アップリンクパケットに対応する、ユーザ端末、ベアラタイプ、およびベアラを認識する段階と、第１無線ネットワークノードが、ＰＤＣＰ層の機能をアップリンクパケットに対して実行する段階とを備えるデータ伝送方法を提供する。
【００３６】
第９態様に関連して、第１の可能な実装において、第１無線ネットワークノードが、ＰＤＣＰ層の機能をアップリンクパケットに対して実装する段階は、第１無線ネットワークノードが、アップリンクパケットのベアラタイプを認識する段階と、アップリンクパケットのベアラタイプがＤＲＢであるとき、ＤＲＢセキュリティ情報に従って、ＰＤＣＰ層の機能を第２パケットに対して実行し、処理済みアップリンクパケットをコアネットワークへ送信するか、または、アップリンクパケットのベアラタイプがＳＲＢであるとき、ＳＲＢセキュリティ情報に従って、ＰＤＣＰ層の機能、およびＲＲＣ層の機能を第２パケットに対して実行する段階とを備える。
【００３７】
第９態様の第１の可能な実装に関連して、第２の可能な実装において、方法は、第１無線ネットワークノードが、コアネットワークによって送信されるダウンリンクパケットを受信する段階であって、ダウンリンクパケットは、ユーザ端末のアイデンティティ情報と、ベアラタイプについての情報と、ベアラのアイデンティティ情報とを示す第２指示情報を保持する、段階と、第１無線ネットワークノードが、ＲＲＣ層の機能と、ＰＤＣＰ層の機能とをパケットに対して実装し、処理済みダウンリンクパケットを第２無線ネットワークノードへ送信し、これにより、第２無線ネットワークノードは、第２指示情報に従って、ダウンリンクパケットの、ユーザ端末、ベアラタイプ、およびベアラを認識する段階とをさらに備える。
【００３８】
第９態様から第２の可能な実装のいずれか１つに関連して、第３の可能な実装において、方法は、ユーザ端末がハンドオーバ条件を満たすとき、第１無線ネットワークノードが、ユーザ端末がハンドオーバされる先のターゲット無線ネットワークノードを判定し、第２無線ネットワークノードのＵＥコンテキスト情報を取得する段階と、第１無線ネットワークノードが、ＵＥコンテキスト情報を保持するハンドオーバ要求メッセージをターゲット無線ネットワークノードへ送信し、これにより、ターゲット無線ネットワークノードが、ユーザ端末がアクセス許可を有すると判定し、かつ、ハンドオーバリソースを準備した後に、ハンドオーバ応答メッセージを第１無線ネットワークノードへ返信する段階と、第１無線ネットワークノードが、ターゲット無線ネットワークノードによって返信されるハンドオーバ応答メッセージを受信し、ハンドオーバ応答メッセージを第２無線ネットワークノードへ転送し、これにより、第２無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用される、段階とをさらに備える。
【００３９】
第９態様から第２の可能な実装のいずれか１つに関連して、第４の可能な実装において、方法は、ＵＥがハンドオーバ条件を満たすとき、ユーザ端末がハンドオーバされる先のターゲット無線ネットワークノードを第１無線ネットワークノードが判定する段階と、第１無線ネットワークノードが、ターゲット無線ネットワークノードの識別子を保持するハンドオーバ指示メッセージを第２無線ネットワークノードへ送信する段階であって、ハンドオーバ指示メッセージは、ユーザ端末のＵＥコンテキスト情報を取得するように、および、ＵＥコンテキスト情報を保持するハンドオーバ要件メッセージを第１無線ネットワークノードへ送信するように無線ネットワークノードに命令するために使用される、段階と、第１無線ネットワークノードは、ハンドオーバ要件メッセージに従って、ハンドオーバ要求メッセージをターゲット無線ネットワークノードへ送信し、これにより、ターゲット無線ネットワークノードが、アクセス許可をユーザ端末が有すると判定した後に、ハンドオーバ応答メッセージを第１無線ネットワークノードへ返信する段階と、ターゲット無線ネットワークノードによって返信されるハンドオーバ応答メッセージを受信した後に、第１無線ネットワークノードが、ハンドオーバ応答メッセージを第２無線ネットワークノードへ送信し、これにより、無線ネットワークノードは、ハンドオーバ応答メッセージに従って、ハンドオーバ命令メッセージをユーザ端末へ送信する段階であって、ハンドオーバ命令メッセージは、ハンドオーバ動作を完了するようにユーザ端末に命令するために使用される、段階とをさらに備える。
【００４０】
本発明の実施形態の第１０態様は、第２無線ネットワークデバイスによって送信されるアップリンクパケットを受信するように構成され、アップリンクパケットは、ユーザ端末のアイデンティティ情報を示す第１指示情報と、ベアラタイプについての情報と、ベアラのアイデンティティ情報とを保持する、第１受信モジュールと、第１指示情報に従って、アップリンクパケットに対応する、ユーザ端末、ベアラタイプ、およびベアラを認識するように構成される識別モジュールと、ＰＤＣＰ層の機能をアップリンクパケットに対して実行するように構成される第１処理モジュールとを備える無線ネットワークノードを提供する。
【００４１】
第１０態様に関連して、第１の可能な実装において、第１処理モジュールは、アップリンクパケットのベアラタイプを認識するように、ならびに、アップリンクパケットのベアラタイプがＤＲＢであるとき、ＤＲＢセキュリティ情報に従ってＰＤＣＰ層の機能を第２パケットに対して実行し、処理済みアップリンクパケットをコアネットワークへ送信するか、または、アップリンクパケットのベアラタイプがＳＲＢであるとき、ＳＲＢセキュリティ情報に従って、ＰＤＣＰ層の機能、およびＲＲＣ層の機能を第２パケットに対して実行するように構成される。
【００４２】
第１０態様または第１の可能な実装に関連して、第２の可能な実装において、ノードは、コアネットワークによって送信されるダウンリンクパケットを受信するように構成され、ダウンリンクパケットは、ユーザ端末のアイデンティティ情報と、ベアラタイプについての情報と、ベアラのアイデンティティ情報とを示す第２指示情報を保持する、第２受信モジュールと、ＲＲＣ層の機能、およびＰＤＣＰ層の機能をパケットに対して実装し、処理済みダウンリンクパケットを第２無線ネットワークノードへ送信するように構成され、これにより、第２無線ネットワークノードは、第２指示情報に従って、ダウンリンクパケットの、ユーザ端末、ベアラタイプ、およびベアラを認識する、第２処理モジュールとをさらに備える。
【００４３】
第１０態様から第２の可能な実装のいずれか１つに関連して、第３の可能な実装において、ノードは、ユーザ端末がハンドオーバ条件を満たすとき、ユーザ端末がハンドオーバされる先のターゲット無線ネットワークノードを判定し、第２無線ネットワークノードのＵＥコンテキスト情報を取得するように、および、ＵＥコンテキスト情報を保持するハンドオーバ要求メッセージをターゲット無線ネットワークノードへ送信し、これにより、ターゲット無線ネットワークノードが、アクセス許可をユーザ端末が有すると判定し、かつ、ハンドオーバリソースを準備した後に、ハンドオーバ応答メッセージを第１無線ネットワークノードへ返信するように、および、ターゲット無線ネットワークノードによって返信されるハンドオーバ応答メッセージを受信し、ハンドオーバ応答メッセージを第２無線ネットワークノードへ転送し、これにより、第２無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される第１ハンドオーバモジュールをさらに備える。
【００４４】
第１０態様から第２の可能な実装のいずれか１つに関連して、第４の可能な実装において、ノードは、ＵＥがハンドオーバ条件を満たすとき、ユーザ端末がハンドオーバされる先のターゲット無線ネットワークノードを判定するように、および、ターゲット無線ネットワークノードの識別子を保持するハンドオーバ指示メッセージを第２無線ネットワークノードへ送信し、ハンドオーバ指示メッセージは、ユーザ端末のＵＥコンテキスト情報を取得するように、および、ＵＥコンテキスト情報を保持するハンドオーバ要件メッセージを第１無線ネットワークノードへ送信するように無線ネットワークノードに命令するために使用されるように、および、ハンドオーバ要件メッセージに従って、ハンドオーバ要求メッセージをターゲット無線ネットワークノードへ送信し、これにより、ターゲット無線ネットワークノードが、アクセス許可をユーザ端末が有すると判定した後に、ハンドオーバ応答メッセージを第１無線ネットワークノードへ返信するように、および、ターゲット無線ネットワークノードによって返信されるハンドオーバ応答メッセージを受信した後に、ハンドオーバ応答メッセージを第２無線ネットワークノードへ送信し、これにより、無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される第２ハンドオーバモジュールをさらに備える。
【００４５】
本発明の実施形態の第１１態様は、メモリおよびプロセッサを備える無線ネットワークノードであって、メモリは、第９態様のいずれか１つに係るデータ伝送方法を実装するための命令を記憶し、プロセッサは、第９態様のいずれか１つに係るデータ伝送方法を実装するために、メモリの中の命令を呼び出して実行する、無線ネットワークノードを提供する。
【００４６】
本発明の実施形態の第１２態様は、データ伝送方法を実行するためにコンピュータデバイスを制御するように構成される記憶媒体であって、方法は、第２無線ネットワークデバイスによって送信されるアップリンクパケットを受信する段階であって、アップリンクパケットは、ユーザ端末のアイデンティティ情報と、ベアラタイプについての情報と、ベアラのアイデンティティ情報とを示す第１指示情報を保持する、段階と、第１指示情報に従って、アップリンクパケットに対応する、ユーザ端末、ベアラタイプ、およびベアラを認識する段階と、ＰＤＣＰ層の機能をアップリンクパケットに対して実行する段階とを備える、記憶媒体を提供する。
【００４７】
本発明の実施形態の第１３態様は、第２無線ネットワークノードが、第１無線ネットワークノードによって送信されるダウンリンクパケットを受信する段階であって、ダウンリンクパケットは、ユーザ端末のアイデンティティ情報と、ベアラタイプについての情報と、ベアラのアイデンティティ情報とを示す第１指示情報を保持する、段階と、第２無線ネットワークノードが、第１指示情報に従って、ダウンリンクパケットに対応する、ユーザ端末、ベアラタイプ、およびベアラを認識する段階と、第２無線ネットワークノードが、ＰＤＣＰ層より下の層の機能をダウンリンクパケットに対して実行する段階とを備えるデータ伝送方法を提供する。
【００４８】
第１３態様に関連して、第１の可能な実装において、方法は、第２無線ネットワークノードが、ユーザ端末によって送信されるアップリンクパケットを受信する段階であって、アップリンクパケットは、ユーザ端末のアイデンティティ情報と、ベアラタイプについての情報と、ベアラのアイデンティティ情報とを示す第２指示情報を保持する、段階と、第２無線ネットワークノードが、ＰＤＣＰ層より下の層の機能をアップリンクパケットに対して実行し、処理済みアップリンクパケットを第１無線ネットワークノードへ送信し、これにより、第１無線ネットワークノードは、ＰＤＣＰ層の機能を処理済みアップリンクパケットに対して実行する段階とをさらに備える。
【００４９】
第１３態様または第１の可能な実装に関連して、第２の可能な実装において、方法は、第２無線ネットワークノードが、ユーザ端末によって送信される測定報告を第１無線ネットワークノードへ転送し、これにより、第１無線ネットワークノードが、測定報告に従って、ユーザ端末がハンドオーバ条件を満たすことを検出したとき、第１無線ネットワークノードが、ユーザ端末がハンドオーバされる先のターゲット無線ネットワークノードを判定し、第１無線ネットワークノードが、ターゲット無線ネットワークノードのアイデンティティを保持するハンドオーバ指示を第２無線ネットワークノードへ返信する段階と、第２無線ネットワークノードが、ターゲット無線ネットワークノードのアイデンティティを保持するハンドオーバ指示を受信した後に、ユーザ端末のＵＥコンテキスト情報を取得し、ＵＥコンテキスト情報を保持するハンドオーバ要件メッセージを第１無線ネットワークノードへ送信する段階とをさらに備える。
【００５０】
本発明の実施形態の第１４態様は、第１無線ネットワークノードによって送信されるダウンリンクパケットを受信するように構成され、ダウンリンクパケットは、ユーザ端末のアイデンティティ情報と、ベアラタイプについての情報と、ベアラのアイデンティティ情報とを示す第１指示情報保持する、第１受信モジュールと、第１指示情報に従って、ダウンリンクパケットに対応する、ユーザ端末、ベアラタイプ、およびベアラを認識するように構成される識別モジュールと、ＰＤＣＰ層より下の層の機能をダウンリンクパケットに対して実行するように構成される第１処理モジュールとを備える無線ネットワークノードを提供する。
【００５１】
第１４態様に関連して、第１の可能な実装において、ノードは、ユーザ端末によって送信されるアップリンクパケットを受信するように構成され、アップリンクパケットは、ユーザ端末のアイデンティティ情報と、ベアラタイプについての情報と、ベアラのアイデンティティ情報とを示す第２指示情報を保持する、第２受信モジュールと、ＰＤＣＰ層より下の層の機能をアップリンクパケットに対して実行し、処理済みアップリンクパケットを第１無線ネットワークノードへ送信するように構成され、これにより、第１無線ネットワークノードは、ＰＤＣＰ層の機能を処理済みアップリンクパケットに対して実行する、第２処理モジュールとをさらに備える。
【００５２】
第１４態様または第１の可能な実装に関連して、第２の可能な実装において、ノードは、ユーザ端末によって送信される測定報告を第１無線ネットワークノードへ転送し、これにより、ユーザ端末がハンドオーバ条件を満たすことを第１無線ネットワークノードが測定報告に従って検出するとき、ユーザ端末がハンドオーバされる先のターゲット無線ネットワークノードを第１無線ネットワークノードが判定し、第１無線ネットワークノードが、ターゲット無線ネットワークノードのアイデンティティを保持するハンドオーバ指示を第２無線ネットワークノードへ返信するように、および、ターゲット無線ネットワークノードのアイデンティティを保持するハンドオーバ指示を受信した後に、ユーザ端末のＵＥコンテキスト情報を取得し、ＵＥコンテキスト情報を保持するハンドオーバ要件メッセージを第１無線ネットワークノードへ送信するように構成されるハンドオーバモジュールをさらに備える。
【００５３】
本発明の実施形態の第１５態様は、メモリおよびプロセッサを備える無線ネットワークノードであって、メモリは、第３態様のいずれか１つに係るデータ伝送方法を実装するための命令を記憶しプロセッサは、第３態様のいずれか１つに係るデータ伝送方法を実装するために、メモリの中の命令を呼び出して実行する、無線ネットワークノードを提供する。
【００５４】
本発明の実施形態の第１６態様は、データ伝送方法を実行するためにコンピュータデバイスを制御するように構成される記憶媒体であって、方法は、第１無線ネットワークノードによって送信されるダウンリンクパケットを受信する段階であって、ダウンリンクパケットは、ユーザ端末のアイデンティティ情報と、ベアラタイプについての情報と、ベアラのアイデンティティ情報とを示す第１指示情報を保持する、段階と、第１指示情報に従って、ダウンリンクパケットに対応する、ユーザ端末、ベアラタイプ、およびベアラを認識する段階と、ＰＤＣＰ層より下の層の機能をダウンリンクパケットに対して実行する段階とを備える、記憶媒体を提供する。
【００５５】
本発明の実装は、以下の有益な効果を有する。
【００５６】
第１無線ネットワークノードおよび第２無線ネットワークノードの層が再分割される。第１無線ネットワークノードは、ＤＲＢの中に保持されるサービスデータに対するセキュリティ保護の実行を担い、第２無線ネットワークノードは、ＳＲＢの中に保持されるシグナリングデータに対するセキュリティ保護の実行を担う。代替的に、第１無線ネットワークノードは、ＲＲＣ層およびＰＤＣＰ層の処理を担い、第２無線ネットワークノードは、ＰＤＣＰ層より下の層の処理を担う。従来技術におけるＣＰＲＩインタフェースと比較して、この構造により、２つのネットワークノード間で伝送されるデータ量が減少し、これにより、２つのネットワークノード間の伝送帯域幅および遅延についての要件が低下する。
【図面の簡単な説明】
【００５７】
本発明の実施形態または従来技術における技術的解決法をより明確に説明すべく、実施形態を説明するために必要な添付図面を以下で簡潔に説明する。以下の説明における添付図面は、本発明のいくつかの実施形態を示しているに過ぎず、当業者ならば、創造的努力なく、これらの添付図面から他の図面をさらに導き出し得ることは明らかである。
【００５８】
【図１】本発明の実施形態に係るネットワークの構造図である。
【００５９】
【図２】本発明の実施形態に係る基地局の概略構造図である。
【００６０】
【図３】本発明の実施形態に係る基地局の別の概略構造図である。
【００６１】
【図４】本発明の第１実施形態に係るデータ伝送方法の概略フローチャートである。
【００６２】
【図５】本発明の第２実施形態に係るデータ伝送方法の概略フローチャートである。
【００６３】
【図６】本発明の第３実施形態に係るデータ伝送方法の概略フローチャートである。
【００６４】
【図７】本発明の第１実施形態に係るＵＥハンドオーバ方法の概略フローチャートである。
【００６５】
【図８】本発明の第４実施形態に係るデータ伝送方法の概略フローチャートである。
【００６６】
【図９】本発明の第５実施形態に係るデータ伝送方法の概略フローチャートである。
【００６７】
【図１０Ａ】本発明の第６実施形態に係るデータ伝送方法の概略フローチャートである。
【図１０Ｂ】本発明の第６実施形態に係るデータ伝送方法の概略フローチャートである。
【００６８】
【図１１】本発明の第２実施形態に係るＵＥハンドオーバ方法の概略フローチャートである。
【００６９】
【図１２】本発明の第３実施形態に係るＵＥハンドオーバ方法の概略フローチャートである。
【００７０】
【図１３】本発明の第１実施形態に係る無線ネットワークノードの概略構造図である。
【００７１】
【図１４】本発明の第２実施形態に係る無線ネットワークノードの概略構造図である。
【００７２】
【図１５】本発明の第３実施形態に係る無線ネットワークノードの概略構造図である。
【００７３】
【図１６】本発明の第４実施形態に係る無線ネットワークノードの概略構造図である。
【００７４】
【図１７】本発明の第５実施形態に係る無線ネットワークノードの概略構造図である。
【００７５】
【図１８】本発明の第６実施形態に係る無線ネットワークノードの概略構造図である。
【００７６】
【図１９】本発明の第７実施形態に係る無線ネットワークノードの概略構造図である。
【００７７】
【図２０】本発明の第８実施形態に係る無線ネットワークノードの概略構造図である。
【発明を実施するための形態】
【００７８】
本発明の実施形態における添付図面に関連して、本発明の実施形態における技術的解決法を以下で明確かつ完全に説明する。説明される実施形態は、本発明の実施形態のいくつかに過ぎず、すべてではないことは明らかである。創造的努力なく本発明の実施形態に基づいて当業者によって得られる他のすべての実施形態は、本発明の保護範囲内に当然に含まれる。
【００７９】
図１を参照すると、図１は、本発明の実施形態に係る、ＬＴＥ（Ｌｏｎｇ  Ｔｅｒｍ  Ｅｖｏｌｕｔｉｏｎ、ロングタームエボリューション、略称：ＬＴＥ）ベースのネットワークの構造図である。アクセスネットワークは、ＲＣおよびＲＡＰクラスタを含む。ＲＣ（Ｒａｄｉｏ  Ａｃｃｅｓｓ  Ｎｅｔｗｏｒｋ  Ｃｏｎｔｒｏｌｌｅｒ、無線アクセスネットワークコントローラ、略称：ＲＣ）は、ＲＡＰ（Ｒａｄｉｏ  Ａｃｃｅｓｓ  Ｐｏｉｎｔ、無線アクセスポイント、略称：ＲＡＰ）クラスタを管理する。ＲＡＰクラスタは少なくとも１つのＲＡＰを含む。ＲＣは、ＴＮ（Ｔｒａｎｓｐｏｒｔａｔｉｏｎ  Ｎｅｔｗｏｒｋ、トランスポーテーションネットワーク、略称：ＴＮ）を使用することによって、ＲＡＰクラスタに接続される。ＵＥは、ＲＡＰクラスタにおける少なくとも１つのＲＡＰに接続される。ＲＣは、Ｓ１インタフェースを使用することによってコアネットワークに接続される。コアネットワークは、モビリティ管理エンティティＭＭＥ、サービングゲートウェイＳＧＷ、およびパケットデータネットワークゲートウェイＰＧＷを含む。コアネットワークの制御プレーンおよびユーザプレーンは分離している。制御プレーン上で、ＭＭＥは、Ｓ１‐ＭＭＥインタフェースを使用することによってＲＣに接続される。ユーザプレーン上で、ＳＧＷは、Ｓ１‐Ｕインタフェースを使用することによってＲＣに接続される。ＲＣ、および管理されるＲＡＰクラスタは、ＬＴＥネットワークアーキテクチャにおけるｅＮｏｄｅＢ（ｅｖｏｌｖｅｄ  Ｎｏｄｅ  Ｂ、発展型ノードＢ）と同等である。ＲＣは、Ｘ２インタフェースを使用することによってｅＮｏｄｅＢに接続される。ｅＮｏｄｅＢは、Ｓ１インタフェースを使用することによってコアネットワークに接続される。ＵＥは、ＲＡＰクラスタにおけるＲＡＰを使用することによってコアネットワークにアクセスする。
【００８０】
上述のＬＴＥ通信規格に加えて、本発明は、ＧＳＭ（登録商標）（Ｇｌｏｂａｌ  Ｓｙｓｔｅｍ  ｏｆ  Ｍｏｂｉｌｅ  Ｃｏｍｍｕｎｉｃａｔｉｏｎ）もしくはＣＤＭＡ（Ｃｏｄｅ  Ｄｉｖｉｓｉｏｎ  Ｍｕｌｔｉｐｌｅ  Ａｃｃｅｓｓ）に適用され得るか、または、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）もしくは将来の５Ｇネットワーク規格に適用され得るか、または、無線ローカルエリアネットワーク（Ｗｉｒｅｌｅｓｓ  Ｌｏｃａｌ  Ａｒｅａ  Ｎｅｔｗｏｒｋ、ＷＬＡＮ）、マイクロ波アクセスのための世界規模の相互互換性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ（登録商標））、ブルートゥース（登録商標）、もしくは赤外線などの別の通信規格に適用され得る。
【００８１】
図２を参照すると、図２は、本発明の実施形態に係る基地局の概略構造図である。本発明のこの実施形態において、発展型ノードＢは、第１無線ネットワークノードおよび第２無線ネットワークノードを備える。第１無線ネットワークノードは、第１ＲＲＣ（Ｒａｄｉｏ  Ｒｅｓｏｕｒｃｅ  Ｃｏｎｔｒｏｌ、略称：ＲＲＣ）副層および第１ＰＤＣＰ（Ｐａｃｋｅｔ  Ｄａｔａ  Ｃｏｎｖｅｒｇｅｎｃｅ  Ｐｒｏｔｏｃｏｌ、略称：ＰＤＣＰ）副層に対応する機能を備える。第２無線ネットワークノードは、第２ＲＲＣ副層、第２ＰＤＣＰ副層、ＲＬＣ（Ｒａｄｉｏ  Ｌｉｎｋ  Ｃｏｎｔｒｏｌ、略称：ＲＬＣ）層、ＭＡＣ（Ｍｅｄｉａ  Ａｃｃｅｓｓ  Ｃｏｎｔｒｏｌ、略称：ＭＡＣ）層、およびＰＨＹ（Ｐｈｙｓｉｃａｌ、略称：ＰＨＹ）層に対応する機能を備える。第１ＲＲＣ副層および第２ＲＲＣ副層は、ＲＲＣ層を形成する。第１ＲＲＣ副層の機能は、グローバルＲＲＣ構成管理である。第２ＲＲＣ副層の機能は、ＳＲＢ（Ｓｉｇｎａｌｉｎｇ  Ｒａｄｉｏ  Ｂｅａｒｅｒ、略称：ＳＲＢ）の生成、送信、および受信、ならびにローカルＲＲＣ構成管理である。第１ＰＤＣＰ副層の機能は、ＤＲＢ（Ｄａｔａ  Ｒａｄｉｏ  Ｂｅａｒｅｒ、略称：ＤＲＢ）処理である。第２ＰＤＣＰ副層の機能は、ＳＲＢ処理である。既存のＲＲＨ（Ｒｅｍｏｔｅ  Ｒａｄｉｏ  Ｈｅａｄ、略称：ＲＲＨ）リモート方式におけるリモートインタフェースと比較すると、本発明のこの実施形態における基地局の構造では、ＲＣとＲＡＰとの間の伝送のためのインタフェースを使用することによって伝送されるデータ量が減少する。このことは、ＲＣ（Ｒａｄｉｏ  ａｃｃｅｓｓ  ｎｅｔｗｏｒｋ  Ｃｏｎｔｒｏｌｌｅｒ、略称：ＲＣ）とＲＡＰ（Ｒａｄｉｏ  Ａｃｃｅｓｓ  Ｐｏｉｎｔ、略称：ＲＡＰ）との間で交換されるデータ量を減少させることを助ける。従って、伝送帯域幅および遅延についての要件が緩くなる。
【００８２】
図３を参照すると、図３は、本発明の実施形態に係る基地局の概略構造図である。本発明のこの実施形態において、発展型ノードＢは、第１無線ネットワークノードおよび第２無線ネットワークノードを備える。第１無線ネットワークノードは、ＲＲＣ層およびＰＤＣＰ層を備え、ＲＲＣ層およびＰＤＣＰ層に対応する機能を実装するように構成される。第２無線ネットワークノードは、ＲＬＣ層、ＭＡＣ層、およびＰＨＹ層を備え、ＲＬＣ層、ＭＡＣ層、およびＰＨＹ層に対応する機能を実装するように構成される。ＰＤＣＰ層に対応する機能は、ヘッダ圧縮、セキュリティ、および並べ替えを含む。ＲＬＣ層に対応する機能は、セグメント化、カスケード化、およびＡＲＱ（ａｕｔｏｍａｔｉｃ  ｒｅｐｅａｔ  ｒｅｑｕｅｓｔ）を含む。ＭＡＣ層に対応する機能は、スケジューリング、論理チャネル優先処理、ＨＡＲＱ（Ｈｙｂｒｉｄ  Ａｕｔｏｍａｔｉｃ  Ｒｅｐｅａｔ  Ｒｅｑｕｅｓｔ）、および同様のものを含む。ＰＨＹ層に対応する機能は、変調および復調、符号化、ならびにマルチアンテナマッピングを含む。既存のＲＲＨリモート方式におけるリモートインタフェースと比較すると、本発明のこの実施形態における基地局の構造では、ＲＣとＲＡＰとの間の伝送のためのインタフェースを使用することによって伝送されるデータ量が減少する。このことは、ＲＣとＲＡＰとの間で交換されるデータ量を減少させることを助ける。従って、伝送帯域幅および遅延についての要件が緩くなる。
【００８３】
図４を参照すると、図４は、本発明の第１実施形態に係るデータ伝送方法の概略フローチャートである。本発明のこの実施形態において、本発明のこの実施形態に係るデータ保護方法は、図２におけるネットワークアーキテクチャを使用することによって実装される。方法は、以下の段階を備える。
【００８４】
Ｓ４０１：第１無線ネットワークノードは、ダウンリンクパケットのベアラタイプを認識する。
【００８５】
具体的には、第１無線ネットワークノードは、コアネットワークによって発行されるダウンリンクパケットを受信する。ダウンリンクパケットのベアラタイプは、ＳＲＢまたはＤＲＢである。すなわち、ダウンリンクパケットは、サービスデータまたはシグナリングデータである。第１無線ネットワークノードは、ダウンリンクパケットの中に保持されるベアラタイプ識別子に従って、ダウンリンクパケットのベアラタイプを認識し得る。
【００８６】
Ｓ４０２：ベアラタイプがＳＲＢであるとき、第１無線ネットワークノードは、ダウンリンクパケットを第２無線ネットワークノードへ送信し、これにより、第２無線ネットワークノードは、ＰＤＣＰ層処理をダウンリンクパケットに対して実行する。
【００８７】
具体的には、ダウンリンクパケットのベアラタイプがＳＲＢである場合、すなわち、ダウンリンクパケットがシグナリングデータである場合、第１無線ネットワークノードは、シグナリングデータを処理しない。第１無線ネットワークノードは、ダウンリンクパケットを第２無線ネットワークノードへ転送し、第２無線ネットワークノードのＲＲＣ層は、ダウンリンクパケットがシグナリングデータであることを認識し、次に、第２無線ネットワークノードのＰＤＣＰ層、ＲＬＣ層、ＭＡＣ層、およびＰＨＹ層は、ダウンリンクパケットを個別に処理し、第２無線ネットワークノードは、処理済みダウンリンクパケットをユーザ端末へ送信する。
【００８８】
Ｓ４０３：ベアラタイプがＤＲＢであるとき、第１無線ネットワークノードは、ダウンリンクパケットに対してＰＤＣＰ層処理を実行し、処理済みダウンリンクパケットを第２無線ネットワークノードへ送信する。
【００８９】
具体的には、ダウンリンクパケットのベアラタイプがＤＲＢである、すなわち、ダウンリンクパケットがサービスデータである場合、第１無線ネットワークノードは、ＰＤＣＰ層処理をダウンリンクパケットに対して実行する。ＰＤＣＰ層処理は、ヘッダ圧縮、セキュリティ、または並べ替えのうち１つまたは複数を含む。第１無線ネットワークノードは、ＰＤＣＰ層処理の後に取得されるダウンリンクパケットを第２無線ネットワークノードへ送信し、第２無線ネットワークノードは続けて、ＲＬＣ層処理、ＭＡＣ層処理、およびＰＨＹ層処理をダウンリンクパケットに対して実行し、第２無線ネットワークノードは、上述の処理が完了した後に、処理済みダウンリンクパケットをユーザ端末へ送信する。
【００９０】
任意で、第１無線ネットワークノードは、第２無線ネットワークノードによって送信されるアップリンクパケットを受信する。第２無線ネットワークノードにおいて、ＰＨＹ層処理、ＭＡＣ層処理、およびＲＬＣ層処理がアップリンクパケットに対して実装され、アップリンクパケットのベアラタイプはＤＲＢである。
【００９１】
第１無線ネットワークノードは、ＰＤＣＰ層処理をアップリンクパケットに対して実行し、処理済みアップリンクパケットをコアネットワークへ送信する。
【００９２】
具体的には、第２無線ネットワークノードは、シグナリングデータの処理を担い、第１無線ネットワークノードは、サービスデータの処理を担う。第２無線ネットワークノードは、ユーザ端末によって送信されるアップリンクパケットを受信し、ＰＨＹ層処理、ＭＡＣ層処理、およびＲＬＣ層処理をアップリンクパケットに対して実行し、アップリンクパケットのベアラタイプがＤＲＢであることを認識した後に、処理済みアップリンクパケットを第１無線ネットワークノードへ送信し、第１無線ネットワークノードは続けて、ＰＤＣＰ層処理をアップリンクパケットに対して実行する。第１無線ネットワークノードがＰＤＣＰ層処理をアップリンクパケットに対して実行することは、取得されたＤＲＢセキュリティ情報に従って、セキュリティ処理をアップリンクパケットに対して実行することを含む。
【００９３】
任意で、方法は、第１無線ネットワークノードが、ＤＲＢセキュリティ情報およびＳＲＢセキュリティ情報をコアネットワークから取得する段階と、第１無線ネットワークノードが、ＳＲＢセキュリティ情報を第２無線ネットワークノードへ送信する段階とをさらに備え、第１無線ネットワークノードが、ＰＤＣＰ層処理をダウンリンクパケットに対して実行する段階は、第１無線ネットワークノードが、ＤＲＢセキュリティ情報に従って、ＰＤＣＰ層処理をダウンリンクパケットに対して実行する段階を有する。
【００９４】
具体的には、第１無線ネットワークノードは、ＤＲＢセキュリティ情報を使用することによって、ＰＤＣＰ層処理をサービスデータに対して実行する、すなわち、ベアラタイプがＤＲＢであるパケットに対してセキュリティ保護を実行する。第１無線ネットワークノードは、ＳＲＢセキュリティ情報を第２無線ネットワークノードへ送信し、第２無線ネットワークノードは、ＰＤＣＰ層処理をシグナリングデータに対して実行する。
【００９５】
ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち少なくとも１つを含む。完全性保護アルゴリズムは、冗長情報をメッセージに追加してメッセージの完全性を保護するために使用される。完全性確認アルゴリズムは、メッセージの中の冗長情報に従って、メッセージが変更されたかどうかを判定するために使用される。暗号化アルゴリズムは、メッセージを暗号化して暗号化テキストを生成するために使用され、暗号化中には暗号化鍵が使用される。復号化アルゴリズムは、暗号化テキストを解読して平文を生成するために使用され、復号中には復号化鍵が使用される。完全性保護アルゴリズムおよび完全性確認アルゴリズムは、同一のアルゴリズムであり得る。暗号化アルゴリズムおよび復号化アルゴリズムも、同一のアルゴリズムであり得る。完全性保護中に使用される鍵と、完全性確認中に使用される鍵と、暗号化中に使用される暗号化鍵と、復号化中に使用される復号化鍵とは、同一のセキュリティキーであり得るか、または、同一のセキュリティキーに基づいて得られる異なるセキュリティキーであり得る。
【００９６】
ＳＲＢセキュリティ情報およびＤＲＢセキュリティ情報は、コアネットワークから取得され得るか、または、別のネットワークノードから取得され得ることを理解されたい。これは、本発明において、限定されるものではない。
【００９７】
本発明のこの実施形態の実装中、第１無線ネットワークノードは、ＤＲＢの中に保持されるサービスデータに対するセキュリティ保護の実行を担い、第２無線ネットワークノードは、ＳＲＢの中に保持されるシグナリングデータに対するセキュリティ保護の実行を担う。第１無線ネットワークノードおよび第２無線ネットワークノードの役割分担により、第１無線ネットワークノードと第２無線ネットワークノードとの間で伝送されるデータ量が減少し得て、これにより、第１無線ネットワークノードと第２無線ネットワークノードとの間の伝送帯域幅についての要件が下がり、基礎構成が迅速に完了し、最大限のサービス連続性が保証される。
【００９８】
図５を参照すると、図５は、本発明の第２実施形態に係るデータ伝送方法の概略フローチャートである。本発明のこの実施形態において、方法は、以下の段階を備える。
【００９９】
Ｓ５０１：第２無線ネットワークノードは、ＵＥによって送信されるアップリンクパケットのベアラタイプを認識する。
【０１００】
具体的には、ＵＥは、アップリンクパケットを第２無線ネットワークノードへ送信する。アップリンクパケットのベアラタイプはＳＲＢまたはＤＲＢであり、すなわち、アップリンクパケットは、サービスデータまたはシグナリングデータである。第２無線ネットワークノードは、アップリンクパケットの中に保持されるベアラタイプ識別子に従って、アップリンクパケットのベアラタイプを認識し得る。
【０１０１】
Ｓ５０２：ベアラタイプがＳＲＢであるとき、第２無線ネットワークノードは、ＰＨＹ層処理、ＭＡＣ層処理、ＲＬＣ層処理、ＰＤＣＰ層処理、およびＲＲＣ層処理をアップリンクパケットに対して完了する。
【０１０２】
具体的には、アップリンクパケットのベアラタイプがＳＲＢである、すなわち、アップリンクパケットがシグナリングデータである場合、第２無線ネットワークノードは、ＰＨＹ層処理、ＭＡＣ層処理、ＲＬＣ層処理、ＰＤＣＰ層処理、およびＲＲＣ層処理をアップリンクパケットに対して完了する。処理の後、ＲＲＣシグナリングが生成される。第２無線ネットワークノードがＰＤＣＰ層処理をアップリンクパケットに対して実行することは、ＳＲＢセキュリティ情報を使用することによって、セキュリティ保護をアップリンクパケットに対して実行することを含む。
【０１０３】
Ｓ５０３：ベアラタイプがＤＲＢであるとき、第２無線ネットワークノードは、アップリンクパケットを第１無線ネットワークノードへ送信し、これにより、第１無線ネットワークノードは、ＰＤＣＰ層処理をアップリンクパケットに対して完了する。
【０１０４】
具体的には、アップリンクパケットのベアラタイプがＤＲＢである、すなわち、アップリンクパケットがサービスデータである場合、第２無線ネットワークノードは、ＰＤＣＰ層処理をサービスデータに対して実行しない。ＰＨＹ層処理、ＭＡＣ層処理、およびＲＬＣ層処理をアップリンクパケットに対して完了した後、第２無線ネットワークノードは、処理済みアップリンクパケットを第１無線ネットワークノードへ送信し、第１無線ネットワークノードは続けて、ＰＤＣＰ層処理をアップリンクパケットに対して実行する。ＰＤＣＰ層処理は、ＤＲＢセキュリティ情報を使用することによって、セキュリティ保護をアップリンクパケットに対して実行することを含む。
【０１０５】
ＳＲＢセキュリティ情報およびＤＲＢセキュリティ情報は、第１無線ネットワークノードによって、コアネットワークから取得され得る。ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち少なくとも１つを含む。第１無線ネットワークノードは、ＤＲＢセキュリティ情報を使用することによって、セキュリティ保護をサービスデータに対して実行する。加えて、第１無線ネットワークノードは、ＳＲＢセキュリティ情報を第２無線ネットワークノードへ送信し、第２無線ネットワークノードは、ＳＲＢセキュリティ情報に従って、セキュリティ保護をシグナリングデータに対して実行する。
【０１０６】
本発明のこの実施形態の実装中、第１無線ネットワークノードは、ＤＲＢの中に保持されるサービスデータに対するセキュリティ保護の実行を担い、第２無線ネットワークノードは、ＳＲＢの中に保持されるシグナリングデータに対するセキュリティ保護の実行を担う。第１無線ネットワークノードおよび第２無線ネットワークノードの役割分担により、第１無線ネットワークノードと第２無線ネットワークノードとの間で伝送されるデータ量が減少し得て、これにより、第１無線ネットワークノードと第２無線ネットワークノードとの間の伝送帯域幅についての要件が下がり、基礎構成が迅速に完了し、最大限のサービス連続性が保証される。
【０１０７】
本発明のこの実施形態におけるデータ保護方法を詳細に説明するために、ＲＣが第１無線ネットワークノードであり、ＵＥによってアクセスされるＲＡＰが無線ネットワークノードである例を以下で使用する。
【０１０８】
図６を参照すると、図６は、本発明の第３実施形態に係るデータ伝送方法の概略フローチャートである。本発明のこの実施形態におけるデータ伝送方法は、図２におけるアーキテクチャを使用することによって実装される。本発明のこの実施形態において、ＲＣは第１無線ネットワークノードであり、ＲＡＰは第２無線ネットワークノードである。方法は、以下の段階を備える。
【０１０９】
Ｓ６０１：ＵＥは、ＲＲＣ接続確立要求メッセージをＲＡＰへ送信し、ＲＲＣ接続要求は、ＵＥのＵＥ識別子を保持する。
【０１１０】
具体的には、ＵＥは、ＲＲＣ接続確立要求メッセージをＲＡＰへ送信する。ＲＲＣ接続確立要求メッセージは、ＲＡＰとのＲＲＣ接続を確立するためにＵＥによって使用される。ＲＲＣ接続要求は、デフォルトのＳＲＢ（ＳＲＢ０）を使用することによって送信される。ネットワークとのＲＲＣ接続を確立し、ＳＲＢ１、ＳＲＢ２、またはＳＲＢ３などの新しいＳＲＢを確立するために、ＲＲＣ接続要求がＵＥによって使用される。ＵＥ識別子は、Ｓ‐ＴＭＳＩもしくはＣ‐ＲＮＴＩ、または同様のものであり得て、ＵＥの一意のアイデンティティを識別するために使用される。
【０１１１】
Ｓ６０２：ＲＡＰは、ＲＲＣ接続要求およびＵＥ識別子をＲＣへ送信する。
【０１１２】
具体的には、ＲＣは、ＲＡＰと１対多の対応関係にある。ＲＡＰは、１つのＲＣと一意に対応する。ＲＡＰは、対応関係に従って、ＲＡＰが属するＲＣを判定し、ＲＲＣ接続要求およびＵＥ識別子をＲＣへ送信する。ＵＥ識別子は、ＲＲＣ接続要求に含まれ得る。
【０１１３】
Ｓ６０３：ＲＣは、ＵＥ識別子に対応するユーザ端末に対してアドミッション制御を実行する。
【０１１４】
具体的には、ＲＣは、ＲＡＰにアクセスするための許可をＵＥが有しているかどうかを判定し、ＲＡＰにアクセスするための許可をＵＥが有している場合、Ｓ６０４を実行する。ＲＡＰにアクセスするための許可をＵＥが有しているどうかをＲＣが判定するための方法は、ＲＣが、ＲＡＰおよび周囲のＲＡＰの負荷状態パラメータ、ＲＡＰおよび周囲のＲＡＰの干渉状態パラメータ、ＵＥのサービスタイプ情報、またはＵＥのサブスクリプション情報のうち１つまたは複数に従って、ＲＡＰにアクセスするための許可をＵＥが有しているかどうかを判定する段階であり得る。例えば、ＲＡＰが過負荷であり、かつ、ＵＥのサブスクリプション情報において、ＵＥのアクセスクラスが、予め設定されたアクセスクラスより低い場合、ＲＣは、ＲＡＰへのＵＥのアクセスを拒否し、そうでない場合、ＲＣは、ＲＡＰへのＵＥのアクセスを許可する。
【０１１５】
Ｓ６０４：ＲＣは、ＵＥ識別子を保持するアドミッション指示をＲＡＰへ返信し、アドミッション指示メッセージは、ＵＥがＲＡＰへのアクセスを許可されていることを示すために使用される。
【０１１６】
Ｓ６０５：ＲＡＰは、ＲＲＣ接続確立メッセージをＵＥへ送信する。
【０１１７】
具体的には、ＲＡＰは、ＲＣによって送信されたアドミッション指示を受信した後にＲＲＣ接続確立メッセージを生成し、生成されたＲＲＣ接続確立メッセージを、ＵＥ識別子に対応するユーザ端末へ送信する。
【０１１８】
Ｓ６０６：ＵＥは、ＲＡＰへのＲＲＣ接続を確立し、ＲＲＣ接続の確立を完了した後に、ＵＥは、ＲＲＣ接続確立完了メッセージをＲＡＰへ返信する。
【０１１９】
具体的には、ＵＥがＲＲＣ接続の確立に成功した後に、新しいＳＲＢの確立に成功したことを示す。ＵＥによってＲＡＰへ返信されるＲＲＣ接続確立完了メッセージは、新しいＳＲＢにおいて伝送される。
【０１２０】
Ｓ６０７：ＵＥは、ＲＲＣ接続確立完了メッセージをＲＡＰへ返信する。ＲＡＰは、ＲＲＣ接続確立完了メッセージを受信したとき、新しいＳＲＢの確立に成功したと認識する。
【０１２１】
Ｓ６０８：ＲＡＰは、ＲＲＣ接続確立完了指示をＲＣへ返信する。ＲＣは、ＲＲＣ接続確立完了指示を受信したとき、新しいＳＲＢの確立に成功したと認識する。
【０１２２】
上述のＳ６０１からＳ６０７の手順は、図２に示されるように、第２ＲＲＣ副層によってＲＡＰに対して、および、第１ＲＲＣ副層によってＲＣに対して完了されることに留意されたい。
【０１２３】
Ｓ６０９：ＲＣは、コアネットワークとの初期ＵＥコンテキスト確立手順をトリガする。
【０１２４】
具体的には、ＲＣは、ＲＡＰによって送信されるＲＲＣ接続確立完了指示を受信した後に、初期ＵＥコンテキスト確立手順をトリガして完了する。例えば、ＲＣは、初期ＵＥコンテキスト確立要求メッセージを送信し、初期ＵＥコンテキスト確立手順が完了した後に、コアネットワークは、ＵＥコンテキスト情報をＲＣへ送信する。
【０１２５】
Ｓ６１０：ＤＲＢセキュリティ情報およびＳＲＢセキュリティ情報、および／または、ＤＲＢのＱｏＳパラメータを保持するＵＥコンテキスト情報を送信する。
【０１２６】
具体的には、ＲＣは、ＤＲＢセキュリティ情報と、ＳＲＢセキュリティ情報と、ＤＲＢのＱｏＳパラメータとをＲＡＰへ送信する。ＲＡＰは、上述の情報のうち１つまたは複数に従って、ＲＲＣ接続再構成メッセージを生成する。ＲＲＣ接続再構成メッセージは、ＵＥのためのＤＲＢ確立、ＳＲＢ再構成、およびセキュリティアクティベーションを完了するために使用される。ＲＡＰは、ＳＲＢセキュリティ情報と、ＤＲＢのＱｏＳパラメータとを記憶する。
【０１２７】
Ｓ６１１：ＤＲＢセキュリティ情報に従って、ＤＲＢの中に保持されるサービスデータに対してセキュリティ保護を実行し、ＱｏＳパラメータに従って、ＤＲＢの中に保持されるサービスデータに対してサービス品質制御を実行する。
【０１２８】
具体的には、ＵＥコンテキスト情報は、ＤＲＢセキュリティ情報と、ＳＲＢセキュリティ情報と、ＤＲＢのＱｏＳパラメータとを含む。ＤＲＢセキュリティ情報およびＳＲＢセキュリティ情報は、セキュリティキー、暗号化アルゴリズム、復号化アルゴリズム、完全性保護アルゴリズム、および完全性確認アルゴリズムを含む。ＤＲＢセキュリティ情報およびＳＲＢセキュリティ情報は、同一であり得る。すなわち、セキュリティ保護をＤＲＢおよびＳＲＢに対して実行するために、同一のセキュリティ情報が使用される。ＱｏＳパラメータは、ＤＲＢにおいて伝送されるサービスデータについてのサービス品質要件を示す。例えば、ＱｏＳパラメータは、最高伝送速度、最低保証速度、または伝送遅延を含む。ＱｏＳパラメータは、コアネットワークによってＲＣへ発行され得る。ＲＣは、新しいＱｏＳパラメータを生成するために、ＲＡＰおよび周囲のＲＡＰの負荷状態パラメータに従ってＱｏＳパラメータを調節する。ＲＣはさらに、ＵＥのためのＤＲＢ確立と、ＵＥのためのＳＲＢ再構成と、セキュリティ構成とをトリガする。
【０１２９】
サービスデータに対するセキュリティ保護の処理を説明するための例として、データ伝送のダウンリンク方向を使用する。ＲＣは、コアネットワークによって発行されるサービスデータを受信した後に、ＰＤＣＰ機能をサービスデータに対して実装した後にＰＤＣＰ  ＰＤＵを生成し、ヘッダ圧縮をＰＤＣＰ  ＰＤＵに対して実行し、暗号化アルゴリズムおよび暗号化鍵に従ってＰＤＣＰ  ＰＤＵを暗号化し、シーケンス番号をＰＤＣＰ  ＰＤＵに追加する。ＲＣは、ＰＤＣＰ  ＰＤＵをＲＡＰへ発行し、ＲＡＰは、ＰＤＣＰ  ＰＤＵのＲＬＣ層、ＭＡＣ層、およびＰＨＹ層に対応する機能を実装する。例えば、ＲＡＰは、セグメント化、スケジューリング、ならびに、変調および符号化をＰＤＣＰ  ＰＤＵに対して完了し、生成されたＱｏＳパラメータに従って、ＤＲＢの中に保持されるサービスデータに対してサービス品質制御を実行する。
【０１３０】
Ｓ６１２：ＲＣは、ＳＲＢセキュリティ情報をＲＡＰへ送信する。
【０１３１】
Ｓ６１３：ＲＡＰは、ＳＲＢセキュリティ情報に従って、ＳＲＢの中に保持されるシグナリングデータに対してセキュリティ保護を実行する。
【０１３２】
具体的には、セキュリティ保護機能がアクティブ化された後に、ＲＡＰは、ＳＲＢの中に保持されるシグナリングデータに対してセキュリティ保護を実行する。セキュリティ保護は、例えば、暗号化、復号化、完全性保護、および完全性確認であり、シグナリングデータは、例えば、ＲＲＣシグナリングである。
【０１３３】
図７を参照すると、図７は、本発明の第１実施形態に係るＵＥハンドオーバ方法の概略フローチャートである。本発明のこの実施形態において、方法は、以下の段階を備える。
【０１３４】
Ｓ７０１：ソースＲＡＰが、ハンドオーバ条件をＵＥが満たしていることを検出したとき、Ｓ７０２を実行する。
【０１３５】
具体的には、ＵＥがハンドオーバされる前に、ＵＥは、ソースＲＡＰにアクセスする。ソースＲＡＰは、ＵＥがハンドオーバ条件を満たしているかどうかを判定する。判定方法は、ソースＲＡＰが、受信されたＵＥの信号搬送波レベルに従って、ＵＥがハンドオーバ条件を満たしているかどうかを判定し、ＵＥの信号搬送波レベルが閾値レベルより低い場合、ソースＲＡＰは、ＵＥがハンドオーバ条件を満たしていると判定するか、または、ソースＲＡＰが、受信されたＵＥの信号搬送波対干渉波比に従って、ＵＥがハンドオーバ条件を満たしているかどうかを判定し、ＵＥの信号搬送波対干渉波比が所与の値より低い場合、ソースＲＡＰは、ＵＥがハンドオーバ条件を満たしていると判定するか、または、ソースＲＡＰが、ソースＲＡＰとＵＥとの間の距離に従って、ＵＥがハンドオーバ条件を満たしているかどうかを判定し、ソースＲＡＰとＵＥとの間の距離が所与の値より大きい場合、ソースＲＡＰは、ＵＥがハンドオーバ条件を満たしていると判定することであり得る。ソースＲＡＰは、ハンドオーバ条件が満たされていると判定したとき、ＵＥがハンドオーバされる先のターゲットＲＡＰを取得する必要がある。ターゲットＲＡＰは、ソースＲＡＰによって判定され得るか、または、ＲＣによって判定され得る。これは、本発明において限定されるものではない。
【０１３６】
Ｓ７０２：ソースＲＡＰは、ＵＥがハンドオーバされる先のターゲットＲＡＰをＲＣから取得する。
【０１３７】
具体的には、ターゲットＲＡＰは、ＲＣによって選択される。ソースＲＡＰは、ターゲットＲＡＰを取得するための要求を、対応するＲＣへ送信する。要求は、ＲＣのＲＡＰセットの中から、ソースＲＡＰを除くターゲットＲＡＰを選択するようにＲＣに要求するために使用される。
【０１３８】
Ｓ７０３：ＲＣは、ＵＥがハンドオーバされる先のターゲットＲＡＰを判定する。
【０１３９】
具体的には、ＲＣは、ＲＡＰセットを管理する。ＲＡＰセットは、ＲＡＰと、少なくとも１つの他のＲＡＰとを含む。ＲＣは、ＲＡＰセットにおける各ＲＡＰによって報告される、各ＲＡＰとＵＥとの間のリンク状態パラメータを取得し得て、ＲＣは、ＵＥがハンドオーバされる先のターゲットＲＡＰとして最適なリンク状態パラメータを有するＲＡＰを使用する。リンク状態パラメータは、ＲＳＳＩ、ＲＳＲＰ、またはＲＳＲＱのうち１つまたは複数を含む。
【０１４０】
Ｓ７０４：ＲＣは、ターゲットＲＡＰの識別子をＲＡＰへ送信する。
【０１４１】
Ｓ７０５：ソースＲＡＰは、ＳＲＢのＳＲＢセキュリティ情報を取得し、ＳＲＢセキュリティ情報を保持するハンドオーバ要求メッセージをターゲットＲＡＰへ送信する。
【０１４２】
具体的には、ソースＲＡＰは、ソースＲＡＰとＵＥとの間のＳＲＢのＳＲＢセキュリティ情報を取得する。セキュリティ情報は、セキュリティキー、暗号化アルゴリズム、復号化アルゴリズム、完全性保護アルゴリズム、または完全性確認アルゴリズムのうち１つまたは複数を含む。ソースＲＡＰは、ターゲットＲＡＰの識別子に従ってターゲットＲＡＰを判定し、ＳＲＢセキュリティ情報を保持するハンドオーバ要求メッセージをターゲットＲＡＰへ送信する。
【０１４３】
Ｓ７０６：ターゲットＲＡＰは、ハンドオーバリソースを準備し、ターゲットＲＡＰは、ハンドオーバリソースを準備した後、ハンドオーバ命令メッセージをソースＲＡＰへ返信する。
【０１４４】
具体的には、ハンドオーバリソースは、スペクトルリソース、ハードウェアリソース、および同様のものを含む。ターゲットＲＡＰは、ソースＲＡＰのＳＲＢセキュリティ情報を受信して記憶し、これにより、ＵＥがターゲットＲＡＰへハンドオーバされた後、ターゲットＲＡＰは、ＳＲＢセキュリティ情報を使用することによって、ターゲットＲＡＰとＵＥとの間のＳＲＢに対してセキュリティ保護を実行する。ＲＣとＵＥとの間のＤＲＢのＤＲＢセキュリティ情報は変化しないままである。すなわち、ＵＥがターゲットＲＡＰへハンドオーバされた後、ＲＣは、引き続き元のＤＲＢセキュリティ情報を使用することによって、ＤＲＢにおけるサービスデータに対してセキュリティ保護を実行する。
【０１４５】
Ｓ７０７：ターゲットＲＡＰは、ハンドオーバ命令メッセージをソースＲＡＰへ送信する。
【０１４６】
ターゲットＲＡＰは、ハンドオーバリソースを準備した後に、ハンドオーバ命令メッセージをソースＲＡＰへ送信し、これにより、ソースＲＡＰのハンドオーバリソースが準備されたこと、および、ＵＥがハンドオーバ動作を実行できることをターゲットＲＡＰに通知する。
【０１４７】
Ｓ７０８：ソースＲＡＰは、ハンドオーバ命令メッセージをＵＥへ送信する。
【０１４８】
Ｓ７０９：ＵＥはハンドオーバ動作を実行する。ＵＥは、ハンドオーバ動作を実行した後、ターゲットＲＡＰにアクセスする。
【０１４９】
Ｓ７１０：ソースＲＡＰは、伝送状態パラメータをＲＣへ送信する。
【０１５０】
具体的には、伝送状態パラメータは、ＰＤＣＰ状態報告であり得て、アップリンク伝送状態パラメータまたはダウンリンク伝送状態パラメータである。ダウンリンク方向については、伝送状態パラメータは、ＵＥへの送信に成功または失敗したＰＤＣＰパケットのシーケンス番号を示す。送信に成功したＰＤＣＰパケットのシーケンス番号を例として使用すると、現在のＲＡＰによるＵＥへの送信に成功したＰＤＣＰパケットのシーケンス番号が３である場合、ＲＣは、第４ＰＤＣＰパケットをターゲットＲＡＰへ送信する。アップリンク方向については、伝送状態パラメータは、ＲＣへの送信に成功または失敗したＰＤＣＰパケットのシーケンス番号を示し、ＲＣは、アップリンク伝送状態パラメータをＵＥへ送信し、これにより、ＵＥは、シーケンス番号に従ってＰＤＣＰパケットをターゲットＲＡＰへ送信し、これにより、データ伝送の繰り返しを回避する。
【０１５１】
Ｓ７１１：ＲＣは、伝送状態パラメータをターゲットＲＡＰへ送信する。
【０１５２】
図８を参照すると、図８は、本発明の第４実施形態に係るデータ伝送方法の概略フローチャートである。本発明のこの実施形態におけるデータ伝送方法は、図３におけるアーキテクチャ概略図を使用することによって実装される。方法は、以下の段階を備える。
【０１５３】
Ｓ８０１：第１無線ネットワークノードは、第２無線ネットワークデバイスによって送信されるアップリンクパケットを受信し、アップリンクパケットは、ＵＥのアイデンティティ情報と、ベアラタイプについての情報と、ベアラのアイデンティティ情報とを示す第１指示情報を保持する。
【０１５４】
具体的には、第２無線ネットワークノードは、ＵＥによって送信されるアップリンクパケットを受信する。アップリンクパケットは、ＵＥのアイデンティティ情報と、ベアラタイプについての情報と、ベアラのアイデンティティ情報とを保持する。第２無線ネットワークノードは、ＰＨＹ層処理、ＭＡＣ層処理、およびＲＬＣ層処理をアップリンクパケットに対して実行し、処理済みアップリンクパケットを第１無線ネットワークノードへ送信する。処理済みアップリンクパケットは、ＵＥのアイデンティティ情報と、ベアラタイプについての情報と、ベアラのアイデンティティ情報とを示す第１指示情報を保持する。
【０１５５】
Ｓ８０２：第１無線ネットワークノードは、第１指示情報に従って、アップリンクパケットに対応する、ユーザ端末、ベアラタイプ、およびベアラを認識する。
【０１５６】
具体的には、第１無線ネットワークノードは、アップリンクパケットの中に保持される第１指示情報に従って、アップリンクパケットに対応する、ユーザ端末、ベアラタイプ、およびベアラを認識する。ベアラタイプは、ＳＲＢまたはＤＲＢである。第１指示情報は、ＧＴＰトンネル識別子であり得る。
【０１５７】
Ｓ８０３：第１無線ネットワークノードは、ＰＤＣＰ層処理をアップリンクパケットに対して完了する。
【０１５８】
具体的には、第１無線ネットワークノードは、ＰＤＣＰ層処理をアップリンクパケットに対して実行する。ＰＤＣＰ層処理は、ヘッダ圧縮、セキュリティ、または並べ替えのうち１つまたは複数を含む。
【０１５９】
図９を参照すると、図９は、本発明の第５実施形態に係るデータ保護方法の概略フローチャートである。本発明のこの実施形態において、方法は、以下の段階を備える。
【０１６０】
Ｓ９０１：第２無線ネットワークノードは、第１無線ネットワークノードによって送信されるダウンリンクパケットを受信し、ダウンリンクパケットは、ＵＥのアイデンティティ情報と、ベアラタイプについての情報と、ベアラのアイデンティティ情報とを示す第１指示情報を保持する。
【０１６１】
具体的には、コアネットワークは、ダウンリンクパケットを第１無線ネットワークノードへ送信する。ダウンリンクパケットは、ＵＥのアイデンティティ情報と、ベアラタイプについての情報と、ベアラのアイデンティティ情報とを保持する。第１無線ネットワークノードは、ＲＲＣ層を使用することによって、ダウンリンクパケットのベアラタイプについての情報を認識し得る。第１無線ネットワークノードは、ＰＤＣＰ層処理をアップリンクパケットに対して実行し、処理済みダウンリンクパケットを第２無線ネットワークノードへ送信する。処理済みダウンリンクパケットは、ＵＥのアイデンティティ情報と、ベアラタイプについての情報と、ベアラのアイデンティティ情報とを示す第１指示情報を保持する。
【０１６２】
Ｓ９０２：第２無線ネットワークノードは、第１指示情報に従って、ダウンリンクパケットに対応する、ユーザ端末、ベアラタイプ、およびベアラを認識する。
【０１６３】
具体的には、ベアラタイプは、ＳＲＢまたはＤＲＢである。異なるＵＥは、異なるベアラに対応する。
【０１６４】
Ｓ９０３：第２無線ネットワークノードは、ＲＬＣ層処理、ＭＡＣ層処理、およびＰＨＹ層処理をダウンリンクパケットに対して完了する。
【０１６５】
具体的には、第２無線ネットワークノードは、ＲＬＣ層処理、ＭＡＣ層処理、およびＰＨＹ層処理をダウンリンクパケットに対して完了し、ＵＥのアイデンティティ情報に従って、処理済みダウンリンクパケットを対応するユーザ端末へ送信する。
【０１６６】
図１０Ａおよび図１０Ｂを参照すると、図１０Ａおよび図１０Ｂは、本発明の第６実施形態に係るデータ伝送方法の概略フローチャートである。本発明のこの実施形態において、ＲＣは第１無線ネットワークノードであり、ＲＡＰは第２無線ネットワークノードである。方法は、以下の段階を備える。
【０１６７】
Ｓ１００１：ＵＥは、ＵＥ識別子を保持するＲＲＣ接続確立要求メッセージをＲＡＰへ送信する。
【０１６８】
具体的には、ＵＥは、デフォルトのベアラＳＲＢ０を予め確立し、ＵＥは、ＳＲＢ０を使用することによって、ＲＲＣ接続要求を送信する。ＲＲＣ接続要求は、ＵＥのために、ＳＲＢ１、ＳＲＢ２、またはＳＲＢ３などの新しいＳＲＢを確立するために使用される。ＵＥ識別子は、ＵＥのアイデンティティを一意に識別するために使用される。ＵＥ識別子は、Ｓ‐ＴＭＳＩ、Ｃ‐ＲＮＴＩ、または同様のものがあり得る。
【０１６９】
Ｓ１００２：ＲＡＰは、ＲＲＣ接続確立要求メッセージを受信し、確立されるＳＲＢに第１ＳＲＢ識別子を割り当てる。
【０１７０】
具体的には、ＲＡＰは、確立されるＳＲＢに第１ＳＲＢ識別子を割り当てる。第１ＳＲＢ識別子は、確立されるＳＲＢのアイデンティティを一意に識別するために、ＲＡＰによって使用される（ダウンリンク方向）。例えば、ＧＴＰトンネル識別子は、確立されるＳＲＢの第１ＳＲＢ識別子として、確立されるＳＲＢにおいて伝送されるシグナリングメッセージに追加され得る。ＲＡＰは、ダウンリンク方向において、第１ＳＲＢ識別子を認識することによって、確立されるＳＲＢを判定し得る。ＲＡＰは、第１ＳＲＢ識別子とＵＥ識別子との間のマッピング関係をローカルに記憶する。
【０１７１】
Ｓ１００３：ＲＡＰは、ＵＥ識別子および第１ＳＲＢ識別子を保持するＲＲＣ接続要求をＲＣへ送信する。
【０１７２】
具体的には、ＲＡＰは、第１ＳＲＢ識別子およびＵＥ識別子をＲＲＣ接続要求に追加し、次に、ＲＲＣ接続要求をＲＣへ送信する。この場合、引き続きデフォルトのベアラＳＲＢ０を使用することによって、ＲＲＣ接続要求がＲＣへ送信される。
【０１７３】
Ｓ１００４：ＲＣは、アドミッション制御をＵＥに対して実行し、ＲＡＰへのアクセスをＵＥが許可された後に、第２ＳＲＢ識別子を割り当て、これにより、ＳＲＢ構成情報を生成する。
【０１７４】
具体的には、ＲＣは、受信されたＲＲＣ接続要求を解析することによって、ＵＥ識別子および第１ＳＲＢ識別子を取得し、ＵＥ識別子に対応するユーザ端末に対してアドミッション制御を実行する。アドミッション制御方法は、ＲＣが、ＲＡＰおよび周囲のＲＡＰの負荷状態パラメータ、ＲＡＰおよび周囲のＲＡＰの干渉状態パラメータ、ＵＥのサービスタイプ情報、またはＵＥのサブスクリプション情報のうち１つまたは複数に従って、ＲＡＰにアクセスするための許可をＵＥが有しているかどうかを判定することであり得る。例えば、ＲＡＰが過負荷であり、かつ、ＵＥのサブスクリプション情報において、ＵＥのアクセスクラスが、予め設定されたアクセスクラスより低い場合、ＲＣは、ＲＡＰへのＵＥのアクセスを拒否し、そうでない場合、ＲＣは、ＲＡＰへのＵＥのアクセスを許可する。ＲＣは、ＲＡＰにアクセスするための許可をＵＥが有すると判定した後に、確立されるＳＲＢに第２ＳＲＢ識別子を割り当てる。第２ＳＲＢ識別子は、確立されるＳＲＢのアイデンティティを一意に識別するために、ＲＣによって使用される（アップリンク方向）。ＲＣは、第１ＳＲＢ識別子と、第２ＳＲＢ識別子と、ＵＥ識別子との間のマッピング関係をローカルに記憶する。加えて、ＲＣは、ＳＲＢ構成情報を生成する。ＳＲＢ構成情報は、第１ＳＲＢ構成情報および第２ＳＲＢ構成情報を含む。第１ＳＲＢ構成情報は、ＲＡＰのＲＬＣ層、ＭＡＣ層、およびＰＨＹ層を構成するために使用される。第２ＳＲＢ構成情報は、ＲＲＣ層、ＰＤＣＰ層、ＲＬＣ層、ＭＡＣ層、およびＰＨＹ層を構成するために、ＵＥによって使用される。構成が完了した後に、ＵＥは新しいＳＲＢを確立する。例えば、第１ＳＲＢ構成情報と第２ＳＲＢ構成情報とを区別するために、異なる識別子がＳＲＢ構成情報に追加され得る。第１ＳＲＢ構成情報は、ＲＡＰへ送信されるために使用され、第２ＳＲＢ構成情報は、ＵＥへ送信されるために使用される。
【０１７５】
Ｓ１００５：ＲＣは、第１ＳＲＢ識別子、第２ＳＲＢ識別子、およびＳＲＢ構成情報を保持するＲＲＣ接続確立メッセージをＲＡＰへ送信する。
【０１７６】
Ｓ１００６：ＲＡＰは、第１ＳＲＢ構成情報に従って、基礎構成を完了する。
【０１７７】
具体的には、ＲＡＰは、受信されたＲＲＣ接続確立メッセージを解析することによって、第１ＳＲＢ識別子、第２ＳＲＢ識別子、およびＳＲＢ構成情報を取得する。ＲＡＰは、第１ＳＲＢ識別子に従って、ＵＥによって確立されるＳＲＢと、ＳＲＢ構成情報における第１ＳＲＢ構成情報とを認識し、第１ＳＲＢ構成情報に従って、ＲＬＣ層、ＭＡＣ層、およびＰＨＹ層を構成する。ＲＡＰは、ＳＲＢ構成情報における第２ＳＲＢ構成情報を認識し、第２ＳＲＢ構成情報をＲＲＣ接続確立メッセージに追加する。第１ＳＲＢ構成情報もしくは第２ＳＲＢ構成情報、または両方は、第３ＳＲＢ識別子を含む。第３ＳＲＢ識別子は、ＵＥとＲＡＰとの間のシグナリングデータを認識するために使用される。ＲＡＰは、第３ＳＲＢ識別子と第１ＳＲＢ識別子／第２ＳＲＢ識別子との間の関係を記憶する。
【０１７８】
Ｓ１００７：ＲＡＰは、第２ＳＲＢ構成情報を保持するＲＲＣ接続確立メッセージをＵＥへ送信する。
【０１７９】
具体的には、ＵＥは、第２ＳＲＢ構成情報に従って、ＵＥのＲＲＣ層、ＰＤＣＰ層、ＲＬＣ層、ＭＡＣ層、およびＰＨＹ層を構成し、新しいＳＲＢ（例えばＳＲＢ１）を確立する。ＳＲＢ１の確立に成功した後、ＵＥは、ＲＲＣ接続確立完了メッセージをＲＡＰへ返信する。この場合、ＲＲＣ接続確立完了メッセージは、新しいＳＲＢ１を使用することによって送信され、ＲＲＣ接続確立完了メッセージはＵＥ識別子を保持する。
【０１８０】
Ｓ１００８：ＵＥは、ＵＥ識別子を保持するＲＲＣ接続確立完了メッセージをＲＡＰへ送信し、ＲＲＣ接続確立完了メッセージは、新しいＳＲＢの確立に成功したことをＲＣに通知するために使用される。
【０１８１】
Ｓ１００９：ＲＡＰは、第２ＳＲＢ識別子を保持するＲＲＣ接続確立完了メッセージをＲＣへ送信し、第３ＳＲＢ識別子は、第２ＳＲＢ構成情報の識別子を示し、ＲＡＰは、第３ＳＲＢ識別子と第２ＳＲＢ識別子との間のマッピング関係に従って第２ＳＲＢ識別子を問い合わせ、第２ＳＲＢ識別子をＲＲＣ接続確立完了メッセージに追加し、ＲＣは、第２ＳＲＢ識別子に従って、ＵＥの新しいＳＲＢを認識する。
【０１８２】
Ｓ１０１０：ＲＣは、コアネットワークとの初期コンテキスト確立手順をトリガする。
【０１８３】
具体的には、ＲＣは、コアネットワークから、初期ＵＥコンテキスト確立手順によって、新しく確立されたＳＲＢのＳＲＢセキュリティ情報と、確立されるＤＲＢのＤＲＢセキュリティ情報と、確立されるＤＲＢのＱｏＳパラメータとを取得する。
【０１８４】
Ｓ１０１１：ＲＣは、ＤＲＢセキュリティ情報と、ＳＲＢセキュリティ情報と、ＤＲＢのＱｏＳパラメータとを取得する。
【０１８５】
具体的には、ＲＣは、確立されるＤＲＢのＤＲＢセキュリティ情報と、新しいＳＲＢのＳＲＢセキュリティ情報と、確立されるＤＲＢのＱｏＳパラメータとを取得する。加えて、ＲＣは、ＤＲＢ構成情報を生成する。ＤＲＢ構成情報は、２つのタイプに分類される。第１ＤＲＢ構成情報は、ＲＡＰに対して基礎構成を実行するために使用され、第２ＤＲＢ構成情報は、ＤＲＢ確立構成をＵＥに対して実行するために使用される。第１ＤＲＢ構成情報および第２ＤＲＢ構成情報は、異なる識別子を使用することによって区別され得る。ＲＣはさらに、確立されるＤＲＢに第１ＤＲＢ識別子を割り当てる。第１ＤＲＢ識別子は、ＵＥのＤＲＢのアイデンティティを一意に認識するために、ＲＣによって使用される。
【０１８６】
Ｓ１０１２：ＲＣは、第１ＤＲＢ構成情報および第１ＤＲＢ識別子を送信する。
【０１８７】
Ｓ１０１３：ＲＡＰは、第１ＤＲＢ構成情報を認識し、第１ＤＲＢ構成情報に従って、ＤＲＢ構成をＲＬＣ層、ＭＡＣ層、およびＰＨＹ層に対して実行し、ＤＲＢ構成の完了後、ＲＡＰは、第２ＤＲＢ識別子をＤＲＢに割り当て、第２ＤＲＢ識別子は、ＵＥのＤＲＢのアイデンティティを一意に認識するためにＲＡＰによって使用され、ＲＡＰは、ＤＲＢ構成情報における第２ＤＲＢ構成情報を認識する。第１ＤＲＢ構成情報もしくは第２ＤＲＢ構成情報、または両方は、第３ＤＲＢ識別子を含む。第３ＤＲＢ識別子は、ＵＥとＲＡＰとの間のＤＲＢを認識するために使用される。
【０１８８】
Ｓ１０１４：ＲＡＰは、第１ＤＲＢ識別子および第２ＤＲＢ識別子を保持するＤＲＢ構成完了メッセージをＲＣへ送信する。
【０１８９】
Ｓ１０１５：ＤＲＢ構成完了メッセージを受信後、ＲＣはＲＲＣ接続再構成メッセージを生成し、ＲＲＣ接続再構成メッセージは、ＤＲＢを確立するようにＵＥに命令するために使用される。
【０１９０】
Ｓ１０１６：ＲＣは、第１ＳＲＢ識別子および第２ＤＲＢ構成情報を保持するＲＲＣ接続再構成メッセージをＲＡＰへ送信する。
【０１９１】
Ｓ１０１７：ＲＡＰは、第１ＳＲＢ識別子に従って、ＳＲＢが属するＵＥを認識する。
【０１９２】
Ｓ１０１８：ＲＡＰは、第２ＤＲＢ構成情報を保持するＲＲＣ接続再構成メッセージをＵＥへ送信する。
【０１９３】
Ｓ１０１９：ＵＥは、第２ＤＲＢ構成情報に従ってＤＲＢを構成し、これにより、ＤＲＢを確立する。ＤＲＢの確立に成功した後、ＵＥは、ＲＲＣ接続再構成完了メッセージをＲＡＰへ返信し、ＲＲＣ接続再構成完了メッセージは、第２ＳＲＢ構成情報の識別子を保持する。
【０１９４】
Ｓ１０２０：ＲＡＰは、第２ＳＲＢ識別子を保持するＲＲＣ接続再構成完了メッセージをＲＣへ送信する。
【０１９５】
Ｓ１０２１：ＲＣは、ＳＲＢセキュリティ情報およびＤＲＢセキュリティ情報に従って、確立されたＳＲＢおよびＤＲＢに対してセキュリティ保護を実行する。
【０１９６】
Ｓ１０２２：ＲＣは、セキュリティ保護が実行されたサービスデータをＲＡＰへ送信し、サービスデータは、第１ＤＲＢ識別子および第２ＤＲＢ識別子を保持し、シグナリングデータは、第１ＳＲＢ識別子および第２ＳＲＢ識別子を保持する。アップリンク方向において、ＲＣは、サービスデータの中に保持される第１ＤＲＢ識別子に従って、サービスデータがＵＥに属すると認識し、ＲＣは、シグナリングデータの中に保持される第２ＳＲＢ識別子に従って、シグナリングデータがＵＥに属すると認識する。
【０１９７】
図１１を参照すると、図１１は、本発明の第２実施形態に係るＵＥハンドオーバ方法の概略フローチャートである。本発明のこの実施形態において、方法は、以下の段階を備える。
【０１９８】
Ｓ１１０１：ＵＥは、ランダムアクセス手順をトリガし、ＵＥは、ソースＲＡＰとＲＣとの間でランダムアクセスチャネルを確立する。
【０１９９】
Ｓ１１０２：ソースＲＡＰは、ＵＥコンテキスト情報をＲＣへ送信し、ＵＥコンテキスト情報は、Ｃ‐ＲＮＴＩ、無線リソース構成情報、および同様のものを含む。
【０２００】
Ｓ１１０３：ＲＣは、ＵＥコンテキスト情報を記憶する。
【０２０１】
Ｓ１１０４：ＵＥは、ＲＲＭ測定を実行する。
【０２０２】
Ｓ１１０５：ＵＥは、ＲＲＭ測定が実行された後に生成される測定報告をソースＲＡＰへ送信する。
【０２０３】
Ｓ１１０６：ソースＲＡＰは測定報告をＲＣへ送信する。
【０２０４】
Ｓ１１０７：ＲＣは、測定報告に従って、ＵＥがハンドオーバ条件を満たすかどうかを検出し、満たす場合、ＲＣは、ハンドオーバリソースを準備し、Ｓ１１０８を実行し、ＵＥは、測定報告に従って、ＵＥがハンドオーバされる先のターゲットＲＡＰを判定する。
【０２０５】
Ｓ１１０８：ＲＣは、ＵＥコンテキスト情報を保持するハンドオーバ要求メッセージをターゲットＲＡＰへ送信する。
【０２０６】
Ｓ１１０９：ターゲットＲＡＰは、アドミッション制御をＵＥに対して実行し、ターゲットＲＡＰにアクセスすることをＵＥが許可されているかどうかを判定し、ターゲットＲＡＰにアクセスすることをＵＥが許可される場合、Ｓ１１１０を実行する。
【０２０７】
Ｓ１１１０：ターゲットＲＡＰは、ハンドオーバ応答メッセージをＲＣへ返信する。
【０２０８】
Ｓ１１１１：ＲＣは、ハンドオーバ命令メッセージをソースＲＡＰへ送信する。
【０２０９】
Ｓ１１１２：ハンドオーバ動作を実行する。ＵＥは、ソースＲＡＰからターゲットＲＡＰへハンドオーバされる。ハンドオーバが成功した後、ターゲットＲＡＰは、ＵＥコンテキスト情報におけるＳＲＢセキュリティ情報を使用することによって、セキュリティ保護をシグナリングデータに対して実行し、および、ＤＲＢセキュリティ情報を使用することによって、セキュリティ保護をサービスデータに対して実行する。
【０２１０】
図１２を参照すると、図１２は、本発明の第３実施形態に係るＵＥハンドオーバ方法の概略フローチャートである。本発明のこの実施形態において、方法は、以下の段階を備える。
【０２１１】
Ｓ１２０１：ＵＥは、ＲＲＭ測定を実行する。
【０２１２】
Ｓ１２０２：ＵＥは、ＲＲＭ測定が実行された後に生成される測定報告をソースＲＡＰへ送信する。
【０２１３】
Ｓ１２０３：ソースＲＡＰは、測定報告をＲＣへ転送する。
【０２１４】
Ｓ１２０４：ＲＣは、測定報告に従って、ＵＥがハンドオーバ条件を満たすかどうかを検出し、満たす場合、Ｓ１２０５を実行し、ＲＣは、ＵＥがハンドオーバされる先のターゲットＲＡＰを判定する。
【０２１５】
Ｓ１２０５：ＲＣは、ターゲットＲＡＰの識別子を保持するハンドオーバ指示をソースＲＡＰへ送信する。
【０２１６】
Ｓ１２０６：ソースＲＡＰは、ターゲットＲＡＰの識別子を保持するハンドオーバ要件メッセージをＲＣへ返信する。
【０２１７】
Ｓ１２０７：ＲＣは、ＵＥコンテキスト情報を保持するハンドオーバ要求メッセージをターゲットＲＡＰへ送信する。
【０２１８】
Ｓ１２０８：ターゲットＲＡＰは、アドミッション制御をＵＥに対して実行し、ターゲットＲＡＰへのアクセスをＵＥが許可された後に、ハンドオーバリソースを準備する。
【０２１９】
Ｓ１２０９：ターゲットＲＡＰは、ハンドオーバ応答メッセージをＲＣへ送信する。
【０２２０】
Ｓ１２１０：ＲＣは、ハンドオーバ命令メッセージをソースＲＡＰへ送信する。
【０２２１】
Ｓ１２１１：ハンドオーバ動作を実行する。ＵＥは、ソースＲＡＰからターゲットＲＡＰへハンドオーバされる。ハンドオーバが成功した後、ターゲットＲＡＰは、ＵＥコンテキスト情報におけるＳＲＢセキュリティ情報を使用することによって、セキュリティ保護をシグナリングデータに対して実行し、および、ＤＲＢセキュリティ情報を使用することによって、セキュリティ保護をサービスデータに対して実行する。
【０２２２】
図１３を参照すると、図１３は、本発明の第１実施形態に係る無線ネットワークノードの概略構造図である。本発明のこの実施形態において、無線ネットワークノードは、識別モジュール１３０１、第１送信モジュール１３０２、および第１処理モジュール１３０３を備える。
【０２２３】
識別モジュール１３０１は、ダウンリンクパケットのベアラタイプを認識するように構成される。
【０２２４】
第１送信モジュール１３０２は、ベアラタイプがＳＲＢであるとき、第１無線ネットワークノードによって、ダウンリンクパケットを第２無線ネットワークノードへ送信し、これにより、第２無線ネットワークノードが、ＰＤＣＰ層の機能をダウンリンクパケットに対して実行するように構成される。
【０２２５】
第１処理モジュール１３０３は、ベアラタイプがＤＲＢであるとき、ＰＤＣＰ層の機能をダウンリンクパケットに対して実行し、処理済みダウンリンクパケットを第２無線ネットワークノードへ送信するように構成される。
【０２２６】
任意で、本発明のこの実施形態における無線ネットワークノードは、第２無線ネットワークノードによって送信されるアップリンクパケットを受信するように構成される受信モジュールであって、第２無線ネットワークノードは、ＰＨＹ層の機能、ＭＡＣ層の機能、およびＲＬＣ層の機能をアップリンクパケットに対して実行し、アップリンクパケットのベアラタイプはＤＲＢである、受信モジュールと、ＰＤＣＰ層の機能をアップリンクパケットに対して実行し、処理済みアップリンクパケットをコアネットワークへ送信するように構成される第２処理モジュールとをさらに備える。
【０２２７】
任意で、本発明のこの実施形態における無線ネットワークノードは、ＤＲＢセキュリティ情報およびＳＲＢセキュリティ情報をコアネットワークから取得するように構成されるセキュリティ情報取得モジュールであって、第１無線ネットワークノードはＤＲＢセキュリティ情報を記憶し、ＳＲＢセキュリティ情報を第２無線ネットワークノードへ送信する、セキュリティ情報取得モジュールをさらに備え、第１処理モジュールは、ＤＲＢセキュリティ情報に従って、ＰＤＣＰ層の機能をダウンリンクパケットに対して実行するように構成される。
【０２２８】
任意で、ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち１つまたは複数を含む。
【０２２９】
任意で、本発明のこの実施形態における無線ネットワークノードは、第２無線ネットワークノードによって送信されるユーザ端末識別子および接続要求を受信するように、ならびに、ユーザ端末識別子に対応するユーザ端末が、第２無線ネットワークノードにアクセスするための許可を有するとき、ユーザ端末識別子を保持するアドミッション指示を第２無線ネットワークノードへ返信するように構成されるＳＲＢ確立モジュールをさらに備え、アドミッション指示は、ユーザ端末と第２無線ネットワークノードとの間にＳＲＢを確立するようユーザ端末に命令するために使用される。
【０２３０】
任意で、本発明のこの実施形態における無線ネットワークノードは、ＵＥがハンドオーバ条件を満たすとき、無線ネットワークノードによって管理される無線ネットワークノードセットの中から、第２無線ネットワークノードを除くターゲット無線ネットワークノードを判定し、ターゲット無線ネットワークノードの識別子を第２無線ネットワークノードへ送信するように、および、サービスデータの伝送状態パラメータを第２無線ネットワークノードから取得するように、および、ハンドオーバ動作をＵＥが完了した後に、伝送状態パラメータに従って、ターゲット無線ネットワークノードを使用することによってサービスデータをＵＥへ伝送するように構成されるハンドオーバモジュールをさらに備える。
【０２３１】
任意で、ハンドオーバモジュールは、無線ネットワークノードセットにおける各無線ネットワークノードとユーザ端末との間のリンク品質パラメータを取得するように、および、ターゲット無線ネットワークノードとして最適なリンク品質パラメータを有する無線ネットワークノードを選択するように構成され、リンク品質パラメータは、ＲＳＲＰ、ＲＳＳＩ、またはＲＳＲＱのうち１つまたは複数を含む。
【０２３２】
本発明のこの実施形態および第１の方法の実施形態は、同一の思想に基づいており、同一の技術的効果をもたらす。具体的なプロセスについては、第１の方法の実施形態の説明を参照されたい。ここでは詳細を再度記載しない。
【０２３３】
図１４を参照すると、図１４は、本発明の第２実施形態に係る無線ネットワークノードを示す。無線ネットワークノードは、識別モジュール１４０１、第１処理モジュール１４０２、および第１送信モジュール１４０３を備える。
【０２３４】
識別モジュールは、ユーザ端末によって送信されるアップリンクパケットのベアラタイプを認識するように構成される。
【０２３５】
第１処理モジュールは、ベアラタイプがＳＲＢであるとき、ＰＨＹ層の機能、および、ＰＨＹ層より上の層の機能をアップリンクパケットに対して実行するように構成される。
【０２３６】
第１送信モジュールは、ベアラタイプがＤＲＢであるとき、ＰＨＹ層の機能、ＭＡＣ層の機能、およびＲＬＣ層の機能をアップリンクパケットに対して実行し、処理済みアップリンクパケットを第１無線ネットワークノードへ送信するように構成され、これにより、第１無線ネットワークノードは、ＰＤＣＰ層の機能を処理済みアップリンクパケットに対して実行する。
【０２３７】
任意で、第１処理モジュールは、第１無線ネットワークノードによって送信されるＳＲＢセキュリティ情報を受信し、ＳＲＢセキュリティ情報に従って、ＰＤＣＰ層の機能をアップリンクパケットに対して実行するように構成される。
【０２３８】
任意で、本発明のこの実施形態における無線ネットワークノードは、第１無線ネットワークノードによって送信されるダウンリンクパケットを受信するように構成される、ダウンリンクパケットのベアラタイプはＳＲＢである、受信モジュールと、ＲＲＣ層の機能、およびＲＲＣ層より下の層の機能をダウンリンクパケットに対して実行し、処理済みダウンリンクパケットをユーザ端末へ送信するように構成される第２処理モジュールとをさらに備える。
【０２３９】
任意で、本発明のこの実施形態における無線ネットワークノードは、ユーザ端末識別子を保持する、ユーザ端末によって送信される接続要求を第１無線ネットワークノードへ転送するように、および、ユーザ端末がアクセス許可を有すると第１無線ネットワークノードが判定した後に生成される、ユーザ端末識別子を保持するアドミッション指示を受信するように、および、アドミッション指示に従って接続確立メッセージを生成し、接続確立メッセージをユーザ端末へ送信し、これにより、ユーザ端末は、接続確立メッセージに従ってＳＲＢを確立し、ＳＲＢの確立に成功した後に、接続確立完了メッセージを第２無線ネットワークノードへ返信するように、および、受信された接続確立完了メッセージを第１無線ネットワークノードへ送信するように構成されるＳＲＢ確立モジュールをさらに備える。
【０２４０】
任意で、本発明のこの実施形態における無線ネットワークノードは、ユーザ端末がハンドオーバ条件を満たすとき、ユーザ端末がハンドオーバされる先のターゲット無線ネットワークノードを判定するように、ならびに、ＳＲＢセキュリティ情報を保持するハンドオーバ要求メッセージをターゲット無線ネットワークノードへ送信し、これにより、ターゲット無線ネットワークノードが、ハンドオーバリソースを準備した後に、ハンドオーバ命令メッセージを第２無線ネットワークノードへ返信するように、ならびに、ハンドオーバ命令メッセージをユーザ端末へ転送し、ハンドオーバ命令メッセージはＳＲＢセキュリティ情報を保持し、これにより、ハンドオーバ動作を完了した後に、ユーザ端末がハンドオーバ完了メッセージをターゲット無線ネットワークノードへ返信し、および、ハンドオーバ完了メッセージを受信した後に、ターゲット無線ネットワークアクセスノードが、ＳＲＢセキュリティ情報に従って、シグナリングデータに対してセキュリティ保護を実行するように構成されるハンドオーバモジュールをさらに備える。
【０２４１】
任意で、ハンドオーバモジュールは、ユーザ端末の信号搬送波レベルが第１閾値より低いとき、ユーザ端末がハンドオーバ条件を満たすと判定するか、または、ユーザ端末の信号搬送波対干渉波比が第２閾値より低いとき、ユーザ端末がハンドオーバ条件を満たすと判定するか、または、無線ネットワークノードとユーザ端末との間の距離が第３閾値より大きいとき、ユーザ端末がハンドオーバ条件を満たすと判定するように、および、ターゲット無線ネットワークノードのアイデンティティを保持する、第１無線ネットワークノードによって送信されるハンドオーバ指示を受信し、アイデンティティに従って、ターゲット無線ネットワークノードを判定するように構成される。
【０２４２】
本発明のこの実施形態および第２の方法の実施形態は、同一の思想に基づいており、同一の技術的効果をもたらす。具体的なプロセスについては、第２の方法の実施形態の説明を参照されたい。ここでは詳細を再度記載しない。
【０２４３】
図１５を参照すると、図１５は、本発明の第３実施形態に係る無線ネットワークノードを示す。無線ネットワークノードは、第１受信モジュール１５０１、識別モジュール１５０２、および第１処理モジュール１５０３を備える。
【０２４４】
第１受信モジュール１５０１は、第２無線ネットワークデバイスによって送信されるアップリンクパケットを受信するように構成され、アップリンクパケットは、ユーザ端末のアイデンティティ情報と、ベアラタイプについての情報と、ベアラのアイデンティティ情報とを示す第１指示情報を保持する。
【０２４５】
識別モジュール１５０２は、第１指示情報に従って、アップリンクパケットに対応する、ユーザ端末、ベアラタイプ、およびベアラを認識するように構成される。
【０２４６】
第１処理モジュール１５０３は、ＰＤＣＰ層の機能をアップリンクパケットに対して実行するように構成される。
【０２４７】
任意で、第１処理モジュールは、アップリンクパケットのベアラタイプを認識するように、および、アップリンクパケットのベアラタイプがＤＲＢであるとき、ＤＲＢセキュリティ情報に従って、ＰＤＣＰ層の機能を第２パケットに対して実行し、処理済みアップリンクパケットをコアネットワークへ送信するか、または、アップリンクパケットのベアラタイプがＳＲＢであるとき、ＳＲＢセキュリティ情報に従って、ＰＤＣＰ層の機能、およびＲＲＣ層の機能を第２パケットに対して実行するように構成される。
【０２４８】
任意で、本発明のこの実施形態における無線ネットワークノードは、コアネットワークによって送信されるダウンリンクパケットを受信するように構成され、ダウンリンクパケットは、ユーザ端末のアイデンティティ情報と、ベアラタイプについての情報と、ベアラのアイデンティティ情報とを示す第２指示情報を保持する、第２受信モジュールと、ＲＲＣ層の機能、およびＰＤＣＰ層の機能をパケットに対して実装し、処理済みダウンリンクパケットを第２無線ネットワークノードへ送信するように構成され、これにより、第２無線ネットワークノードは、第２指示情報に従って、ダウンリンクパケットの、ユーザ端末、ベアラタイプ、およびベアラを認識する、第２処理モジュールとをさらに備える。
【０２４９】
任意で、本発明のこの実施形態における無線ネットワークノードは、ユーザ端末がハンドオーバ条件を満たすとき、ユーザ端末がハンドオーバされる先のターゲット無線ネットワークノードを判定し、第２無線ネットワークノードのＵＥコンテキスト情報を取得するように、および、ＵＥコンテキスト情報を保持するハンドオーバ要求メッセージをターゲット無線ネットワークノードへ送信し、これにより、ターゲット無線ネットワークノードが、アクセス許可をユーザ端末が有すると判定し、かつ、ハンドオーバリソースを準備した後に、ハンドオーバ応答メッセージを第１無線ネットワークノードへ返信するように、および、ターゲット無線ネットワークノードによって返信されるハンドオーバ応答メッセージを受信し、ハンドオーバ応答メッセージを第２無線ネットワークノードへ転送し、これにより、第２無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される第１ハンドオーバモジュールをさらに備える。
【０２５０】
任意で、本発明のこの実施形態における無線ネットワークノードは、ＵＥがハンドオーバ条件を満たすとき、ユーザ端末がハンドオーバされる先のターゲット無線ネットワークノードを判定するように、ならびに、ターゲット無線ネットワークノードの識別子を保持するハンドオーバ指示メッセージを第２無線ネットワークノードへ送信し、ハンドオーバ指示メッセージは、ユーザ端末のＵＥコンテキスト情報を取得するように、および、ＵＥコンテキスト情報を保持するハンドオーバ要件メッセージを第１無線ネットワークノードへ送信するように無線ネットワークノードに命令するために使用されるように、ならびに、ハンドオーバ要件メッセージに従って、ハンドオーバ要求メッセージをターゲット無線ネットワークノードへ送信し、これにより、ターゲット無線ネットワークノードが、アクセス許可をユーザ端末が有すると判定した後に、ハンドオーバ応答メッセージを第１無線ネットワークノードへ返信するように、ならびに、ターゲット無線ネットワークノードによって返信されるハンドオーバ応答メッセージを受信した後に、ハンドオーバ応答メッセージを第２無線ネットワークノードへ送信し、これにより、無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される第２ハンドオーバモジュールをさらに備える。
【０２５１】
本発明のこの実施形態および第５の方法の実施形態は、同一の思想に基づいており、同一の技術的効果をもたらす。具体的なプロセスについては、第５の方法の実施形態の説明を参照されたい。ここでは詳細を再度記載しない。
【０２５２】
図１６を参照すると、図１６は、本発明の第４実施形態に係る無線ネットワークノードの概略構造図である。本発明のこの実施形態において、無線ネットワークノードは、第１受信モジュール１６０１、識別モジュール１６０２、および第１処理モジュール１６０３を備える。
【０２５３】
第１受信モジュール１６０１は、第１無線ネットワークノードによって送信されるダウンリンクパケットを受信するように構成され、ダウンリンクパケットは、ユーザ端末のアイデンティティ情報と、ベアラタイプについての情報と、ベアラのアイデンティティ情報とを示す第１指示情報を保持する。
【０２５４】
識別モジュール１６０２は、第１指示情報に従って、ダウンリンクパケットに対応する、ユーザ端末、ベアラタイプ、およびベアラを認識するように構成される。
【０２５５】
第１処理モジュール１６０３は、ＰＤＣＰ層より下の層の機能をダウンリンクパケットに対して実行するように構成される。
【０２５６】
任意で、本発明のこの実施形態における無線ネットワークノードは、ユーザ端末によって送信されるアップリンクパケットを受信するように構成され、アップリンクパケットは、ユーザ端末のアイデンティティ情報と、ベアラタイプについての情報と、ベアラのアイデンティティ情報とを示す第２指示情報を保持する、第２受信モジュールと、ＰＤＣＰ層より下の層の機能をアップリンクパケットに対して実行し、処理済みアップリンクパケットを第１無線ネットワークノードへ送信するように構成され、これにより、第１無線ネットワークノードは、ＰＤＣＰ層の機能を処理済みアップリンクパケットに対して実行する、第２処理モジュールとをさらに備える。
【０２５７】
任意で、本発明のこの実施形態における無線ネットワークノードは、ユーザ端末によって送信される測定報告を第１無線ネットワークノードへ転送し、これにより、ユーザ端末がハンドオーバ条件を満たすことを第１無線ネットワークノードが測定報告に従って検出するとき、ユーザ端末がハンドオーバされる先のターゲット無線ネットワークノードを第１無線ネットワークノードが判定し、第１無線ネットワークノードが、ターゲット無線ネットワークノードのアイデンティティを保持するハンドオーバ指示を第２無線ネットワークノードへ返信するように、および、ターゲット無線ネットワークノードのアイデンティティを保持するハンドオーバ指示を受信した後に、ユーザ端末のＵＥコンテキスト情報を取得し、ＵＥコンテキスト情報を保持するハンドオーバ要件メッセージを第１無線ネットワークノードへ送信するように構成されるハンドオーバモジュールをさらに備える。
【０２５８】
本発明のこの実施形態および第６の方法の実施形態は、同一の思想に基づいており、同一の技術的効果をもたらす。具体的なプロセスについては、第６の方法の実施形態の説明を参照されたい。ここでは詳細を再度記載しない。
【０２５９】
図１７を参照すると、本発明の第５実施形態はさらに、無線ネットワークノードを提供する。本発明のこの実施形態において、無線ネットワークノードは、プロセッサ１７１、メモリ１７３、および通信インタフェース１７２を備える。通信インタフェース１７２は、外部デバイスと通信するように構成される。無線ネットワークノード１７には、１または複数のプロセッサが存在し得る。本発明のいくつかの実施形態において、プロセッサ１７１、メモリ１７３、および通信インタフェース１７２は、バスまたは別の方式を使用することによって、互いに接続され得る。無線ネットワークノードは、図４に示される方法を実行するように構成され得る。この実施形態において使用される用語の意味および例については、図４に対応する実施形態を参照されたい。ここでは詳細を再度記載しない。
【０２６０】
メモリ１７３はプログラムコードを記憶する。プロセッサ１７１は、メモリ１７３に記憶されたプログラムコードを呼び出し、ダウンリンクパケットのベアラタイプを認識する動作と、ベアラタイプがシグナリング無線ベアラＳＲＢであるとき、ダウンリンクパケットを第２無線ネットワークノードへ送信し、これにより、第２無線ネットワークノードが、パケットデータコンバージェンスプロトコルＰＤＣＰ層の機能をダウンリンクパケットに対して実行するか、または、ベアラタイプがデータ無線ベアラＤＲＢであるとき、ＰＤＣＰ層の機能をダウンリンクパケットに対して実行し、処理済みダウンリンクパケットを第２無線ネットワークノードへ送信する動作とを実行するように構成される。
【０２６１】
本発明のいくつかの実施形態において、プロセッサはさらに、第２無線ネットワークノードによって送信されるアップリンクパケットを受信し、第２無線ネットワークノードは、物理ＰＨＹ層の機能と、媒体アクセス制御ＭＡＣ層の機能と、論理リンク制御ＲＬＣ層の機能とをアップリンクパケットに対して実行し、アップリンクパケットのベアラタイプはＤＲＢであるように、ならびに、ＰＤＣＰ層の機能をアップリンクパケットに対して実行し、処理済みアップリンクパケットをコアネットワークへ送信するように構成される。
【０２６２】
本発明のいくつかの実施形態において、プロセッサはさらに、ＤＲＢセキュリティ情報およびＳＲＢセキュリティ情報をコアネットワークから取得するように、ならびに、ＤＲＢセキュリティ情報を記憶し、ＳＲＢセキュリティ情報を第２無線ネットワークノードへ送信するように構成され、ＰＤＣＰ層の機能をダウンリンクパケットに対して実行することは、ＤＲＢセキュリティ情報に従って、ＰＤＣＰ層の機能をダウンリンクパケットに対して実行することを含む。
【０２６３】
本発明のいくつかの実施形態において、ＳＲＢセキュリティ情報およびＤＲＢセキュリティ情報は、完全性保護アルゴリズム、完全性確認アルゴリズム、暗号化アルゴリズム、復号化アルゴリズム、またはセキュリティキーのうち１つまたは複数を含む。
【０２６４】
本発明のいくつかの実施形態において、ダウンリンクパケットのベアラタイプを認識する前に、プロセッサはさらに、第２無線ネットワークノードによって送信されるユーザ端末識別子および接続要求を受信するように、ならびに、ユーザ端末識別子に対応するユーザ端末が、第２無線ネットワークノードにアクセスするための許可を有するとき、ユーザ端末識別子を保持するアドミッション指示を第２無線ネットワークノードへ返信するように構成され、アドミッション指示は、ユーザ端末と第２無線ネットワークノードとの間にＳＲＢを確立するようユーザ端末に命令するために使用される。
【０２６５】
本発明のいくつかの実施形態において、プロセッサはさらに、ユーザ端末がハンドオーバ条件を満たすとき、無線ネットワークノードによって管理される無線ネットワークノードセットの中から、第２無線ネットワークノードを除くターゲット無線ネットワークノードを判定し、ターゲット無線ネットワークノードの識別子を第２無線ネットワークノードへ送信するように、および、サービスデータの伝送状態パラメータを第２無線ネットワークノードから取得するように、および、ハンドオーバ動作をユーザ端末が完了した後に、伝送状態パラメータに従って、ターゲット無線ネットワークノードを使用することによってサービスデータをユーザ端末へ伝送するように構成される。
【０２６６】
本発明のいくつかの実施形態において、プロセッサが、第１無線ネットワークノードによって管理される無線ネットワークノードセットの中から、第２無線ネットワークノードを除くターゲット無線ネットワークノードを判定することは、無線ネットワークノードセットにおける各無線ネットワークノードとユーザ端末との間のリンク品質パラメータを取得し、ターゲット無線ネットワークノードとして最適なリンク品質パラメータを有する無線ネットワークノードを選択することを含み、リンク品質パラメータは、基準信号受信電力ＲＳＲＰ、受信信号強度指標ＲＳＳＩ、または基準信号受信品質ＲＳＲＱのうち１つまたは複数を含む。
【０２６７】
図１８を参照すると、本発明の第６実施形態はさらに、無線ネットワークノードを提供する。本発明のこの実施形態において、無線ネットワークノードは、プロセッサ１８１、メモリ１８３、および通信インタフェース１８２を備える。通信インタフェース１８２は、外部デバイスと通信するように構成される。無線ネットワークノード１８には１または複数のプロセッサが存在し得る。本発明のいくつかの実施形態において、プロセッサ１８１、メモリ１８３、および通信インタフェース１８２は、バスまたは別の方式を使用することによって、互いに接続され得る。無線ネットワークノードは、図５に示される方法を実行するように構成され得る。この実施形態において使用される用語の意味および例については、図５に対応する実施形態を参照されたい。ここでは詳細を再度記載しない。
【０２６８】
メモリ１８３はプログラムコードを記憶する。プロセッサ１８１は、メモリ１８３に記憶されたプログラムコードを呼び出し、ユーザ端末によって送信されるアップリンクパケットのベアラタイプを認識する動作と、ベアラタイプがＳＲＢであるとき、ＰＨＹ層の機能、およびＰＨＹ層より上の層の機能をアップリンクパケットに対して実行するか、または、ベアラタイプがＤＲＢであるとき、ＰＨＹ層の機能、ＭＡＣ層の機能、およびＲＬＣ層の機能をアップリンクパケットに対して実行し、処理済みアップリンクパケットを第１無線ネットワークノードへ送信し、これにより、第１無線ネットワークノードは、ＰＤＣＰ層の機能を処理済みアップリンクパケットに対して実行する、動作とを実行するように構成される。
【０２６９】
本発明のいくつかの実施形態において、プロセッサが、ＰＨＹ層の機能、およびＰＨＹ層より上の層の機能をアップリンクパケットに対して実行することは、第１無線ネットワークノードによって送信されるＳＲＢセキュリティ情報を受信し、ＳＲＢセキュリティ情報に従って、ＰＤＣＰ層の機能をアップリンクパケットに対して実行することを有する。
【０２７０】
本発明のいくつかの実施形態において、プロセッサはさらに、第１無線ネットワークノードによって送信されるダウンリンクパケットを受信し、ダウンリンクパケットのベアラタイプはＳＲＢであるように、ならびに、ＲＲＣ層の機能、およびＲＲＣ層より下の層の機能をダウンリンクパケットに対して実行し、処理済みダウンリンクパケットをユーザ端末へ送信するように構成される。
【０２７１】
本発明のいくつかの実施形態において、プロセッサはさらに、ユーザ端末識別子を保持する、ユーザ端末によって送信される接続要求を第１無線ネットワークノードへ転送するように、および、ユーザ端末がアクセス許可を有すると第１無線ネットワークノードが判定した後に生成される、ユーザ端末識別子を保持するアドミッション指示を受信するように、および、アドミッション指示に従って接続確立メッセージを生成し、接続確立メッセージをユーザ端末へ送信し、これにより、ユーザ端末は、接続確立メッセージに従ってＳＲＢを確立し、ＳＲＢの確立に成功した後に、接続確立完了メッセージを返信するように、および、受信された接続確立完了メッセージを第１無線ネットワークノードへ送信するように構成される。
【０２７２】
本発明のいくつかの実施形態において、プロセッサはさらに、ユーザ端末がハンドオーバ条件を満たすとき、ユーザ端末がハンドオーバされる先のターゲット無線ネットワークノードを判定するように、ならびに、ＳＲＢセキュリティ情報を保持するハンドオーバ要求メッセージをターゲット無線ネットワークノードへ送信し、これにより、ターゲット無線ネットワークノードが、ハンドオーバリソースを準備した後に、ハンドオーバ命令メッセージを第２無線ネットワークノードへ返信するように、ならびに、ハンドオーバ命令メッセージをユーザ端末へ転送し、ハンドオーバ命令メッセージはＳＲＢセキュリティ情報を保持し、これにより、ハンドオーバ動作を完了した後に、ユーザ端末がハンドオーバ完了メッセージをターゲット無線ネットワークノードへ返信し、および、ハンドオーバ完了メッセージを受信した後に、ターゲット無線ネットワークアクセスノードが、ＳＲＢセキュリティ情報に従って、シグナリングデータに対してセキュリティ保護を実行するように構成される。
【０２７３】
本発明のいくつかの実施形態において、ユーザ端末がハンドオーバ条件を満たすとき、ユーザ端末がハンドオーバされる先のターゲット無線ネットワークノードをプロセッサが判定することは、ユーザ端末の信号搬送波レベルが第１閾値より低いとき、ユーザ端末がハンドオーバ条件を満たすと判定するか、または、ユーザ端末の信号搬送波対干渉波比が第２閾値より低いとき、ユーザ端末がハンドオーバ条件を満たすと判定するか、または、第２無線ネットワークノードとユーザ端末との間の距離が第３閾値より大きいとき、ユーザ端末がハンドオーバ条件を満たすと判定するように、および、ターゲット無線ネットワークノードのアイデンティティを保持する、第１無線ネットワークノードによって送信されるハンドオーバ指示を受信し、アイデンティティに従って、ターゲット無線ネットワークノードを判定することを含む。
【０２７４】
図１９を参照すると、本発明の第７実施形態はさらに、無線ネットワークノードを提供する。本発明のこの実施形態において、無線ネットワークノードは、プロセッサ１９１、メモリ１９３、および通信インタフェース１９２を備える。通信インタフェース１９２は、外部デバイスと通信するように構成される。無線ネットワークノード１９には１または複数のプロセッサが存在し得る。本発明のいくつかの実施形態において、プロセッサ１９１、メモリ１９３、および通信インタフェースは、バスまたは別の方式を使用することによって、互いに接続され得る。無線ネットワークノードは、図８に示される方法を実行するように構成され得る。この実施形態において使用される用語の意味および例については、図８に対応する実施形態を参照されたい。ここでは詳細を再度記載しない。
【０２７５】
メモリ１９３はプログラムコードを記憶する。プロセッサ１９１は、メモリ１９３に記憶されたプログラムコードを呼び出して、第２無線ネットワークデバイスによって送信されるアップリンクパケットを受信する動作であって、アップリンクパケットは、ユーザ端末のアイデンティティ情報と、ベアラタイプについての情報と、ベアラのアイデンティティ情報とを示す第１指示情報を保持する、動作と、第１指示情報に従って、アップリンクパケットに対応する、ユーザ端末、ベアラタイプ、およびベアラを認識する段階と、ＰＤＣＰ層の機能をアップリンクパケットに対して実行する動作とを実行するように構成される。
【０２７６】
本発明のいくつかの実施形態において、プロセッサが、ＰＤＣＰ層の機能をアップリンクパケットに対して実装することは、アップリンクパケットのベアラタイプを認識することと、アップリンクパケットのベアラタイプがＤＲＢであるとき、ＤＲＢセキュリティ情報に従って、ＰＤＣＰ層の機能を第２パケットに対して実行し、処理済みアップリンクパケットをコアネットワークへ送信するか、または、アップリンクパケットのベアラタイプがＳＲＢであるとき、ＳＲＢセキュリティ情報に従って、ＰＤＣＰ層の機能、およびＲＲＣ層の機能を第２パケットに対して実行することとを含む。
【０２７７】
本発明のいくつかの実施形態において、プロセッサはさらに、コアネットワークによって送信されるダウンリンクパケットを受信し、ダウンリンクパケットは、ユーザ端末のアイデンティティ情報と、ベアラタイプについての情報と、ベアラのアイデンティティ情報とを示す第２指示情報を保持するように、ならびに、第１無線ネットワークノードによって、ＲＲＣ層の機能と、ＰＤＣＰ層の機能とをパケットに対して実装し、処理済みダウンリンクパケットを第２無線ネットワークノードへ送信し、これにより、第２無線ネットワークノードは、第２指示情報に従って、ダウンリンクパケットの、ユーザ端末、ベアラタイプ、およびベアラを認識するように構成される。
【０２７８】
本発明のいくつかの実施形態において、プロセッサはさらに、ユーザ端末がハンドオーバ条件を満たすとき、ユーザ端末がハンドオーバされる先のターゲット無線ネットワークノードを判定し、第２無線ネットワークノードのＵＥコンテキスト情報を取得するように、および、ＵＥコンテキスト情報を保持するハンドオーバ要求メッセージをターゲット無線ネットワークノードへ送信し、これにより、ターゲット無線ネットワークノードが、アクセス許可をユーザ端末が有すると判定し、かつ、ハンドオーバリソースを準備した後に、ハンドオーバ応答メッセージを第１無線ネットワークノードへ返信するように、および、ターゲット無線ネットワークノードによって返信されるハンドオーバ応答メッセージを受信し、ハンドオーバ応答メッセージを第２無線ネットワークノードへ転送し、これにより、第２無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される。
【０２７９】
本発明のいくつかの実施形態において、プロセッサはさらに、ユーザ端末がハンドオーバ条件を満たすとき、ユーザ端末がハンドオーバされる先のターゲット無線ネットワークノードを判定するように、ならびに、ターゲット無線ネットワークノードの識別子を保持するハンドオーバ指示メッセージを第２無線ネットワークノードへ送信し、ハンドオーバ指示メッセージは、ユーザ端末のＵＥコンテキスト情報を取得するように、および、ＵＥコンテキスト情報を保持するハンドオーバ要件メッセージを第１無線ネットワークノードへ送信するように無線ネットワークノードに命令するために使用されるように、ならびに、ハンドオーバ要件メッセージに従って、ハンドオーバ要求メッセージをターゲット無線ネットワークノードへ送信し、これにより、ターゲット無線ネットワークノードが、アクセス許可をユーザ端末が有すると判定した後に、ハンドオーバ応答メッセージを第１無線ネットワークノードへ返信するように、ならびに、ターゲット無線ネットワークノードによって返信されるハンドオーバ応答メッセージを受信した後に、ハンドオーバ応答メッセージを第２無線ネットワークノードへ送信し、これにより、無線ネットワークノードは、ハンドオーバ応答メッセージに従って、ハンドオーバ命令メッセージをユーザ端末へ送信し、ハンドオーバ命令メッセージは、ハンドオーバ動作を完了するようにユーザ端末に命令するために使用されるように構成される。
【０２８０】
図２０を参照すると、本発明の第８実施形態はさらに、無線ネットワークノードを提供する。本発明のこの実施形態において、無線ネットワークノード２０は、プロセッサ２０１、メモリ２０３、および通信インタフェース２０２を備える。通信インタフェース２０２は、外部デバイスと通信するように構成される。無線ネットワークノード２０には１または複数のプロセッサが存在し得る。本発明のいくつかの実施形態において、プロセッサ２０１、メモリ２０３、および通信インタフェース２０２は、バスまたは別の方式を使用することによって、互いに接続され得る。無線ネットワークノードは、図９に示される方法を実行するように構成され得る。この実施形態において使用される用語の意味および例については、図９に対応する実施形態を参照されたい。ここでは詳細を再度記載しない。
【０２８１】
メモリ２０３はプログラムコードを記憶する。プロセッサ２０１は、メモリ２０３に記憶されたプログラムコードを呼び出し、第１無線ネットワークノードによって送信されるダウンリンクパケットを受信する動作であって、ダウンリンクパケットは、ユーザ端末のアイデンティティ情報と、ベアラタイプについての情報と、ベアラのアイデンティティ情報とを示す第１指示情報を保持する、動作と、第１指示情報に従って、ダウンリンクパケットに対応する、ユーザ端末、ベアラタイプ、およびベアラを認識する動作と、ＰＤＣＰ層より下の層の機能をダウンリンクパケットに対して実行する動作とを実行するように構成される。
【０２８２】
本発明のいくつかの実施形態において、プロセッサはさらに、ユーザ端末によって送信されるアップリンクパケットを受信し、アップリンクパケットは、ユーザ端末のアイデンティティ情報と、ベアラタイプについての情報と、ベアラのアイデンティティ情報とを示す第２指示情報を保持するように、および、ＰＤＣＰ層より下の層の機能をアップリンクパケットに対して実行し、処理済みアップリンクパケットを第１無線ネットワークノードへ送信し、これにより、第１無線ネットワークノードは、ＰＤＣＰ層の機能を処理済みアップリンクパケットに対して実行するように構成される。
【０２８３】
本発明のいくつかの実施形態において、プロセッサはさらに、ユーザ端末によって送信される測定報告を第１無線ネットワークノードへ転送し、これにより、ユーザ端末がハンドオーバ条件を満たすかどうかを第１無線ネットワークノードが測定報告に従って検出するとき、ユーザ端末がハンドオーバされる先のターゲット無線ネットワークノードを第１無線ネットワークノードが判定し、第１無線ネットワークノードが、ターゲット無線ネットワークノードのアイデンティティを保持するハンドオーバ指示を第２無線ネットワークノードへ返信するように、および、ターゲット無線ネットワークノードのアイデンティティを保持するハンドオーバ指示を受信した後に、ユーザ端末のＵＥコンテキスト情報を取得し、ＵＥコンテキスト情報を保持するハンドオーバ要件メッセージを第１無線ネットワークノードへ送信するように構成される。
【０２８４】
当業者であれば、実施形態における方法のプロセスのすべてまたは一部が、関連するハードウェアに命令するコンピュータプログラムにより実装され得ることを理解し得る。プログラムは、コンピュータ可読記憶媒体内に記憶され得る。プログラムが実行するとき、実施形態における方法のプロセスが実行される。上述の記憶媒体は、磁気ディスク、光ディスク、リードオンリメモリ（Ｒｅａｄ−Ｏｎｌｙ  Ｍｅｍｏｒｙ、ＲＯＭ）、またはランダムアクセスメモリ（Ｒａｎｄｏｍ  Ａｃｃｅｓｓ  Ｍｅｍｏｒｙ、ＲＡＭ）を含み得る。
【０２８５】
上で開示されたものは、本発明の実施形態の例に過ぎず、本発明の保護範囲を限定することを意図するものでないことは明らかである。当業者は、上述の実施形態を実装する処理の全部または一部および本発明の特許請求の範囲に従い成される等価な修正は、本発明の範囲に属することを理解できる。
（項目１）
第１無線ネットワークノードがダウンリンクパケットのベアラタイプを認識する段階と、
上記ベアラタイプがシグナリング無線ベアラＳＲＢであるとき、上記第１無線ネットワークノードが上記ダウンリンクパケットを第２無線ネットワークノードへ送信し、これにより、上記第２無線ネットワークノードは、パケットデータコンバージェンスプロトコルＰＤＣＰ層の機能を上記ダウンリンクパケットに対して実行するか、または、
上記ベアラタイプがデータ無線ベアラＤＲＢであるとき、上記第１無線ネットワークノードが、上記ダウンリンクパケットに対してＰＤＣＰ層の機能を実行し、上記処理済みダウンリンクパケットを上記第２無線ネットワークノードへ送信する
段階と
を備えるデータ伝送方法。
（項目２）
上記第１無線ネットワークノードが、上記第２無線ネットワークノードによって送信されるアップリンクパケットを受信する段階であって、上記第２無線ネットワークノードは、物理ＰＨＹ層の機能、媒体アクセス制御ＭＡＣ層の機能、および論理リンク制御ＲＬＣ層の機能を上記アップリンクパケットに対して実行し、上記アップリンクパケットのベアラタイプはＤＲＢである、段階と、
上記第１無線ネットワークノードが、上記ＰＤＣＰ層の上記機能を上記アップリンクパケットに対して実行し、上記処理済みアップリンクパケットを上記コアネットワークへ送信する段階と
をさらに備える、項目１に記載の方法。
（項目３）
上記第１無線ネットワークノードが、ＤＲＢセキュリティ情報およびＳＲＢセキュリティ情報を上記コアネットワークから取得する段階と、上記第１無線ネットワークノードが、上記ＤＲＢセキュリティ情報を記憶し、上記ＳＲＢセキュリティ情報を上記第２無線ネットワークノードへ送信する段階をさらに備え、
上記第１無線ネットワークノードが、上記ＰＤＣＰ層の上記機能を上記ダウンリンクパケットに対して実行する段階は、上記第１無線ネットワークノードが、上記ＤＲＢセキュリティ情報に従って、上記ＰＤＣＰ層の上記機能を上記ダウンリンクパケットに対して実行する段階を有する、
項目１または２に記載の方法。
（項目４）
上記ＳＲＢセキュリティ情報および上記ＤＲＢセキュリティ情報は、完全性保護アルゴリズム、完全性確認アルゴリズム、暗号化アルゴリズム、復号化アルゴリズム、またはセキュリティキーのうち１つまたは複数を含む、項目３に記載の方法。
（項目５）
第１無線ネットワークノードがダウンリンクパケットのベアラタイプを認識する上記段階の前に、上記方法はさらに、
上記第１無線ネットワークノードが、上記第２無線ネットワークノードによって送信されるユーザ端末識別子および接続要求を受信する段階と、
上記ユーザ端末識別子に対応するユーザ端末が、上記第２無線ネットワークノードにアクセスするための許可を有するとき、上記第１無線ネットワークノードが、上記ユーザ端末識別子を保持するアドミッション指示を上記第２無線ネットワークノードへ返信する段階であって、上記アドミッション指示は、上記ユーザ端末と上記第２無線ネットワークノードとの間にＳＲＢを確立するように上記ユーザ端末に命令するために使用される、段階と
を備える、項目１に記載の方法。
（項目６）
上記ユーザ端末がハンドオーバ条件を満たすとき、上記第１無線ネットワークノードが、上記第１無線ネットワークノードによって管理される無線ネットワークノードセットの中から、上記第２無線ネットワークノードを除くターゲット無線ネットワークノードを判定し、上記ターゲット無線ネットワークノードの識別子を上記第２無線ネットワークノードへ送信する段階と、
上記第１無線ネットワークノードが、サービスデータの伝送状態パラメータを上記第２無線ネットワークノードから取得する段階と、
上記ユーザ端末がハンドオーバ動作を完了した後、上記第１無線ネットワークノードが、上記伝送状態パラメータに従って、上記ターゲット無線ネットワークノードを使用することによって上記サービスデータを上記ユーザ端末へ伝送する段階と
をさらに備える、項目１から５のいずれか一項に記載の方法。
（項目７）
上記第１無線ネットワークノードが、上記第１無線ネットワークノードによって管理される無線ネットワークノードセットの中から、上記第２無線ネットワークノードを除くターゲット無線ネットワークノードを判定する上記段階は、
上記第１無線ネットワークノードが、上記無線ネットワークノードセットにおける各無線ネットワークノードと、上記ユーザ端末との間のリンク品質パラメータを取得し、上記ターゲット無線ネットワークノードとして最適なリンク品質パラメータを有する無線ネットワークノードを選択する段階であって、上記リンク品質パラメータは、基準信号受信電力ＲＳＲＰ、受信信号強度指標ＲＳＳＩ、または基準信号受信品質ＲＳＲＱのうち１つもしくは複数を含む、段階
を有する、項目６に記載の方法。
（項目８）
ダウンリンクパケットのベアラタイプを認識するように構成される識別モジュールと、
上記ベアラタイプがＳＲＢであるとき、上記第１無線ネットワークノードによって、上記ダウンリンクパケットを第２無線ネットワークノードへ送信するように構成され、これにより、上記第２無線ネットワークノードが、ＰＤＣＰ層の機能を上記ダウンリンクパケットに対して実行する、第１送信モジュール、または、
上記ベアラタイプがＤＲＢであるとき、上記ダウンリンクパケットに対してＰＤＣＰ層の機能を実行し、上記処理済みダウンリンクパケットを上記第２無線ネットワークノードへ送信するように構成される第１処理モジュール
を備える無線ネットワークノード。
（項目９）
上記第２無線ネットワークノードによって送信されるアップリンクパケットを受信するように構成される受信モジュールであって、上記第２無線ネットワークノードは、ＰＨＹ層の機能、ＭＡＣ層の機能、およびＲＬＣ層の機能をアップリンクパケットに対して実行し、上記アップリンクパケットのベアラタイプはＤＲＢである、受信モジュールと、
上記ＰＤＣＰ層の上記機能を上記アップリンクパケットに対して実行し、上記処理済みアップリンクパケットを上記コアネットワークへ送信するように構成される第２処理モジュールと
をさらに備える、項目８に記載のノード。
（項目１０）
ＤＲＢセキュリティ情報およびＳＲＢセキュリティ情報を上記コアネットワークから取得するように構成されるセキュリティ情報取得モジュールであって、上記第１無線ネットワークノードは上記ＤＲＢセキュリティ情報を記憶し、上記ＳＲＢセキュリティ情報を上記第２無線ネットワークノードへ送信する、セキュリティ情報取得モジュールをさらに備え、上記第１処理モジュールは、上記ＤＲＢセキュリティ情報に従って、上記ＰＤＣＰ層の上記機能を上記ダウンリンクパケットに対して実行するように構成される、項目８または９に記載のノード。
（項目１１）
上記ＳＲＢセキュリティ情報および上記ＤＲＢセキュリティ情報は、完全性保護アルゴリズム、完全性確認アルゴリズム、暗号化アルゴリズム、復号化アルゴリズム、またはセキュリティキーのうち１つまたは複数を含む、項目１０に記載のノード。
（項目１２）
上記第２無線ネットワークノードによって送信されるユーザ端末識別子および接続要求を受信するように、ならびに、上記ユーザ端末識別子に対応するユーザ端末が、上記第２無線ネットワークノードにアクセスするための許可を有するとき、上記ユーザ端末識別子を保持するアドミッション指示を上記第２無線ネットワークノードへ返信するように構成されるＳＲＢ確立モジュールをさらに備え、上記アドミッション指示は、上記ユーザ端末と上記第２無線ネットワークノードとの間にＳＲＢを確立するよう上記ユーザ端末に命令するために使用される、項目８に記載のノード。
（項目１３）
上記ユーザ端末がハンドオーバ条件を満たすとき、上記無線ネットワークノードによって管理される無線ネットワークノードセットの中から、上記第２無線ネットワークノードを除くターゲット無線ネットワークノードを判定し、上記ターゲット無線ネットワークノードの識別子を上記第２無線ネットワークノードへ送信するように、および、サービスデータの伝送状態パラメータを上記第２無線ネットワークノードから取得するように、ならびに、ハンドオーバ動作を上記ユーザ端末が完了した後に、上記伝送状態パラメータに従って、上記ターゲット無線ネットワークノードを使用することによって上記サービスデータを上記ユーザ端末へ伝送するように構成されるハンドオーバモジュールをさらに備える、項目８から１２のいずれか一項に記載のノード。
（項目１４）
上記ハンドオーバモジュールは、上記無線ネットワークノードセットにおける各無線ネットワークノードと上記ユーザ端末との間のリンク品質パラメータを取得するように、および、上記ターゲット無線ネットワークノードとして最適なリンク品質パラメータを有する無線ネットワークノードを選択するように構成され、上記リンク品質パラメータは、ＲＳＲＰ、ＲＳＳＩ、またはＲＳＲＱのうち１つまたは複数を含む、項目１３に記載のノード。
（項目１５）
メモリおよびプロセッサを備える無線ネットワークノードであって、上記メモリは、項目１から７のいずれか一項に記載のデータ伝送方法を実装するための命令を記憶し、上記プロセッサは、項目１から７のいずれか一項に記載のデータ伝送方法を実装するために、上記メモリの中の上記命令を呼び出して実行する、無線ネットワークノード。
（項目１６）
データ伝送方法を実行するためにコンピュータデバイスを制御するように構成される記憶媒体であって、上記方法は、
ダウンリンクパケットのベアラタイプを認識する段階と、
上記ベアラタイプがシグナリング無線ベアラＳＲＢであるとき、上記ダウンリンクパケットを第２無線ネットワークノードへ送信し、これにより、上記第２無線ネットワークノードが、パケットデータコンバージェンスプロトコルＰＤＣＰ層の機能を上記ダウンリンクパケットに対して実行するか、または、
上記ベアラタイプがデータ無線ベアラＤＲＢであるとき、ＰＤＣＰ層の機能を上記ダウンリンクパケットに対して実行し、上記処理済みダウンリンクパケットを上記第２無線ネットワークノードへ送信する段階と
備える、記憶媒体。
（項目１７）
第２無線ネットワークノードが、ユーザ端末によって送信されるアップリンクパケットのベアラタイプを認識する段階と、
上記ベアラタイプがＳＲＢであるとき、上記第２無線ネットワークノードが、ＰＨＹ層の機能、および、上記ＰＨＹ層より上の層の機能を上記アップリンクパケットに対して実行するか、または、
上記ベアラタイプがＤＲＢであるとき、上記第２無線ネットワークノードが、ＰＨＹ層の機能、ＭＡＣ層の機能、およびＲＬＣ層の機能を上記アップリンクパケットに対して実行し、上記処理済みアップリンクパケットを第１無線ネットワークノードへ送信し、これにより、上記第１無線ネットワークノードが、ＰＤＣＰ層の機能を上記処理済みアップリンクパケットに対して実行する、段階と
を備える、データ伝送方法。
（項目１８）
上記第２無線ネットワークノードが、ＰＨＹ層の機能、および上記ＰＨＹ層より上の層の機能を上記アップリンクパケットに対して実行する上記段階は、
上記第２無線ネットワークノードが、上記第１無線ネットワークノードによって送信されるＳＲＢセキュリティ情報を受信し、上記ＳＲＢセキュリティ情報に従って、上記ＰＤＣＰ層の上記機能を上記アップリンクパケットに対して実行する段階を有する、項目１７に記載の方法。
（項目１９）
上記第２無線ネットワークノードが、上記第１無線ネットワークノードによって送信されるダウンリンクパケットを受信する段階であって、上記ダウンリンクパケットのベアラタイプがＳＲＢである、段階と、
上記第２無線ネットワークノードが、ＲＲＣ層の機能、および上記ＲＲＣ層より下の層の機能を上記ダウンリンクパケットに対して実行し、上記処理済みダウンリンクパケットを上記ユーザ端末へ送信する段階と
をさらに備える、項目１７または１８に記載の方法。
（項目２０）
上記第２無線ネットワークノードが、ユーザ端末識別子を保持する、上記ユーザ端末によって送信される接続要求を上記第１無線ネットワークノードへ転送する段階と、
上記ユーザ端末がアクセス許可を有すると上記第１無線ネットワークノードが判定した後に生成されるアドミッション指示を上記第２無線ネットワークノードが受信する段階であって、上記アドミッション指示は上記ユーザ端末識別子を保持する、段階と、
上記第２無線ネットワークノードが、上記アドミッション指示に従って接続確立メッセージを生成し、上記接続確立メッセージを上記ユーザ端末へ送信し、これにより、上記ユーザ端末が、上記接続確立メッセージに従ってＳＲＢを確立し、上記ＳＲＢの確立に成功した後に接続確立完了メッセージを上記第２無線ネットワークノードへ返信する段階と、
上記第２無線ネットワークノードが、受信された上記接続確立完了メッセージを上記第１無線ネットワークノードへ送信する段階と
をさらに備える、項目１７に記載の方法。
（項目２１）
上記ユーザ端末がハンドオーバ条件を満たすとき、上記ユーザ端末がハンドオーバされる先のターゲット無線ネットワークノードを上記第２無線ネットワークノードが判定する段階と、
上記第２無線ネットワークノードが、上記ＳＲＢセキュリティ情報を保持するハンドオーバ要求メッセージを上記ターゲット無線ネットワークノードへ送信し、これにより、上記ターゲット無線ネットワークノードが、ハンドオーバリソースを準備した後に、ハンドオーバ命令メッセージを上記第２無線ネットワークノードへ返信する、段階と、
上記第２無線ネットワークノードが、上記ハンドオーバ命令メッセージを上記ユーザ端末へ転送する段階であって、上記ハンドオーバ命令メッセージは上記ＳＲＢセキュリティ情報を保持し、これにより、上記ユーザ端末は、ハンドオーバ動作が完了した後に、ハンドオーバ完了メッセージを上記ターゲット無線ネットワークノードへ返信し、および、上記ターゲット無線ネットワークアクセスノードは、上記ハンドオーバ完了メッセージを受信した後に、上記ＳＲＢセキュリティ情報に従って、セキュリティ保護をシグナリングデータに対して実行する、段階と
をさらに備える、項目１８に記載の方法。
（項目２２）
上記ユーザ端末がハンドオーバ条件を満たすとき、上記ユーザ端末がハンドオーバされる先のターゲット無線ネットワークノードを上記第２無線ネットワークノードが判定する上記段階は、
上記ユーザ端末の信号搬送波レベルが第１閾値より低いとき、上記ハンドオーバ条件を上記ユーザ端末が満たすと上記第２無線ネットワークノードが判定するか、または、
上記ユーザ端末の信号搬送波対干渉波比が第２閾値より低いとき、上記ハンドオーバ条件を上記ユーザ端末が満たすと上記第２無線ネットワークノードが判定するか、または、
上記第２無線ネットワークノードと上記ユーザ端末との間の距離が第３閾値より大きいとき、上記ハンドオーバ条件を上記ユーザ端末が満たすと上記第２無線ネットワークノードが判定する段階と、
上記第２無線ネットワークノードが、上記ターゲット無線ネットワークノードのアイデンティティを保持する、上記第１無線ネットワークノードによって送信されるハンドオーバ指示を受信し、上記アイデンティティに従って上記ターゲット無線ネットワークノードを判定する段階と
を備える、項目２１に記載の方法。
（項目２３）
ユーザ端末によって送信されるアップリンクパケットのベアラタイプを認識するように構成される識別モジュールと、
上記ベアラタイプがＳＲＢであるとき、ＰＨＹ層の機能、および上記ＰＨＹ層より上の層の機能を上記アップリンクパケットに対して実行するように構成される第１処理モジュール、または、
上記ベアラタイプがＤＲＢであるとき、ＰＨＹ層の機能、ＭＡＣ層の機能、およびＲＬＣ層の機能を上記アップリンクパケットに対して実行し、上記処理済みアップリンクパケットを第１無線ネットワークノードへ送信するように構成され、これにより、上記第１無線ネットワークノードが、ＰＤＣＰ層の機能を上記処理済みアップリンクパケットに対して実行する、第１送信モジュールと
を備える無線ネットワークノード。
（項目２４）
上記第１処理モジュールは、上記第１無線ネットワークノードによって送信されるＳＲＢセキュリティ情報を受信し、上記ＳＲＢセキュリティ情報に従って、上記ＰＤＣＰ層の上記機能を上記アップリンクパケットに対して実行するように構成される、項目２３に記載のノード。
（項目２５）
上記第１無線ネットワークノードによって送信されるダウンリンクパケットを受信するように構成され、上記ダウンリンクパケットのベアラタイプはＳＲＢである、受信モジュールと、
ＲＲＣ層の機能、および上記ＲＲＣ層より下の層の機能を上記ダウンリンクパケットに対して実行し、上記処理済みダウンリンクパケットを上記ユーザ端末へ送信するように構成される第２処理モジュールと
をさらに備える、項目２２または２３に記載のノード。
（項目２６）
ユーザ端末識別子を保持する、上記ユーザ端末によって送信される接続要求を上記第１無線ネットワークノードへ転送するように、および、上記ユーザ端末がアクセス許可を有すると上記第１無線ネットワークノードが判定した後に生成される、上記ユーザ端末識別子を保持するアドミッション指示を受信するように、および、上記アドミッション指示に従って接続確立メッセージを生成し、上記接続確立メッセージを上記ユーザ端末へ送信し、これにより、上記ユーザ端末は、上記接続確立メッセージに従ってＳＲＢを確立し、上記ＳＲＢの確立に成功した後に、接続確立完了メッセージを上記第２無線ネットワークノードへ返信するように、および、受信された上記接続確立完了メッセージを上記第１無線ネットワークノードへ送信するように構成されるＳＲＢ確立モジュールをさらに備える、項目２２に記載のノード。
（項目２７）
上記ユーザ端末がハンドオーバ条件を満たすとき、上記ユーザ端末がハンドオーバされる先のターゲット無線ネットワークノードを判定するように、ならびに、上記ＳＲＢセキュリティ情報を保持するハンドオーバ要求メッセージを上記ターゲット無線ネットワークノードへ送信し、これにより、上記ターゲット無線ネットワークノードが、ハンドオーバリソースを準備した後に、ハンドオーバ命令メッセージを上記第２無線ネットワークノードへ返信するように、ならびに、上記ハンドオーバ命令メッセージを上記ユーザ端末へ転送し、上記ハンドオーバ命令メッセージは上記ＳＲＢセキュリティ情報を保持し、これにより、ハンドオーバ動作を完了した後に、上記ユーザ端末がハンドオーバ完了メッセージを上記ターゲット無線ネットワークノードへ返信し、および、上記ハンドオーバ完了メッセージを受信した後に、上記ターゲット無線ネットワークアクセスノードが、上記ＳＲＢセキュリティ情報に従って、シグナリングデータに対してセキュリティ保護を実行するように構成されるハンドオーバモジュールをさらに備える、項目２３に記載のノード。
（項目２８）
上記ハンドオーバモジュールは、上記ユーザ端末の信号搬送波レベルが第１閾値より低いとき、上記ユーザ端末が上記ハンドオーバ条件を満たすと判定し、または、
上記ユーザ端末の信号搬送波対干渉波比が第２閾値より低いとき、上記ユーザ端末が上記ハンドオーバ条件を満たすと判定するか、または、
上記無線ネットワークノードと上記ユーザ端末との間の距離が第３閾値より大きいとき、上記ユーザ端末が上記ハンドオーバ条件を満たすと判定するように、および、
上記ターゲット無線ネットワークノードのアイデンティティを保持する、上記第１無線ネットワークノードによって送信されるハンドオーバ指示を受信し、上記アイデンティティに従って、上記ターゲット無線ネットワークノードを判定するように
構成される、項目２７に記載のノード。
（項目２９）
メモリおよびプロセッサを備え、上記メモリは、項目１７から２２のいずれか一項に記載のデータ伝送方法を実装するための命令を記憶し、上記プロセッサは、項目１７から２２のいずれか一項に記載のデータ伝送方法を実装するために、上記メモリの中の上記命令を呼び出して実行する、無線ネットワークノード。
（項目３０）
データ伝送方法を実行するためにコンピュータデバイスを制御するように構成される記憶媒体であって、上記方法は、
ユーザ端末によって送信されるアップリンクパケットのベアラタイプを認識する段階と、
上記ベアラタイプがＳＲＢであるとき、ＰＨＹ層の機能、および上記ＰＨＹ層より上の層の機能を上記アップリンクパケットに対して実行するか、または、
上記ベアラタイプがＤＲＢであるとき、ＰＨＹ層の機能、ＭＡＣ層の機能、およびＲＬＣ層の機能を上記アップリンクパケットに対して実行し、上記処理済みアップリンクパケットを第１無線ネットワークノードへ送信し、これにより、上記第１無線ネットワークノードは、ＰＤＣＰ層の機能を上記処理済みアップリンクパケットに対して実行する、段階と
を備える、記憶媒体。
（項目３１）
第１無線ネットワークノードが、第２無線ネットワークデバイスによって送信されるアップリンクパケットを受信し、上記アップリンクパケットは、ユーザ端末のアイデンティティ情報と、ベアラタイプについての情報と、ベアラのアイデンティティ情報とを示す第１指示情報を保持する、段階と、
上記第１無線ネットワークノードが、上記第１指示情報に従って、上記アップリンクパケットに対応する、上記ユーザ端末、上記ベアラタイプ、および上記ベアラを認識する段階と、
上記第１無線ネットワークノードが、ＰＤＣＰ層の機能を上記アップリンクパケットに対して実行する段階と
を備えるデータ伝送方法。
（項目３２）
上記第１無線ネットワークノードが、ＰＤＣＰ層の機能を上記アップリンクパケットに対して実装する上記段階は、
上記第１無線ネットワークノードが、上記アップリンクパケットの上記ベアラタイプを認識する段階と、
上記アップリンクパケットの上記ベアラタイプがＤＲＢであるとき、ＤＲＢセキュリティ情報に従って、上記ＰＤＣＰ層の上記機能を上記第２パケットに対して実行し、上記処理済みアップリンクパケットをコアネットワークへ送信するか、または、
上記アップリンクパケットの上記ベアラタイプがＳＲＢであるとき、ＳＲＢセキュリティ情報に従って、上記ＰＤＣＰ層の上記機能、およびＲＲＣ層の機能を上記第２パケットに対して実行する段階と
を備える、項目３１に記載の方法。
（項目３３）
上記第１無線ネットワークノードが、上記コアネットワークによって送信されるダウンリンクパケットを受信する段階であって、上記ダウンリンクパケットは、ユーザ端末のアイデンティティ情報と、ベアラタイプについての情報と、ベアラのアイデンティティ情報とを示す第２指示情報を保持する、段階と、
上記第１無線ネットワークノードが、上記ＲＲＣ層の上記機能と、上記ＰＤＣＰ層の上記機能とを上記パケットに対して実装し、上記処理済みダウンリンクパケットを上記第２無線ネットワークノードへ送信し、これにより、上記第２無線ネットワークノードは、上記第２指示情報に従って、上記ダウンリンクパケットの、上記ユーザ端末、上記ベアラタイプ、および上記ベアラを認識する段階と
をさらに備える、項目３２に記載の方法。
（項目３４）
上記ユーザ端末がハンドオーバ条件を満たすとき、上記第１無線ネットワークノードが、上記ユーザ端末がハンドオーバされる先のターゲット無線ネットワークノードを判定し、上記第２無線ネットワークノードのＵＥコンテキスト情報を取得する段階と、
上記第１無線ネットワークノードが、上記ＵＥコンテキスト情報を保持するハンドオーバ要求メッセージを上記ターゲット無線ネットワークノードへ送信し、これにより、上記ターゲット無線ネットワークノードが、上記ユーザ端末がアクセス許可を有すると判定し、かつ、ハンドオーバリソースを準備した後に、ハンドオーバ応答メッセージを上記第１無線ネットワークノードへ返信する段階と、
上記第１無線ネットワークノードが、上記ターゲット無線ネットワークノードによって返信される上記ハンドオーバ応答メッセージを受信し、上記ハンドオーバ応答メッセージを上記第２無線ネットワークノードへ転送し、これにより、上記第２無線ネットワークノードは、上記ハンドオーバ応答メッセージに従って、ハンドオーバ命令メッセージを上記ユーザ端末へ送信し、上記ハンドオーバ命令メッセージは、ハンドオーバ動作を完了するように上記ユーザ端末に命令するために使用される、段階と
をさらに備える、項目３１から３３のいずれか一項に記載の方法。
（項目３５）
上記ユーザ端末がハンドオーバ条件を満たすとき、上記ユーザ端末がハンドオーバされる先のターゲット無線ネットワークノードを上記第１無線ネットワークノードが判定する段階と、
上記第１無線ネットワークノードが、上記ターゲット無線ネットワークノードの識別子を保持するハンドオーバ指示メッセージを上記第２無線ネットワークノードへ送信する段階であって、上記ハンドオーバ指示メッセージは、上記ユーザ端末のＵＥコンテキスト情報を取得するように、および、上記ＵＥコンテキスト情報を保持するハンドオーバ要件メッセージを上記第１無線ネットワークノードへ送信するように上記無線ネットワークノードに命令するために使用される、段階と、
上記第１無線ネットワークノードは、上記ハンドオーバ要件メッセージに従って、ハンドオーバ要求メッセージを上記ターゲット無線ネットワークノードへ送信し、これにより、上記ターゲット無線ネットワークノードが、アクセス許可を上記ユーザ端末が有すると判定した後に、ハンドオーバ応答メッセージを上記第１無線ネットワークノードへ返信する段階と、
上記ターゲット無線ネットワークノードによって返信される上記ハンドオーバ応答メッセージを受信した後に、上記第１無線ネットワークノードが、上記ハンドオーバ応答メッセージを上記第２無線ネットワークノードへ送信し、これにより、上記無線ネットワークノードは、上記ハンドオーバ応答メッセージに従って、ハンドオーバ命令メッセージを上記ユーザ端末へ送信する段階であって、上記ハンドオーバ命令メッセージは、ハンドオーバ動作を完了するように上記ユーザ端末に命令するために使用される、段階と
をさらに備える、項目３３および３４のいずれかに記載の方法。
（項目３６）
第２無線ネットワークデバイスによって送信されるアップリンクパケットを受信するように構成され、上記アップリンクパケットは、ユーザ端末のアイデンティティ情報と、ベアラタイプについての情報と、ベアラのアイデンティティ情報とを示す第１指示情報を保持する、第１受信モジュールと、
上記第１指示情報に従って、上記アップリンクパケットに対応する、上記ユーザ端末、上記ベアラタイプ、および上記ベアラを認識するように構成される識別モジュールと、
ＰＤＣＰ層の機能を上記アップリンクパケットに対して実行するように構成される第１処理モジュールと
を備える無線ネットワークノード。
（項目３７）
上記第１処理モジュールは、上記アップリンクパケットの上記ベアラタイプを認識するように、ならびに、
上記アップリンクパケットの上記ベアラタイプがＤＲＢであるとき、ＤＲＢセキュリティ情報に従って上記ＰＤＣＰ層の上記機能を上記第２パケットに対して実行し、上記処理済みアップリンクパケットをコアネットワークへ送信するか、または、
上記アップリンクパケットの上記ベアラタイプがＳＲＢであるとき、ＳＲＢセキュリティ情報に従って、上記ＰＤＣＰ層の上記機能、およびＲＲＣ層の機能を上記第２パケットに対して実行するように
構成される、項目３６に記載のノード。
（項目３８）
上記コアネットワークによって送信されるダウンリンクパケットを受信するように構成され、上記ダウンリンクパケットは、ユーザ端末のアイデンティティ情報と、ベアラタイプについての情報と、ベアラのアイデンティティ情報とを示す第２指示情報を保持する、第２受信モジュールと、
上記ＲＲＣ層の上記機能、および上記ＰＤＣＰ層の上記機能を上記パケットに対して実装し、上記処理済みダウンリンクパケットを上記第２無線ネットワークノードへ送信するように構成され、これにより、上記第２無線ネットワークノードは、上記第２指示情報に従って、上記ダウンリンクパケットの、上記ユーザ端末、上記ベアラタイプ、および上記ベアラを認識する、第２処理モジュールと
をさらに備える、項目３６または３７に記載のノード。
（項目３９）
上記ユーザ端末がハンドオーバ条件を満たすとき、上記ユーザ端末がハンドオーバされる先のターゲット無線ネットワークノードを判定し、上記第２無線ネットワークノードのＵＥコンテキスト情報を取得するように、ならびに、
上記ＵＥコンテキスト情報を保持するハンドオーバ要求メッセージを上記ターゲット無線ネットワークノードへ送信し、これにより、上記ターゲット無線ネットワークノードが、アクセス許可を上記ユーザ端末が有すると判定し、かつ、ハンドオーバリソースを準備した後に、ハンドオーバ応答メッセージを上記第１無線ネットワークノードへ返信するように、ならびに、
上記ターゲット無線ネットワークノードによって返信される上記ハンドオーバ応答メッセージを受信し、上記ハンドオーバ応答メッセージを上記第２無線ネットワークノードへ転送し、これにより、上記第２無線ネットワークノードは、上記ハンドオーバ応答メッセージに従って、ハンドオーバ命令メッセージを上記ユーザ端末へ送信し、上記ハンドオーバ命令メッセージは、ハンドオーバ動作を完了するように上記ユーザ端末に命令するために使用されるように
構成される第１ハンドオーバモジュールをさらに備える、項目３６から３８のいずれか一項に記載のノード。
（項目４０）
上記ユーザ端末がハンドオーバ条件を満たすとき、上記ユーザ端末がハンドオーバされる先のターゲット無線ネットワークノードを判定するように、ならびに、
上記ターゲット無線ネットワークノードの識別子を保持するハンドオーバ指示メッセージを上記第２無線ネットワークノードへ送信し、上記ハンドオーバ指示メッセージは、上記ユーザ端末のＵＥコンテキスト情報を取得するように、および、上記ＵＥコンテキスト情報を保持するハンドオーバ要件メッセージを上記第１無線ネットワークノードへ送信するように上記無線ネットワークノードに命令するために使用されるように、ならびに、
上記ハンドオーバ要件メッセージに従って、ハンドオーバ要求メッセージを上記ターゲット無線ネットワークノードへ送信し、これにより、上記ターゲット無線ネットワークノードが、アクセス許可を上記ユーザ端末が有すると判定した後に、ハンドオーバ応答メッセージを第１無線ネットワークノードへ返信するように、ならびに、
上記ターゲット無線ネットワークノードによって返信される上記ハンドオーバ応答メッセージを受信した後に、上記ハンドオーバ応答メッセージを上記第２無線ネットワークノードへ送信し、これにより、上記無線ネットワークノードは、上記ハンドオーバ応答メッセージに従って、ハンドオーバ命令メッセージを上記ユーザ端末へ送信し、上記ハンドオーバ命令メッセージは、ハンドオーバ動作を完了するように上記ユーザ端末に命令するために使用されるように
構成される第２ハンドオーバモジュールをさらに備える、項目３６から３８のいずれか一項に記載のノード。
（項目４１）
メモリおよびプロセッサを備える無線ネットワークノードであって、上記メモリは、項目３１から３５のいずれか一項に記載のデータ伝送方法を実装するための命令を記憶し、上記プロセッサは、項目３１から３５のいずれか一項に記載のデータ伝送方法を実装するために、上記メモリの中の上記命令を呼び出して実行する、無線ネットワークノード。
（項目４２）
データ伝送方法を実行するためにコンピュータデバイスを制御するように構成される記憶媒体であって、上記方法は、
第２無線ネットワークデバイスによって送信されるアップリンクパケットを受信する段階であって、上記アップリンクパケットは、ユーザ端末のアイデンティティ情報と、ベアラタイプについての情報と、ベアラのアイデンティティ情報とを示す第１指示情報を保持する、段階と、
上記第１指示情報に従って、上記アップリンクパケットに対応する、上記ユーザ端末、上記ベアラタイプ、および上記ベアラを認識する段階と、
ＰＤＣＰ層の機能を上記アップリンクパケットに対して実行する段階と
を備える、記憶媒体。
（項目４３）
第２無線ネットワークノードが、第１無線ネットワークノードによって送信されるダウンリンクパケットを受信する段階であって、上記ダウンリンクパケットは、ユーザ端末のアイデンティティ情報と、ベアラタイプについての情報と、ベアラのアイデンティティ情報とを示す第１指示情報を保持する、段階と、
上記第２無線ネットワークノードが、上記第１指示情報に従って、上記ダウンリンクパケットに対応する、上記ユーザ端末、上記ベアラタイプ、および上記ベアラを認識する段階と、
上記第２無線ネットワークノードが、ＰＤＣＰ層より下の層の機能を上記ダウンリンクパケットに対して実行する段階と
を備えるデータ伝送方法。
（項目４４）
上記第２無線ネットワークノードが、ユーザ端末によって送信されるアップリンクパケットを受信する段階であって、上記アップリンクパケットは、上記ユーザ端末のアイデンティティ情報と、ベアラタイプについての情報と、ベアラのアイデンティティ情報とを示す第２指示情報を保持する、段階と、
上記第２無線ネットワークノードが、上記ＰＤＣＰ層より下の上記層の上記機能を上記アップリンクパケットに対して実行し、上記処理済みアップリンクパケットを上記第１無線ネットワークノードへ送信し、これにより、上記第１無線ネットワークノードは、ＰＤＣＰ層の機能を上記処理済みアップリンクパケットに対して実行する段階と
をさらに備える、項目４３に記載の方法。
（項目４５）
上記第２無線ネットワークノードが、上記ユーザ端末によって送信される測定報告を上記第１無線ネットワークノードへ転送し、これにより、上記第１無線ネットワークノードが、上記測定報告に従って、上記ユーザ端末がハンドオーバ条件を満たすかどうかを検出したとき、上記第１無線ネットワークノードが、上記ユーザ端末がハンドオーバされる先のターゲット無線ネットワークノードを判定し、上記第１無線ネットワークノードが、上記ターゲット無線ネットワークノードのアイデンティティを保持するハンドオーバ指示を上記第２無線ネットワークノードへ返信する段階と、
上記第２無線ネットワークノードが、上記ターゲット無線ネットワークノードの上記アイデンティティを保持する上記ハンドオーバ指示を受信した後に、上記ユーザ端末のＵＥコンテキスト情報を取得し、上記ＵＥコンテキスト情報を保持するハンドオーバ要件メッセージを上記第１無線ネットワークノードへ送信する段階と
をさらに備える、項目４３または４４に記載の方法。
（項目４６）
上記第１無線ネットワークノードによって送信されるダウンリンクパケットを受信するように構成され、上記ダウンリンクパケットは、ユーザ端末のアイデンティティ情報と、ベアラタイプについての情報と、ベアラのアイデンティティ情報とを示す第１指示情報を保持する、第１受信モジュールと、
上記第１指示情報に従って、上記ダウンリンクパケットに対応する、上記ユーザ端末、上記ベアラタイプ、および上記ベアラを認識するように構成される識別モジュールと、
ＰＤＣＰ層より下の層の機能を上記ダウンリンクパケットに対して実行するように構成される第１処理モジュールと
を備える無線ネットワークノード。
（項目４７）
ユーザ端末によって送信されるアップリンクパケットを受信するように構成され、上記アップリンクパケットは、上記ユーザ端末のアイデンティティ情報と、ベアラタイプについての情報と、ベアラのアイデンティティ情報とを示す第２指示情報を保持する、第２受信モジュールと、
上記ＰＤＣＰ層より下の上記層の上記機能を上記アップリンクパケットに対して実行し、上記処理済みアップリンクパケットを上記第１無線ネットワークノードへ送信するように構成され、これにより、上記第１無線ネットワークノードは、ＰＤＣＰ層の機能を上記処理済みアップリンクパケットに対して実行する、第２処理モジュールと
をさらに備える、項目４６に記載のノード。
（項目４８）
上記ユーザ端末によって送信される測定報告を上記第１無線ネットワークノードへ転送し、これにより、上記ユーザ端末がハンドオーバ条件を満たすことを第１無線ネットワークノードが上記測定報告に従って検出するとき、上記ユーザ端末がハンドオーバされる先のターゲット無線ネットワークノードを上記第１無線ネットワークノードが判定し、上記第１無線ネットワークノードが、上記ターゲット無線ネットワークノードのアイデンティティを保持するハンドオーバ指示を上記第２無線ネットワークノードへ返信するように、および、
上記ターゲット無線ネットワークノードの上記アイデンティティを保持する上記ハンドオーバ指示を受信した後に、上記ユーザ端末のＵＥコンテキスト情報を取得し、上記ＵＥコンテキスト情報を保持するハンドオーバ要件メッセージを上記第１無線ネットワークノードへ送信するように
構成されるハンドオーバモジュールをさらに備える、項目４６または４７に記載のノード。
（項目４９）
メモリおよびプロセッサを備える無線ネットワークノードであって、上記メモリは、項目４３から４５のいずれか一項に記載のデータ伝送方法を実装するための命令を記憶し、上記プロセッサは、項目４３から４５のいずれか一項に記載のデータ伝送方法を実装するために、上記メモリの中の上記命令を呼び出して実行する、無線ネットワークノード。
（項目５０）
データ伝送方法を実行するためにコンピュータデバイスを制御するように構成される記憶媒体であって、上記方法は、
上記第１無線ネットワークノードによって送信されるダウンリンクパケットを受信する段階であって、上記ダウンリンクパケットは、ユーザ端末のアイデンティティ情報と、ベアラタイプについての情報と、ベアラのアイデンティティ情報とを示す第１指示情報を保持する、段階と、
上記第１指示情報に従って、上記ダウンリンクパケットに対応する、上記ユーザ端末、上記ベアラタイプ、および上記ベアラを認識する段階と、
ＰＤＣＰ層より下の層の機能を上記ダウンリンクパケットに対して実行する段階と
を備える、記憶媒体。
（項目５１）
項目８から１５のいずれか一項に記載の無線ネットワークノードと、項目２３から２９に記載の少なくとも１つの上記無線ネットワークノード、または、
項目３６から４１のいずれか一項に記載の無線ネットワークノードと、項目４６から４９に記載の少なくとも１つの無線ネットワークノード
を備える通信システム。
【国際調査報告】
2018519741.tif 000024
2018519741.tif 000025
2018519741.tif 000026
2018519741.tif 000027